(57)【要約】  植物の成長に有益な組成物及び方法を提供する。組成物は、植物、種、若しくは植物又は種の周囲の土壌又は他の成長培地に対して、土壌殺虫剤と組み合わせて液体肥料で送達された場合に、有益な成長効果を提供可能な植物の成長と発達に利益を与える特性を有する分離された細菌又は真菌の株を含む。植物の成長利益効果は、苗の活力の改善、根の発達の改善、植物の健康の改善、植物の質量の増加、収量の増加、外観の改善、浸透圧ストレスに対する耐性の改善、又は植物病原体に対する耐性の改善のうちの１つ又は組み合わせを含む。分離された細菌株は、バチルス・プミルス、バチルス・リケニフォルミス、及びバチルス・サブティリスのような種を含むバチルス属のそれらを含む。【選択図】なし【特許請求の範囲】
【請求項１】
植物の成長に有益な特性を有する細菌又は真菌真菌の株の生物学的に純粋な培養物と、１つ以上の微生物学的又は化学的農薬と、を液体肥料液体肥料として適切な製剤中に含み、
前記細菌又は真菌の株及び１つ以上の微生物学的又は化学的農薬は、植物の成長に利益を与えるのに適切な量で存在する、
ことを特徴とする植物の成長に利益を与えるための組成物。
【請求項２】
前記化学的農薬は、殺虫剤である、
ことを特徴とする請求項１に記載の組成物。
【請求項３】
前記殺虫剤は、Ａ０）アグリガタ（agrigata）、アル−ホスフィド、アンブリセイウス、アフェリヌス（apherinus）、アフィディウス、アフィドレテス、アルテミシニン、オートグラファ・カリフォルニカＮＰＶ、アゾシクロチン、バチルス・サブティリス（bacillus-subtilis）、バチルス・チューリンゲンシス・アイザワイ（bacillus-thur.-aizawai）、バチルス・チューリンゲンシス・クルスタキー（bacillus-thur.-kurstaki）、バチルス・チューリンゲンシス（bacillus-thuringiensis）、ボーベリア（beauveria）、ボーベリア・バシアーナ（beauveria-bassiana）、ベータシフルトリン、生物学的製剤、ビスルタップ、ブロフルトリネート、ブロモホス−ｅ、ブロモプロピレート、Ｂｔ遺伝子組換コーン、Ｂｔ遺伝子組換大豆、カプサイシン、カルタップ、セラストラス（celastrus）抽出物、クロルアントラニリプロール、クロルベンズロン、クロルエトキシフォス、クロルフルアズロン、クロルピリホス−ｅ、シニジアジン（cnidiadin）、クリオライト、シアノホス、シアントラニリプロール、シハロトリン、シヘキサチン、シペルメトリン、ダクヌサ、ＤＣＩＰ、ジクロロプロペン、ジコホル、ジグリファス、ジグリファス+ダクヌサ、ジメタカルブ、ジチオエーテル、酢酸ドデシル、エマメクチン、エンカルシア（encarsia）、ＥＰＮ、エレツモセルス（eretmocerus）、エチレン−ジブロミド、ユーカリプトール、脂肪酸、脂肪酸／塩、フェナザキン、フェノブカルブ（ＢＰＭＣ）、フェンピロキシメート、フルブロシトリネート（flubrocythrinate）、フルフェンジン、ホルメタネート、ホルモチオン、フラチオカルブ、ガンマ−シハロトリン、ニンニクジュース、グラニュロシス−ウイルス、ハルモニア（harmonia）、オオタバコガ（heliothis armigera）ＮＰＶ、不活性細菌、インドール−３−イル酪酸、ヨードメタン、鉄、イソカルボホス（isocarbofos）、イソフェンホス、イソフェンホス−ｍ、イソプロカルブ、イソチオエート（isothioate）、カオリン、リンダン、リウヤンマイシン（liuyangmycin）、マトリン、メホスホラン、メタアルデヒド、メタリジウム−アニソプリエ、メタミドホス、メトルカルブ（ＭＴＭＣ）、鉱物油、マイレックス、ｍ−イソチオシアネート、モノスルタップ、ミロテシウム・ベルカリア（myrothecium verrucaria）、ナレド、ハモグリミドリヒメコバチ（neochrysocharis formos）、ニコチン、ニコチノイド、油脂、オレイン酸、オメトエート、オリウス（orius）、オキシマトリン、ペシロマイセス、パラフィン油、パラチオン−ｅ、パスツリア、石油、フェロモン、リン酸、フォトラブダス、フォキシム、フィトセイウルス（phytoseiulus）、ピリミホス−ｅ、植物油、プルテラ・キシロステラ（plutella xylostella）ＧＶ、多角体病（polyhedrosis）ウイルス、ポリフェノール抽出物、オレイン酸カリウム、プロフェノホス、プロスレル（prosuler）、プロチオホス、ピラクロホス、ピレトリン、ピリダフェンチオン、ピリミジフェン、ピリプロキシフェン、キラヤ（quillay）抽出物、キノメチオネート、菜種油、ロテノン、サポニン、サポノジット（saponozit）、ナトリウム化合物、フルオロケイ酸ナトリウム、スターチ、ステイネルネマ（steinernema）、ストレプトマイセス、スルフルラミド、硫黄、テブピリムホス、テフルトリン、テメホス、テトラジホン、チオファノックス、チオ���トン、トランスジェニクス（例えば、Ｃｒｙ３Ｂｂ１）、トリアザメート、トリコデルマ、トリコグランマ、トリフルムロン、ベルチシリウム、ベルトリン、殺虫剤の異性体（例えば、カッパ−ビフェントリン、カッパ−テフルトリン）、ジクロロメゾチアズ、ブロフラニリド、ピラジフルミド；Ａ１）アルジカルブ、アラニカルブ、ベンフラカルブ、カルバリル、カルボフラン、カルボスルファン、メチオカルブ、メトミル、オキサミル、ピリミカルブ、プロポキスルおよびチオジカルブを含むカルバメート類；Ａ２）アセフェート、アジンホス−エチル、アジンホス−メチル、クロルフェンビンホス、クロルピリホス、クロルピリホス−メチル、デメトン−Ｓ−メチル、ジアジノン、ジクロルボス／ＤＤＶＰ、ジクロトホス、ジメトエート、ジスルホトン、エチオン、フェニトロチオン、フェンチオン、イソキサチオン、マラチオン、メタミダホス、メチダチオン、メビンホス、モノクロトホス、オキシメトエート、オキシデメトン−メチル、パラチオン、パラチオン−メチル、フェントエート、ホレート、ホサロン、ホスメット、ホスファミドン、ピリミホス−メチル、キナルフォス、テルブホス、テトラクロルビンホス、トリアゾホス及びトリクロルホンを含む有機リン酸塩類；Ａ３）エンドスルファンなどのシクロジエン有機塩素化合物類；Ａ４）エチプロール、フィプロニル、フルフィプロール、ピラフルプロール及びピリプロールを含むフィプロール類；Ａ５）アセトアミノピリド、クロチアニジン、ジノテフラン、イミダクロプリド、ニテンピラム、チアクロプリド及びチアメトキサムを含むネオニコチノイド類；Ａ６）スピノサド、スピネトラムなどのスピノシン類；Ａ７）アバメクチン、エマメクチン安息香酸塩、イベルメクチン、レピメクチン及びミルベメクチンを含むメクチン類由来の塩素チャネル活性剤；Ａ８）ヒドロプレン、キノプレン、メトプレン、フェノキシカルブ及びピリプロキシフェン等の幼若ホルモン類似体；Ａ９）ピメトロジン、フロニカミド及びピリプリキナゾン等の同翅類選択的摂食ブロッカー；Ａ１０）クロフェンテジン、ヘキシチアゾクス及びエトキサゾール等のダニ類成長阻害剤；Ａ１１）ジアフェンチウロン、酸化フェンブタスズ及びプロパルギット等のミトコンドリアＡＴＰ合成阻害剤；Ａ１２）ベンスルタップ、カルタップ塩酸塩、チオシクラム及びチオスルタップナトリウム塩ニコチン性アセチルコリン受容体チャンネルブロッカー；Ａ１３）ビストリフロン、ジフルベンズロン、フルフェノクスロン、ヘキサフルムロン、ルフェヌロン、ノバルロン、及びテフルベンズロンを含むベンゾイル尿素類由来のキチン生合成阻害剤タイプ０；Ａ１４）ブプロフェジン等のキチン生合成阻害剤タイプ１；Ａ１５）シロマジン等の脱皮かく乱物質；Ａ１６）メトキシフェノジド、テブフェノジド、ハロフェノジド及びクロマフェノジド等のエクジソン受容体アゴニスト；Ａ１７）アミトラズ等のオクトパミン受容体アゴニスト；Ａ１８）ピリダベン、テブフェンピラド、トルフェンピラド、フルフェネリム、シエノピラフェン、シフルメトフェン、ヒドラメチルノン、アセキノシル又はフルアクリピリム等のミトコンドリア複合体電子伝達阻害剤；Ａ１９）インドキサカルブ及���メタフルミゾン等の電位依存性ナトリウムチャネルブロッカー；Ａ２０）スピロジクロフェン、スピロメシフェンおよびスピロテトラマト等の脂質合成阻害剤；Ａ２１）フルベンジアミド、フタルアミド化合物（Ｒ）−３−クロロ−Ｎ１−｛２−メチル−４−［１，２，２，２−テトラフルオロ−１−（トリフルオロメチル）エチル]フェニル}−Ｎ２−（１−メチル−２−メチルスルフォニルエチル）フタルアミド及び（Ｓ）−３−クロロ−Ｎ１−｛２−メチル−４−［１，２，２，２−テトラフルオロ−１−（トリフルオロメチル）エチル］フェニル｝−Ｎ２−（１−メチル−２−メチルスルフォニルエチル）フタルアミド、クロラントラニリプロール及びシアントラニリプロール  ジアミド類由来のリアノジン受容体モジュレータ；Ａ２２）アザジラクチン、アミドフルメト、ビフェナゼート、フルエンスルホン、ピペロニルブトキシド、ピリダリル、スルホキサフロル等の作用機構が不明あるいは不明確な化合物；又は、Ａ２３）アクリナトリン、アレスリン、ビフェントリン、シフルトリン、ラムダ−シハロトリン、シペルメトリン、アルファ−シペルメトリン、ベータ−シペルメトリン、ゼータ−シペルメトリン、デルタメトリン、エスフェンバレレート、エトフェンプロックス、フェンプロパトリン、フェンプロパトリン、フェンバレレート、フルシトリネート、タウ−フルバリネート、ペルメトリン、シラフルオフェン及びトラロメトリンを含むピレスロイド類由来のナトリウムチャネルモジュレータ、からなる群から選択される、
ことを特徴とする請求項２に記載の組成物。
【請求項４】
前記化学的農薬は、殺真菌剤である、
ことを特徴とする請求項１に記載の組成物。
【請求項５】
前記殺真菌剤は、Ｂ０）ベンゾビンジフルピル、アンチペロノスポリック（anitiperonosporic）、アメトクトラジン、アミスルブロム、銅塩（例えば、水酸化銅、酸塩化銅、硫酸銅、過硫酸銅）、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブティリス・シノニム、バチルス・アミロリクエファシエンス（例えば、ＱＳＴ  ７１３、ＦＺＢ２４、ＭＢＩ６００、Ｄ７４７株）、メラレウカ・アルテルニフォリア（Melaleuca alternifolia）抽出物、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸及び塩、テクロフタラム（teclofthalam）、トリアゾキシド（triazoxide）、ピリオフェノン、有機油、炭酸水素カリウム、クロロタロニル、フルオロイミド；Ｂ１）ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノール及びイマザリルスルフェートを含むアゾール；Ｂ２）アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミド及び３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；Ｂ３）カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド、Ｎ−（３’，５−ジフルオロ−４’−メチル−ビフェニル−２−イル）−３���ジフルオロメチル−１−メチル−１Ｈ−ピラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロ���フェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、
Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミド及びＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；Ｂ４）フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸及びピペラリンを含む複素環式化合物；Ｂ５）マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；又は、Ｂ６）グアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸及びその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、シモキサニル、ジメチリモール、エチリモール、フララキシル、メトラフェノン及びスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノール及びその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤、からなる群から選択される、
ことを特徴とする請求項４に記載の組成物。
【請求項６】
前記化学的農薬は、除草剤である、
ことを特徴とする請求項１に記載の組成物。
【請求項７】
前記除草剤は、
Ｃ１）アセチル−ＣｏＡカルボキシラーゼ阻害剤（ＡＣＣ）、例えば、アロキシジム、クレトジム、クロプロキシジム、シクロキシジム、セトキシジム、トラルコキシジム、ブトロキシジム、クレフォキシジム若しくはテプラロキシジム等のシクロヘキセノンオキシムエーテル；クロジナホップ−プロパルギル、シハロホップ−ブチル、ジクロホップ−メチル、フェノキサプロップ−エチル、フェノキサプロップ−Ｐ−エチル、フェンチアプロップエチル、フルアジホップ−ブチル、フルアジホップ−Ｐ−ブチル、ハロキシホップ−エトキシエチル、ハロキシホップ−メチル、ハロキシホップ−Ｐ−メチル、イソキサピリホップ、プロパキザホップ、キザロホップ−エチル、キザロホップ−Ｐ−エチル若しくはキザロホップ−テフリル等のフェノキシフェノキシプロピオン酸エステル；又は、フランプロップ−メチル若しくはフランプロップ−イソプロピル等のアリールアミノプロピオン酸；Ｃ２）アセトラクターゼ合成酵素阻害剤（ＡＬＳ）、例えば、イマザピル、イマザキン、イマザメタベンズ−メチル（イマザメ（imazame））、イマザモックス、イマザピック若しくはイマゼタピル等のイミダゾリノン；ピリチオバック酸、ピリチオバック−ナトリウム、ビスピリバック−ナトリウム、ＫＩＨ−６１２７若しくはピリベンゾキシム等のピリミジルエーテル；フロラスラム、フルメトスラム若しくはメトスラム等のスルホンアミド；又は、アミドスルフロン、アジムスルフロン、ベンスルフロン−メチル、クロリムロン−エチル、クロルスルフロン、シノスルフロン、シクロスルファムロン、エタメトスルフロン−メチル、エトキシスルフロン、フラザスルフロン、ハロスルフロン−メチル、イマゾスルフロン、メトスルフロン−メチル、ニコスルフロン、プリミスルフロン−メチル、プロスルフロン、ピラゾスルフロン−エチル、リムスルフロン、スルホメツロン−メチル、チフェンスルフロン−メチル、トリアスルフロン、トリベヌロン−メチル、トリフルスルフロン−メチル、トリトスルフロン、スルホスルフロン、ホラムスルフロン若しくはヨードスルフロン等のスルホニル尿素；Ｃ３）アミド、例えば、アリドクロル（ＣＤＡＡ）、ベンゾイルプロップ−エチル、ブロモブチド、クロルチアミド、ジフェナミド、エトベンザニド、フルチアミド、ホサミン又はモナリド；Ｃ４）オーキシン除草剤、例えば、クロピラリド若しくはピクロラム等のピリジンカルボン酸；又は、２，４−Ｄ若しくはベナゾリン；Ｃ５）オーキシン輸送阻害剤、例えば、ナプタラメ又はジフルフェンゾピル；Ｃ６）カロテノイド生合成阻害剤、例えば、ベンゾフェナップ、クロマゾン、ジフルフェニカン、フルオロクロリドン、フルリドン、ピラゾリネート、ピラゾキシフェン、イソキサフルトール、イソキサクロルトール、メソトリオン、スルコトリオン（クロルメスロン）、ケトスピラドックス、フルルタモン、ノルフルラゾン又はアミトロール；Ｃ７）エノールピルビルシキミ酸−３−リン酸合成酵素阻害剤（ＥＰＳＰＳ）、例えば、グリホサート又はスルホサート；Ｃ８）グルタミン合成酵素阻害剤、例えば、ビアラホス又はグルホシネート−アンモニウム；Ｃ９）脂質生合成阻害剤、例えば、アニロホス若しくはメフェナセット等の��ニリド；ジメテナミド、Ｓ−ジメテナミド、アセトクロール、アラクロール、ブタクロール、ブテナクロール、ジエタチル−エチル、ジメタクロール、メタザクロール、メトラクロール、Ｓ−メトラクロール、プレチラクロール、プロパクロール、プリナクロール、テルブクロール、テニルクロール若しくはキシラクロール等のクロロアセトアニリド；ブチレート、シクロエート、ジ−アレート、ジメピペレート、ＥＰＴＣ．エスプロカルブ、モリネート、ペブレート、プロスルホカルブ、チオベンカルブ（ベンチオカルブ）、トリ−アレート若しくはバーナレート等のチオ尿素；又は、ベンフレセート若しくはパーフルイドン；Ｃ１０）有糸分裂阻害剤、例えば、アシュラム、カルベタミド、クロルプロファム、オルベンカルブ、プロピザミド、プロファム若しくはチオカルバジル等のカルバメート；ベネフィン、ブトラリン、ジニトラミン、エタルフルラリン、フルクロラリン、オリザリン、ペンジメタリン、プロジアミン若しくはトリフルラリン等のジニトロアニリン；ジチオピル若しくはチアゾピル等のピリジン；又は、ブタミホス、クロルタール−ジメチル（ＤＣＰＡ）若しくはマレイン酸ヒドラジド；Ｃ１１）プロトポルフィリノーゲンＩＸオキシダーゼ阻害剤、例えば、アシフルオルフェン、アシフルオルフェン−ナトリウム、アクロニフェン、ビフェノックス、クロミトロフェン（ＣＮＰ）、エトキシフェン、フルオロジフェン、フルオログリコフェン−エチル、フォメサフェン、フリロキシフェン、ラクトフェン、ニトロフェン、ニトロフルオルフェン若しくはオキシフルオルフェン等のジフェニルエーテル；オキサジアルギル若しくはオキサジアゾン等のオキサジアゾール；アザフェニジン、ブタフェナシル、カルフェントラゾン、カルフェントラゾン−エチル、シニドン−エチル、フルミクロラックペンチル、フルミオキサジン、フルミプロピン、フルプロパシル、フルチアセット−メチル、スルフェントラゾン若しくはチジアジミン等の環状イミド；又は、ＥＴ−７５１、ＪＶ  ４８５若しくはニピラクロフェン等のピラゾール；Ｃ１２）光合成阻害剤、例えば、プロパニル、ピリデート若しくはピリダフォル；ベンタゾン等のベンゾチアジアジノン；ジニトロフェノール、例えば、ブロモフェノキシム、ジノセブ、ジノセブ−アセテート、ジノテルブ若しくはＤＮＯＣ；シペルクアット−クロリド、ジフェンゾクワット−メチルスルフェート、ジクワット若しくはパラコート−ジクロリド等のジピリジレン；クロルブロムロン、クロロトルロン、ジフェノクスロン、ジメフロン、ジウロン、エチジムロン、フェヌロン、フルオメツロン、イソプロチュロン、イソウロン、リヌロン、メタベンズチアズロン、メタゾール、メトベンズロン、メトキスロン、モノリニュロン、ネブロン、シデュロン若しくはテブチウロン等の尿素；ブロモキシニル若しくはイオキシニル等のフェノール；クロリダゾン；アメトリン、アトラジン、シアナジン、デスメイン、ジメタメトリン、ヘキサジノン、プロメトン、プロメトリン、プロパジン、シマジン、シメトリン、テルブメトン、テルブトリン、テルブチラジン若しくはトリエタジン等のトリアジン；メタミトロン等のトリアジノン；ブロマシル、レナシル若しくはテルバシル等のウラシル；又は、デスメジファム若しくはフェンメジファム等のビスカルバメート；Ｃ１３）相乗剤、例えば、トリジファン等のオキシラン；Ｃ１４）ＣＩＳ細胞壁合成阻害剤、例えば、イソキサベン又はジクロベニル；Ｃ１６）様々な他の除草剤、例えば、ダラポン等のジクロロプロピオン酸；エトフメセート等のジヒドロベンゾフラン；クロルフェナック（フェナック）等のフェニル酢酸；又は、アジプロトリン、バルバン、ベンスリド、ベンズチアズロン、ベンゾフルオール、ブミナホス、ブチダゾール、ブツロン、カフェンストロール、クロルブファム、クロルフェンプロップ−メチル、クロロクスロン、シンメチリン、クミルロン、シクルロン、シプラジン、シプラゾール、ジベンジルロン、ジプロペトリン、ダイムロン、エグリナジン−エチル、エンドタール、エチオジン、フルカバゾン、フルオルベントラニル、フルポキサム、イソカルバミド、イソプロパリン、カルブチレート、メフルイジド、モヌロン、ナプロップアミド、ナプロップアニリド、ニトラリン、オキサシクロメフォン、フェニソファム、ピペロホス、プロシアジン、プロフルアリン、ピリブチカルブ、セクブメトン、スルファレート（ＣＤＥＣ）、テルブカルブ、トリアジフラム、トリアゾフェナミド若しくはトリメツロン；又は、それらの環境適合性の塩、
からなる群から選択される、
ことを特徴とする請求項６に記載の組成物。
【請求項８】
前記化学的農薬は、殺線虫剤である、
ことを特徴とする請求項１に記載の組成物。
【請求項９】
前記殺線虫剤は、ベノミル、クロエトカルブ、アルドキシカルブ、ティルペート（tirpate）、ジアミダホス、フェナミホス、カズサホス、ジクロフェンチオン、エトプロホス、フェンスルホチオン、ホスチアゼート、ヘテロホス、イサミドホフ（isamidofof）、イサゾホス、ホスホカルブ、チオナジン、イミシアホス、メカルホン、アセトプロール、ベンクロチアズ、クロルピクリン、ダゾメット、フルエンスルホン、１，３−ジクロロプロペン（telone）、ジメチルジスルフィド、メタムナトリウム、メタムカリウム、メタム塩（全てのＭＩＴＣジェネレーター）、メチルブロミド、土壌改良剤（例えば、マスタードシード、マスタードシード抽出物）、土壌燻蒸剤、アリルイソチオシアネート（ＡＩＴＣ）、ジメチルスルフェート、及びフルフラール（furfual）（アルデヒド）からなる群から選択される、
ことを特徴とする請求項８に記載の組成物。
【請求項１０】
前記菌株は、胞子又は栄養細胞の形態で存在する、
ことを特徴とする請求項１に記載の組成物。
【請求項１１】
前記菌株は、バチルス属の株である、
ことを特徴とする請求項１に記載の組成物。
【請求項１２】
前記バチルス属は、バチルス・プミルス、バチルス・リケニフォルミス、バチルス・サブティリス、又はそれらの組み合わせである、
ことを特徴とする請求項１１に記載の組成物。
【請求項１３】
前記バチルス・プミルスは、ＰＴＡ−１２１１６４として寄託されているバチルス・プミルスＲＴＩ２７９である、
ことを特徴とする請求項１２に記載の組成物。
【請求項１４】
前記バチルス・リケニフォルミスは、受託番号ＤＳＭ１７２３６として寄託されているバチルス・リケニフォルミスＣＨ２００である
ことを特徴とする請求項１２に記載の組成物。
【請求項１５】
前記組成物は、液体、粉剤、延展性顆粒剤、乾燥水和性粉末剤、又は乾燥水和性顆粒剤の形態である、
ことを特徴とする請求項１に記載の組成物。
【請求項１６】
前記菌株は、ＰＴＡ−１２１１６４として寄託されており、１．０×１０９ＣＦＵ／ｇ〜１．０×１０１２ＣＦＵ／ｇの範囲の濃度で存在するバチルス・プミルスＲＴＩ２７９、又は受託番号ＤＳＭ１７２３６として寄託されており、１．０×１０９ＣＦＵ／ｇ〜１．０×１０１２ＣＦＵ／ｇの範囲の量で存在するバチルス・リケニフォルミスＣＨ２００である、
ことを特徴とする請求項１５に記載の組成物。
【請求項１７】
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする請求項１に記載の組成物。
【請求項１８】
前記植物は、コーンを含む、
ことを特徴とする請求項１７に記載の組成物。
【請求項１９】
前記植物の成長利益は、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする請求項１に記載の組成物。
【請求項２０】
液体肥料として適切な製剤中に、植物の成長に有益な特性を有する細菌又は真菌の株の生物学的に純粋な培養物と、土壌殺虫剤と、を含み、
前記細菌又は真菌の株と前記土壌殺虫剤とは、植物の成長に利益を与えるために適切な量で存在する、
ことを特徴とする植物の成長に利益を与える組成物。
【請求項２１】
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンの１つまたは組み合わせである、
ことを特徴とする請求項２０に記載の組成物。
【請求項２２】
前記殺虫剤は、ビフェントリンを含み、前記組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項２１に記載の組成物。
【請求項２３】
前記ビフェントリン殺虫剤は、０．１ｇ／ｍｌ〜０．２ｇ／ｍｌの範囲の濃度で存在する、
ことを特徴とする請求項２２に記載の組成物。
【請求項２４】
前記ビフェントリン殺虫剤は、約０．１７１５ｇ／ｍｌの濃度で存在する、
ことを特徴とする請求項２２に記載の組成物。
【請求項２５】
前記土壌殺虫剤は、ビフェントリン及びクロチアニジンを含む、
ことを特徴とする請求項２１に記載の組成物。
【請求項２６】
前記殺虫剤は、ビフェントリン又はゼータ−シペルメトリンを含む、
ことを特徴とする請求項２１に記載の組成物。
【請求項２７】
植物の成長に利益を与えるために、及び／又は感受性植物における病原体感染に対する保護を与えるために十分な量で存在する微生物又は化学殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする請求項２０に記載の組成物。
【請求項２８】
前記殺線虫剤は、カズサホスを含む、
ことを特徴とする請求項２７に記載の組成物。
【請求項２９】
前記菌株は、胞子又は栄養細胞の形態である、
ことを特徴とする請求項２０に記載の組成物。
【請求項３０】
前記菌株は、バチルス属の株である、
ことを特徴とする請求項２０に記載の組成物。
【請求項３１】
前記バチルス属は、バチルス・プミルス、バチルス・リケニフォルミス、バチルス・サブティリス、又はそれらの組み合わせである、
ことを特徴とする請求項３０に記載の組成物。
【請求項３２】
前記バチルス・プミルスは、ＰＴＡ−１２１１６４として寄託されているバチルス・プミルスＲＴＩ２７９である、
ことを特徴とする請求項３１に記載の組成物。
【請求項３３】
前記バチルス・リケニフォルミスは、受託番号ＤＳＭ１７２３６として寄託されているバチルス・リケニフォルミスＣＨ２００である、
ことを特徴とする請求項３１に記載の組成物。
【請求項３４】
前記組成物は、液体、粉剤、延展性顆粒剤、乾燥水和性粉末剤、又は乾燥水和性顆粒剤の形態である、
ことを特徴とする請求項２０に記載の組成物。
【請求項３５】
前記菌株は、ＰＴＡ−１２１１６４として寄託されており、１．０×１０９ＣＦＵ／ｇ〜１．０×１０１２ＣＦＵ／ｇの範囲の濃度で存在するバチルス・プミルスＲＴＩ２７９、又は受託番号ＤＳＭ１７２３６として寄託されており、１．０×１０９ＣＦＵ／ｇ〜１．０×１０１２ＣＦＵ／ｇの範囲の量で存在するバチルス・リケニフォルミスＣＨ２００である、
ことを特徴とする請求項３４に記載の組成物。
【請求項３６】
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする請求項２０に記載の組成物。
【請求項３７】
前記植物は、コーンを含む、
ことを特徴とする請求項３６に記載の組成物。
【請求項３８】
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする請求項２０に記載の組成物。
【請求項３９】
植物の成長に有益な特性を有する細菌又は真菌の株の生物学的に純粋な培養物を有する第１の組成物を含む第１の成分と、
土壌殺虫剤を有する第２の組成物を含む第２の成分と、
液体肥料  液体肥料として適切な製剤中に存在し、植物の成長に利益を与えるために適切な量で存在する、前記第１の組成物及び前記第２の組成物の組み合わせを、植物の種、植物の根、植物の切断片、植物の移植片、植物のカルス組織、植物の周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達するための指示書と、を含み、
前記第１の成分と前記第２の成分は別々に包装されており、各成分は液体肥料として適切な製剤中に存在し、各成分は、植物の成長に利益を与えるのに適切な量で存在する、
ことを特徴とする製品。
【請求項４０】
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンのうちの１つ又は組み合わせである、
ことを特徴とする請求項３９に記載の製品。
【請求項４１】
前記殺虫剤は、ビフェントリンであり、前記第２の組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項４０に記載の製品。
【請求項４２】
前記ビフェントリン殺虫剤は、０．１ｇ／ｍｌ〜０．２ｇ／ｍｌの範囲の濃度で存在する、
ことを特徴とする請求項４１に記載の製品。
【請求項４３】
前記ビフェントリン殺虫剤は、約０．１７１５ｇ／ｍｌの濃度で存在する、
ことを特徴とする請求項４１に記載の製品。
【請求項４４】
前記土壌殺虫剤は、ビフェントリン及びクロチアニジンを含む、
ことを特徴とする請求項３９に記載の製品。
【請求項４５】
前記殺虫剤は、ビフェントリン又はゼータ−シペルメトリンを含む、
ことを特徴とする請求項４０に記載の製品。
【請求項４６】
植物の成長に利益を与えるために、及び／又は感受性植物における病原体感染に対する保護を与えるために十分な量で存在する微生物学的又は化学的殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする請求項３９に記載の製品。
【請求項４７】
前記殺線虫剤は、カズサホスを含む、
ことを特徴とする請求項４６に記載の製品。
【請求項４８】
前記菌株は、胞子又は栄養細胞の形態である、
ことを特徴とする請求項３９に記載の製品。
【請求項４９】
前記菌株は、バチルス属の株である、
ことを特徴とする請求項３９に記載の製品。
【請求項５０】
前記バチルス属は、バチルス・プミルス、バチルス・リケニフォルミス、バチルス・サブティリス、又はこれらの組み合わせである、
ことを特徴とする請求項４９に記載の製品。
【請求項５１】
前記バチルス・プミルスは、ＰＴＡ−１２１１６４として寄託されているバチルス・プミルスＲＴＩ２７９である、
ことを特徴とする請求項５０に記載の製品。
【請求項５２】
前記バチルス・リケニフォルミスは、受託番号ＤＳＭ１７２３６として寄託されているバチルス・リケニフォルミスＣＨ２００である、
ことを特徴とする請求項５０に記載の製品。
【請求項５３】
前記第１の組成物及び前記第２の組成物のそれぞれは、液体、粉剤、延展性顆粒剤、乾燥水和性粉末剤、又は乾燥水和性顆粒剤の形態である、
ことを特徴とする請求項３９に記載の製品。
【請求項５４】
前記菌株は、ＰＴＡ−１２１１６４として寄託されているバチルス・プミルスＲＴＩ２７９であり、
植物の成長に利益を与えるのに適切な前記バチルス・プミルスＲＴＩ２７９の量は、１．０×１０８ＣＦＵ／ｈａ〜１．０×１０１３ＣＦＵ／ｈａの範囲である、
ことを特徴とする請求項３９に記載の製品。
【請求項５５】
前記菌株は、受託番号ＤＳＭ１７２３６として寄託されているバチルス・リケニフォルミスＣＨ２００であり、
植物の成長に利益を与えるのに適切な前記バチルス・リケニフォルミスＣＨ２００の量は、１．０×１０８ＣＦＵ／ｈａ〜１．０×１０１３ＣＦＵ／ｈａの範囲である、
ことを特徴とする請求項３９に記載の製品。
【請求項５６】
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする請求項３９に記載の製品。
【請求項５７】
前記植物は、コーンを含む、
ことを特徴とする請求項５６に記載の製品
【請求項５８】
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする請求項３９に記載の製品。
【請求項５９】
成長促進微生物及び土壌殺虫剤を有する液体肥料中の組成物を、植物に送達することを含み、
前記組成物は、植物の成長に有益な特性を有する細菌又は真菌の株の生物学的に純粋な培養物と、土壌殺虫剤とを液体肥料として適切な製剤中に含み、前記細菌又は真菌の株及び前記土壌殺虫剤は、それぞれ植物の成長に利益を与えるために十分な量で存在し、
前記組成物は、液体肥料中に、植物の成長に利益を与えるために適切な量で、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【請求項６０】
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする請求項５９に記載の方法。
【請求項６１】
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンの１つ又は組み合わせである、
ことを特徴とする請求項５９に記載の方法。
【請求項６２】
前記殺虫剤は、ビフェントリンであり、前記組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項６１に記載の方法。
【請求項６３】
前記土壌殺虫剤は、ビフェントリン又はクロチアニジンを含む、
ことを特徴とする請求項６１に記載の方法。
【請求項６４】
前記殺虫剤は、ビフェントリン又はゼータ−シペルメトリンを含む、
ことを特徴とする請求項６１に記載の方法。
【請求項６５】
植物の成長に利益を与えるために、及び／又は感受性植物における病原体感染に対する保護を与えるために十分な量で存在する微生物又は化学殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする請求項５９に記載の方法。
【請求項６６】
前記殺線虫剤は、カズサホスを含む、
ことを特徴とする請求項６５に記載の方法。
【請求項６７】
前記菌株は、胞子又は栄養細胞の形態である、
ことを特徴とする請求項５９に記載の方法。
【請求項６８】
前記菌株は、バチルス属の株である、
ことを特徴とする請求項５９に記載の方法。
【請求項６９】
前記バチルス属は、バチルス・プミルス、バチルス・リケニフォルミス、バチルス・サブティリス、又はそれらの組み合わせである、
ことを特徴とする請求項６８に記載の方法。
【請求項７０】
前記バチルス・プミルスは、ＰＴＡ−１２１１６４として寄託されているバチルス・プミルスＲＴＩ２７９である、
ことを特徴とする請求項６９に記載の方法。
【請求項７１】
前記バチルス・リケニフォルミスは、受託番号ＤＳＭ１７２３６として寄託されているバチルス・リケニフォルミスＣＨ２００である、
ことを特徴とする請求項６９に記載の方法。
【請求項７２】
前記菌株は、ＰＴＡ−１２１１６４として寄託されているバチルス・プミルスＲＴＩ２７９であり、
植物の成長に利益を与えるために適切な前記バチルス・プミルスＲＴＩ２７９の量は、１．０×１０８ＣＦＵ／ｈａ〜１．０×１０１３ＣＦＵ／ｈａの範囲である、
ことを特徴とする請求項５９に記載の方法。
【請求項７３】
前記菌株は、受託番号ＤＳＭ１７２３６として寄託されているバチルス・リケニフォルミスＣＨ２００であり、
植物の成長に利益を与えるために適切な前記バチルス・リケニフォルミスＣＨ２００の量は、１．０×１０８ＣＦＵ／ｈａ〜１．０×１０１３ＣＦＵ／ｈａの範囲である、
ことを特徴とする請求項５９に記載の方法。
【請求項７４】
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする請求項５９に記載の方法。
【請求項７５】
前記植物は、コーンを含む、
ことを特徴とする請求項７４に記載の方法。
【請求項７６】
植物の成長に有益な特性を有する細菌又は真菌の株の生物学的に純粋な培養物を有する第１の組成物を含む第１の成分と、
土壌殺虫剤を有する第２の組成物を含む第２の成分と、
の組み合わせを、液体肥料において、植物の成長に利益を与えるために適切な量で、送達することを含み、
各成分は液体肥料として適切な製剤中に存在し、各成分は植物の成長に利益を与えるために十分な量で存在し、前記組み合わせは、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【請求項７７】
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする請求項７６に記載の方法。
【請求項７８】
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンの１つ又は組み合わせである、
ことを特徴とする請求項７６に記載の方法。
【請求項７９】
前記殺虫剤は、ビフェントリンであり、前記第２の組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項７８に記載の方法。
【請求項８０】
前記土壌殺虫剤は、ビフェントリン及びクロチアニジンを含む、
ことを特徴とする請求項７８に記載の方法。
【請求項８１】
前記殺虫剤は、ビフェントリン又はゼータ−シペルメトリンを含む、
ことを特徴とする請求項７８に記載の方法。
【請求項８２】
植物の成長に利益を与えるために、及び／又は感受性植物における病原体感染に対する保護を与えるために十分な量で存在する微生物又は化学殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする請求項７６に記載の方法。
【請求項８３】
前記殺線虫剤は、カズサホスを含む、
ことを特徴とする請求項８２に記載の方法。
【請求項８４】
前記菌株は、胞子又は栄養細胞の形態である、
ことを特徴とする請求項７６に記載の方法。
【請求項８５】
前記菌株は、バチルス属の株である、
ことを特徴とする請求項７６に記載の方法。
【請求項８６】
前記バチルス属は、バチルス・プミルス、バチルス・リケニフォルミス、バチルス・サブティリス、又はこれらの組み合わせである、
ことを特徴とする請求項８５に記載の方法。
【請求項８７】
前記バチルス・プミルスは、ＰＴＡ−１２１１６４として寄託されているバチルス・プミルスＲＴＩ２７９である、
ことを特徴とする請求項８６に記載の方法。
【請求項８８】
前記バチルス・リケニフォルミスは、受託番号ＤＳＭ１７２３６として寄託されているバチルス・リケニフォルミスＣＨ２００である、
ことを特徴とする請求項８６に記載の方法。
【請求項８９】
前記菌株は、ＰＴＡ−１２１１６４として寄託されているバチルス・プミルスＲＴＩ２７９であり、
植物の成長に利益を与えるためにに適切な前記バチルス・プミルスＲＴＩ２７９の量は、１．０×１０８ＣＦＵ／ｈａ〜１．０×１０１３ＣＦＵ／ｈａの範囲である、
ことを特徴とする請求項７６に記載の方法。
【請求項９０】
前記菌株は、受託番号ＤＳＭ１７２３６として寄託されているバチルス・リケニフォルミスＣＨ２００であり、
植物の成長に利益を与えるために適切な前記バチルス・リケニフォルミスＣＨ２００の量は、１．０×１０８ＣＦＵ／ｈａ〜１．０×１０１３ＣＦＵ／ｈａの範囲である、
ことを特徴とする請求項７６に記載の方法。
【請求項９１】
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする請求項７６に記載の方法。
【請求項９２】
前記植物は、コーンを含む、
ことを特徴とする請求項９１に記載の方法。
【請求項９３】
ＰＴＡ−１２１１６４として寄託されているバチルス・プミルスＲＴＩ２７９の胞子の生物学的に純粋な培養物と、ビフェントリン殺虫剤とを、液体肥料として適切な製剤中に含み、前記バチルス・プミルスＲＴＩ２７９と前記ビフェントリン殺虫剤とは、植物の成長に利益を与えるために適切な量で存在する、
ことを特徴とする植物の成長に利益を与える組成物。
【請求項９４】
受託番号ＤＳＭ１７２３６として寄託されているバチルス・リケニフォルミスＣＨ２００胞子の生物学的に純粋な培養物と、ビフェントリン殺虫剤とを、液体肥料として適切な製剤中に含み、前記バチルス・リケニフォルミスＣＨ２００と前記ビフェントリン殺虫剤のそれぞれは、植物の成長に利益を与えるために適切な量で存在する、
ことを特徴とする植物の成長に利益を与える組成物。
【請求項９５】
受託番号ＤＳＭ１７２３６として寄託されているバチルス・リケニフォルミスＣＨ２００の胞子の生物学的に純粋な培養物を有する第１の組成物と、
液体肥料として製剤されたビフェントリン殺虫剤を有する第２の組成物と、
液体肥料として適切な製剤中にあり、植物の成長に利益を与えるために適切な量で、前記第１の組成物及び前記第２の組成物の組み合わせを、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達するための指示書と、を含み、
前記第１の組成物及び前記第２の組成物は別々に包装されており、各成分は、液体肥料中に植物の成長に利益を与えるために適切な量で存在する、
ことを特徴とする製品。
【請求項９６】
ＰＴＡ−１２１１６４として寄託されているバチルス・プミルスＲＴＩ２７９の胞子の生物学的に純粋な培養物を有する第１の組成物と、
液体肥料として製剤されたビフェントリン殺虫剤を有する第２の組成物と、
液体肥料中に植物の成長に利益を与えるために適切な量で存在する、前記第１の組成物及び前記第２の組成物を、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達するための指示書と、を含み、
前記第１の組成物及び前記第２の組成物は別々に包装されており、各成分は、植物の成長に利益を与えるために適切な量で存在する、
ことを特徴とする製品。
【請求項９７】
液体肥料中に成長促進微生物と土壌殺虫剤とを有する組成物を、植物に送達することを含み、
前記組成物は、ＰＴＡ−１２１１６４として寄託されているバチルス・プミルスＲＴＩ２７９の生物学的に純粋な培養物の胞子と、ビフェントリン殺虫剤とを液体肥料として適切な製剤中に含み、
前記バチルス・プミルスＲＴＩ２７９と前記ビフェントリン殺虫剤のそれぞれは、植物の成長に利益を与えるために十分な量で存在し、
液体肥料中に植物の成長に利益を与えるために適切な量で存在する、前記組成物を、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達する、
ことを特徴とする植物の成長に利益を与えるための方法。
【請求項９８】
液体肥料中に成長促進微生物と土壌殺虫剤とを有する組成物を、植物に送達することを含み、
前記組成物は、受託番号ＤＳＭ１７２３６として寄託されているバチルス・リケニフォルミスＣＨ２００の生物学的に純粋な培養物の胞子と、ビフェントリン殺虫剤とを液体肥料として適切な製剤中に含み、
前記バチルス・リケニフォルミスＣＨ２００と前記ビフェントリン殺虫剤とのそれぞれは、植物の成長に利益を与えるために十分な量で存在し、
液体肥料中に、植物の成長に利益を与えるために適切な量で存在する、前記組成物を、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達する、
ことを特徴とする植物の成長に利益を与えるための方法。
【請求項９９】
液体肥料中に、植物の成長に利益を与えるために適切な量で存在する、受託番号ＤＳＭ１７２３６として寄託されているバチルス・リケニフォルミスＣＨ２００の生物学的に純粋な培養物を有する第１の組成物と、ビフェントリン殺虫剤を有する第２の組成物との組み合わせを植物に送達することを含み、
各組成物は、液体肥料として適切な製剤中に存在し、各成分は、植物の成長に利益を与えるために適切な量で存在し、前記組み合わせは、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【請求項１００】
液体肥料中に、植物の成長に利益を与えるために適切な量で存在する、ＰＴＡ−１２１１６４として寄託されているバチルス・プミルスＲＴＩ２７９生物学的に純粋な培養物を有する第１の組成物と、ビフェントリン殺虫剤を有する第２の組成物との組み合わせを植物に送達することを含み、
各組成物は、液体肥料として適切な製剤中に存在し、各成分は、植物の成長に利益を与えるために適切な量で存在し、前記組み合わせは、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【請求項１０１】
植物成長促進特性を有する細菌株の生物学的に純粋な培養物を少なくとも１つ含む第１の組成物を含有する第１のコンテナと、
少なくとも１つの農薬を含む第２の組成物を含有する第２のコンテナと、を含み、
前記第１の組成物及び前記第２の組成物は、液体肥料と相溶性を有する製剤中に存在する、
ことを特徴とする製品。
【請求項１０２】
前記農薬は、殺虫剤、殺真菌剤、除草剤、又は殺線虫剤である、
ことを特徴とする請求項１０１に記載の製品。
【請求項１０３】
前記農薬は、ピレスロイド、ビフェントリン、テフルトリン、シペルメトリン、ゼータ−シペルメトリン、ラムダ−シハロトリン、ガンマ−シハロトリン、デルタメトリン、シフルトリン、アルファシペルメトリン、ペルメトリン、有機リン酸塩、クロルピリホス−エチル、テブピリムホス、テルブホス、エトプロホス、カズサホス、ニコチノイド、イミダクロプリド、チアメトキザム、クロチアニジン、カルバメート、チオジカルブ、オキサミル、カルボフラン、カルボスルファン、フィプロール、フィプロニル及びエチプロールからなる群から選択される土壌殺虫剤である、
ことを特徴とする請求項１０１に記載の製品。
【請求項１０４】
前記農薬は、ビフェントリンである、
ことを特徴とする請求項１０１に記載の製品。
【請求項１０５】
前記第２の組成物は、更に、水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項１０４に記載の製品。
【請求項１０６】
少なくとも１つの菌株は、胞子又は栄養細胞の形態である、
ことを特徴とする請求項１０１に記載の製品。
【請求項１０７】
少なくとも１つの菌株は、バチルス属の株である、
ことを特徴とする請求項１０１に記載の製品。
【請求項１０８】
少なくとも１つのバチルス属は、バチルス・プミルス、バチルス・リケニフォルミス、又はそれらの組み合わせである、
ことを特徴とする請求項１０７に記載の製品。
【請求項１０９】
少なくとも１つのバチルス属は、バチルス・プミルスＲＴＩ２７９（ＡＴＣＣ受託番号ＰＴＡ−１２１１６４）である、
ことを特徴とする請求項１０７に記載の製品。
【請求項１１０】
少なくとも１つのバチルス・プミルスＲＴＩ２７９は、１．０×１０９ＣＦＵ／ｇ〜１．０×１０１２ＣＦＵ／ｇの濃度で存在する、
ことを特徴とする請求項１０９に記載の製品。
【請求項１１１】
少なくとも１つのバチルス属は、バチルス・リケニフォルミスＣＨ２００（ＤＳＭＺ受託番号ＤＳＭ１７２３６）である、
ことを特徴とする請求項１０７に記載の製品。
【請求項１１２】
少なくとも１つのバチルス・リケニフォルミスＣＨ２００は、１．０×１０９ＣＦＵ／ｇ〜１．０×１０１２ＣＦＵ／ｇの濃度で存在する、
ことを特徴とする請求項１１１に記載の製品。
【請求項１１３】
バチルス・リケニフォルミスＣＨ２００（ＤＳＭＺ受託番号ＤＳＭ１７２３６）の生物学的に純粋な培養物を含む第１の組成物を含有する第１のコンテナと、
ビフェントリンを含む第２の組成物を含有する第２のコンテナと、を含み、
前記第１の組成物及び前記第２の組成物は、液体肥料と相溶性を有する製剤中に存在する、
ことを特徴とする製品。
【請求項１１４】
前記第２の組成物は、更に、更に、水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする請求項１１３に記載の製品。
【請求項１１５】
ａ）植物成長促進特性を有する少なくとも１つの菌株の生物学的に純粋な培養物、及び
ｂ）少なくとも１つの農薬、を含む、
液体肥料と相溶性を有する製剤中に存在する、
ことを特徴とする組成物。
【請求項１１６】
前記農薬は、殺虫剤、殺真菌剤、除草剤、又は殺線虫剤である、
ことを特徴とする請求項１１５に記載の組成物。
【請求項１１７】
前記農薬は、ピレスロイド、ビフェントリン、テフルトリン、シペルメトリン、ゼータ−シペルメトリン、ラムダ−シハロトリン、ガンマ−シハロトリン、デルタメトリン、シフルトリン、アルファシペルメトリン、ペルメトリン；有機リン酸塩、クロルピリホス−エチル、テブピリムホス（tebupirimphos）、テルブホス、エトプロホス、カズサホス；ニコチノイド、イミダクロプリド、チアメトキサム、クロチアニジン、カーバメート、チオジカルブ、オキサミル、カルボフラン、カルボスルフラン、フィプロール、フィプロニル及びエチプロールからなる群から選択される土壌殺虫剤である、
ことを特徴とする請求項１１５に記載の組成物。
【請求項１１８】
前記農薬は、ビフェントリンである、
ことを特徴とする請求項１１５に記載の組成物。
【請求項１１９】
少なくとも１つの菌株は、胞子又は栄養細胞の形態である、
ことを特徴とする請求項１１５に記載の組成物。
【請求項１２０】
少なくとも１つの菌株は、バチルス属の株である、
ことを特徴とする請求項１１５に記載の組成物。
【請求項１２１】
少なくとも１つのバチルス属は、バチルス・プミルス、バチルス・リケニフォルミス、又はそれらの組み合わせである、
ことを特徴とする請求項１２０に記載の組成物。
【請求項１２２】
少なくとも１つのバチルス属は、バチルス・プミルスＲＴＩ２７９（ＡＴＣＣ受託番号ＰＴＡ−１２１１６４）である、
ことを特徴とする請求項１２０に記載の組成物。
【請求項１２３】
少なくとも１つのバチルス・プミルスＲＴＩ２７９は、１．０×１０９ＣＦＵ／ｇ〜１．０×１０１２ＣＦＵ／ｇの濃度で存在する、
ことを特徴とする請求項１２２に記載の組成物。
【請求項１２４】
少なくとも１つのバチルス属は、バチルス・リケニフォルミスＣＨ２００（ＤＳＭＺ受託番号ＤＳＭ１７２３６）である、
ことを特徴とする請求項１２０に記載の組成物。
【請求項１２５】
少なくとも１つのバチルス・リケニフォルミスＣＨ２００は、１．０×１０９ＣＦＵ／ｇ〜１．０×１０１２ＣＦＵ／ｇの濃度で存在する、
ことを特徴とする請求項１２４に記載の組成物。
【請求項１２６】
液体肥料中に、ａ）植物成長促進特性を有する少なくとも１つの細菌株の生物学的に純粋な培養物と、ｂ）土壌殺虫剤とを含む組成物を、植物に又は植物の一部に送達することを含み、
前記細菌株と前記土壌殺虫剤はそれぞれ植物の成長に利益を与えるために十分な量で存在することを特徴とし、
液体肥料中に植物の成長に利益を与えるために適切な量で存在する前記組成物は、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【請求項１２７】
少なくとも１つの菌株は、胞子又は栄養細胞形態である、
ことを特徴とする請求項１２６に記載の方法。
【請求項１２８】
少なくとも１つの菌株は、バチルス属の株である、
ことを特徴とする請求項１２６に記載の方法。
【請求項１２９】
少なくとも１つの菌株は、バチルス・プミルスＲＴＩ２７９（ＡＴＣＣ受託番号ＰＴＡ−１２１１６４）又は、バチルス・リケニフォルミスＣＨ２００（ＤＳＭＺ受託番号ＤＳＭ１７２３６）又は、それらの組み合わせである、
ことを特徴とする請求項１２６に記載の方法。
【請求項１３０】
前記土壌殺虫剤は、ビフェントリンである、
ことを特徴とする請求項１２６に記載の方法。
【発明の詳細な説明】
【技術分野】
【０００１】
（関連出願の相互参照）
本出願は、２０１４年１２月２９日に提出された米国仮特許出願第６２／０９７，１９８号及び２０１５年６月５日に提出された米国仮特許出願第６２／１７１，５８２号の優先権の利益を主張するものであり、それらの開示は、参照によりそれぞれその全体をここに取り込むものとする。
【０００２】
（技術分野）
本開示（の主題）は、植物の成長に利益を与えるための分離された微生物株を含む組成物及び製品と、それらを使用する方法に関連する。
【背景技術】
【０００３】
植物の成長と健康とに有益な効果を有する複数の微生物が、土壌中に存在し、特に根域において植物と関連して生活している（Plant Growth Promoting Rhizobacteria、「ＰＧＰＲ」）、又は植物内に内生菌として存在することが知られている。それらの有益な植物成長促進特性は、窒素固定、鉄キレート化、リン酸可溶化、有益でない微生物の阻害、害虫に対する耐性、誘導性全身抵抗（ＩＳＲ）、全身獲得抵抗（ＳＡＲ）、有用な土壌有機物を増加させるための土壌中の植物材料の分解、及び植物の成長、発達、及び干ばつ等の環境ストレスへの反応を刺激するインドール酢酸（ＩＡＡ）、アセトイン及び２，３−ブタンジオールなどの植物ホルモンの合成を含む。加えて、これらの微生物は、前駆体分子である１−アミノシクロプロパン−１−カルボキシレート（ＡＣＣ）を分解することにより、植物のエチレンストレス応答を阻害することができ、それにより植物の成長を刺激し、果実の熟成を遅らせる。これらの有益な微生物は、土壌品質、植物の成長、収量及び作物の品質を改善することができる。様々な微生物は、植物の病害をコントロールするために有用であるといった生物活性を示す。そのような生物農薬（生物およびこれらの生物によって天然に産生される化合物）は、合成肥料及び農薬よりも安全で生分解性である可能性がある。
【０００４】
これに限定されるものではないが、ボトリチス属（Botrytis spp.）（例えば、ボトリチス・シネレア（Botrytis cinerea））、フザリウム属（Fusarium spp.）（例えば、Ｆ．オキシスポラム（F. oxysporum）及びＦ．グラミネアルム（F. graminearum））、リゾクトニア属（Rhizoctonia spp.）（例えば、Ｒ．ソラニ（R. solani））、マグナポルテ属（Magnaporthe spp.）、ミコスフェレラ属（Mycosphaerella spp.）、プッチニア属（Puccinia spp.）（例えば、Ｐ．レコンディタ（P. recondita））、フィトプツロラ属（Phytopthora spp.）及びファコプソラ属（Phakopsora spp.）（例えば、Ｐ．パキリジ（P.pachyrhizi））を含む真菌性植物病原体は、農業及び園芸産業において深刻な経済的損失を引き起こし得る植物害虫の１つのタイプである。真菌性植物病原体の抑制のために化学薬品を使用することができるが、化学薬品の使用は、高コスト、有効性の欠如、真菌の耐性株の出現、及び望ましくない環境への影響を含む欠点を被る。加えて、そのような化学処理は、無差別な傾向があり、処理の標的である植物病原体に加えて有益な細菌、真菌および節足動物に悪影響を与えることがある。植物有害生物の第２のタイプは、これに限るものではないが、農業および園芸産業において深刻な経済的損失を引き起こすエルウィニア属（Erwinia spp.）（例えば、エルウィニア・クリサンテミ（Erwinia chrysanthemi））、パントエア属（Pantoea spp）（例えば、Ｐ．シトレア（P. citrea））、キサントモナス（Xanthomonas）（例えば、キサントモナス・カンペストリス（Xanthomonas campestris））、シュードモナス属（Pseudomonas spp.）（Ｐ．シリンガエ（P. syringae）など）及びラルストニア属（Ralstonia spp.）（Ｒ．ソラナケアルム（R. soleacearum）のような）を含む細菌性病原体である。真菌性病原体と同様に、これらの細菌性病原体の処理のために化学薬品を使用することは、欠点を被る。ウイルス及びウイルスのような生物は、コントロールの難しい植物病害因子の第３のタイプを含むが、細菌微生物は、誘発全身抵抗（ＩＳＲ）を介して植物に抵抗性を付与することができる。このように、病原性真菌、ウイルス及び細菌をコントロールするため生物肥料及び／又は生物農薬として適用され得る微生物は、望ましく、農業の持続性を改善することが強く求められている。植物病原体の最後のタイプは、植物の深刻なダメージと損失を生じ得る植物病原性線虫及び昆虫を含む。
【０００５】
バチルス属（Bacillus）のいくつかの種は、バイオコントロール株として報告されており、いくつかは商品に添加されている（非特許文献１）。例えば、現在バイオコントロール商品中に使用されている株は、BAYER CROP SCIENCE社製造のSONATA及びBALLAD-PLUS中で有効成分として使用されているバチルス・プミルス株ＱＳＴ２８０８（Bacillus pumilus strain QST2808）、BAYER CROP SCIENCE社製のYIELDSHIELDで有効成分として使用されているバチルス・プミルス株ＧＢ３４（Bacillus pumilus strain GB34）、BAYER CROP SCIENCE社製のSERENADEで有効成分として使用されているバチルス・サブティリス株ＱＳＴ７１３（Bacillus subtilis strain QST713）、HELENA CHEMICAL COMPANY社製のKODIAK及びSYSTEM3中で有効成分として使用されているバチルス・サブティリス株ＧＢＯ３（Bacillus subtilis strain GBO3）、を含む。バチルス・チューリンゲンシス（Bacillus thuringiensis）及びバチルス・フィルムス（Bacillus firmus）の様々な株が、線虫及び媒介昆虫に対するバイオコントロール剤として添加されており、これらの株は、BAYER CROP SCIENCE社製のNORTICA及びPONCHO-VOTIVOを含む多数の市販のバイオコントロール製品の基礎として機能する。加えて、市販の生物刺激製品に現在使用されているバチルス属の株は、ABiTEP GmbH社製のRHIZOVITAL 42中の有効成分として使用されているバチルス・アミロリケファシエンス株ＦＺＢ４２（Bacillus amyloliquefaciens strain FZB42）、同様にJHBiotech Inc社製のFULZYMEのような生物刺激製品中の発光抽出物を含む全ての細胞として含まれている様々なバチルス・サブティリス（Bacillus subtilis）種を含む。
【先行技術文献】
【非特許文献】
【０００６】
【非特許文献１】Kloepper, J.W. et al., Phytopathology Vol. 94, No. 11, 2004 1259-1266
【発明の概要】
【発明が解決しようとする課題】
【０００７】
本開示の主題は、植物成長の利益を得るための微生物製品、組成物及びそれらを使用する方法を提供する。
【課題を解決するための手段】
【０００８】
本発明の１つの実施形態において、植物の成長に利益を与えるための組成物が提供され、該組成物は、植物の成長に有益な特性を有する細菌又は真菌の株の生物学的に純粋な培養物と、１以上の微生物学的又は化学的農薬とを、液体肥料として適切な形態で備え、細菌又は真菌の株と１以上の微生物学的又は化学的農薬とは、それぞれ植物の成長に利益を与えるために適切な量で存在する。
【０００９】
本発明の１つの実施形態において、植物の成長に利益を与えるための組成物が提供され、該組成物は、植物の成長に利益を与える特性を有する細菌又は真菌の株の生物学的に純粋な培養物と、土壌殺虫剤と、を液体肥料として適切な形態で備え、細菌又は真菌の株と土壌殺虫剤とは、それぞれ植物の成長に利益を与えるために適切な量で存在する。
【００１０】
本発明の１つの実施形態において、組成物が提供され、該組成物は、ａ）植物成長促進特性を有する細菌株の生物学的に純粋な培養物、及びｂ）少なくとも１つの農薬を備え、該組成物は、液体肥料と相溶性を有する。
【００１１】
本発明の１つの実施形態において、製品（product）が提供され、該製品は、植物の成長に利益を与える特性を有する細菌又は真菌の株の生物学的に純粋な培養物を有する第１の組成物を含む第１の成分と、土壌殺虫剤を有する第２の組成物を含む第２の成分と、
液体肥料として適切な製剤中にあり、植物の成長に利益を与えるために適切な量で、第１の組成物及び第２の組成物を、植物の種、植物の根、植物の切断片、植物の移植片、植物のカルス組織、植物周囲の土壌又は成長培地（growth medium）、土壌又は成長培地における種まきの前の土壌又は成長培地、又は土壌又は成長培地における植物、植物の切断片、植物の移植片又は植物のカルス組織の植え付け前の土壌又は成長培地送達するための指示書と、を含み、
第１の成分と第２の成分は別々に包装されており、各成分は液体肥料として適切な製剤中に存在し、各成分は、植物の成長に利益を与えるために適切な量で存在することを特徴とする。
【００１２】
本発明の１つの実施形態において、製品が提供され、該製品は、植物成長促進特性を有する細菌株の生物学的に純粋な培養物を含む第１の組成物を含有する第１のコンテナ（container）と、少なくとも１つの農薬を含む第２の組成物を含有する第２のコンテナ（container）と、を含み、第１の組成物及び第２の組成物は、それぞれ液体肥料へ相溶性を有する製剤中に存在する。
【００１３】
本発明の１つの実施形態において、植物の成長に利益を与える方法が提供され、該方法は、成長促進微生物と土壌殺虫剤とを有する液体肥料中の組成物を、植物に送達することを含み、組成物は、植物の成長利益特性を有する細菌又は真菌の株の生物学的に純粋な培養物と、土壌殺虫剤とを、液体肥料として適切な製剤中に含み、細菌又は真菌の株及び土壌殺虫剤は、それぞれ植物の成長に利益を与えるために十分な量で存在し、組成物は、液体肥料中に、植物の成長に利益を与えるために適切な量で、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達されることを特徴とする。
【００１４】
本発明の１つの実施形態において、植物の成長に利益を与えるための方法が提供され、該方法は、植物の成長に有益な特性を有する細菌又は真菌の株の生物学的に純粋な培養物を有する第１の組成物を含む第１の成分と、土壌殺虫剤を有する第２の組成物を含む第２の成分と、の組み合わせを、液体肥料において、植物の成長に利益を与えるために適切な量で、送達することを含み、各成分は、液体肥料として適切な製剤中に存在し、各成分は、植物の成長に利益を与えるために適切な量存在し、、その組み合わせは、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達される。
【００１５】
本発明の１つの実施形態において、植物の成長に利益を与えるための方法が提供され、該方法は、液体肥料中に、ａ）植物成長促進特性を有する細菌の株の生物学的に純粋な培養物と、ｂ）土壌殺虫剤とを含む組成物を植物又は植物の一部に送達することを含み、細菌株と土壌殺虫剤は、それぞれ、植物の成長に利益を与えるために十分な量で存在し、液体肥料中に植物の成長にとって適切な量で存在する組成物は、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達される。
【００１６】
本発明の１つの実施形態において、植物の成長に利益を与えるための組成物が提供され、該組成物は、ＰＴＡ−１２１１６４として寄託されているバチルス・プミルスＲＴＩ２７９の胞子（spore）の生物学的に純粋な培養物と、ビフェントリン殺虫剤とを、液体肥料として適切な製剤中に含み、バチルス・プミルスＲＴＩ２７９とビフェントリン殺虫剤とは、植物の成長に利益を与えるために適切な量で存在することを特徴とする。
【００１７】
本発明の１つの実施形態において、植物の成長に利益を与えるための組成物が提供され、該組成物は、受託番号ＤＳＭ１７２３６として寄託されているバチルス・リケニフォルミスＣＨ２００の胞子の生物学的に純粋な培養物と、ビフェントリン殺虫剤とを、液体肥料として適切な製剤中に含み、バチルス・リケニフォルミスＣＨ２００とビフェントリン殺虫剤とは、植物の成長に利益を与えるために適切な量で存在することを特徴とする。
【００１８】
本発明の１つの実施形態において、製品が提供され、該製品は、受託番号ＤＳＭ１７２３６として寄託されているバチルス・リケニフォルミスＣＨ２００の胞子の生物学的に純粋な培養物を有する第１の組成物と、液体肥料として製剤されたビフェントリン殺虫剤を有する第２の組成物と、植物の成長に利益を与えるために適切な量で液体肥料中に存在する前記第１の組成物及び第２の組成物の組み合わせを、植物の種、植物の根、植物の切断片、植物の移植片、植物のカルス組織、植物周囲の土壌又は成長培地、土壌又は成長培地における種まきの前の土壌又は成長培地、又は土壌又は成長培地における植物、植物の切断片、植物の移植片又は植物のカルス組織の植え付け前の土壌又は成長培地に送達するための指示書と、を含み、
第１の組成物及び第２の組成物は別々に包装されており、各成分は、植物の成長に利益を与えるために適切な量であることを特徴とする。
【００１９】
本発明の１つの実施形態において、製品が提供され、該製品は、ＰＴＡ−１２１１６４として寄託されているバチルス・プミルスＲＴＩ２７９の胞子の生物学的に純粋な培養物を有する第１の組成物と、液体肥料として製剤されたビフェントリン殺虫剤を有する第２の組成物と、
植物の成長に利益を与えるために適切な量で液体肥料中に存在する前記第１の組成物及び第２の組成物の組み合わせを、植物の種、植物の根、植物の切断片、植物の移植片、植物のカルス組織、植物周囲の土壌又は成長培地、土壌又は成長培地における種まきの前の土壌又は成長培地、又は土壌又は成長培地における植物、植物の切断片、植物の移植片又は植物のカルス組織の植え付け前の土壌又は成長培地に送達するための指示書と、を含み、
第１の組成物及び第２の組成物は別々に包装されており、各成分は、植物の成長に利益を与えるために適切な量であることを特徴とする。
【００２０】
本発明の１つの実施形態において、植物の成長に利益を与えるための方法が提供され、該方法は、液体肥料中に成長促進微生物と土壌殺虫剤とを有する組成物を植物に送達することを含み、組成物は、ＰＴＡ−１２１１６４として寄託されているバチルス・プミルスＲＴＩ２７９の生物学的に純粋な培養物の胞子と、ビフェントリン殺虫剤を、液体肥料として適切な製剤中に含み、バチルス・プミルスＲＴＩ２７９とビフェントリン殺虫剤とは、それぞれ植物の成長に利益を与えるために十分な量で存在し、組成物は、液体肥料において、植物の成長のために適切な量で、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達される。
【００２１】
本発明の１つの実施形態において、植物の成長に利益を与えるための方法が提供され、該方法は、液体肥料中に成長促進微生物と土壌殺虫剤とを有する組成物を植物に送達することを含み、組成物は、受託番号ＤＳＭ１７２３６として寄託されているバチルス・リケニフォルミスＣＨ２００の生物学的に純粋な培養物の胞子と、ビフェントリン殺虫剤とを、液体肥料として適切な製剤中に含み、バチルス・リケニフォルミスＣＨ２００とビフェントリン殺虫剤とは、それぞれ植物の成長に利益を与えるために十分な量で存在し、液体肥料中に植物の成長に利益を与えるために適切な量で存在する組成物は、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達される。
【００２２】
本発明の１つの実施形態において、植物の成長に利益を与えるための方法が提供され、該方法は、受託番号ＤＳＭ１７２３６として寄託されているバチルス・リケニフォルミスＣＨ２００の生物学的に純粋な培養物を有する第１の組成物と、ビフェントリン殺虫剤を有する第２の組成物との組み合わせを、液体肥料において、植物の成長に利益を与えるために適切な量で、送達することを含み、それぞれの組成物は、液体肥料として適切な製剤中にあり、それぞれの組成物は、植物の成長に利益を与えるために適切な量で存在し、その組み合わせは、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達される。
【００２３】
本発明の１つの実施形態において、植物の成長に利益を与えるための方法が提供され、該方法は、ＰＴＡ−１２１１６４として寄託されているバチルス・プミルスＲＴＩ２７９の生物学的に純粋な培養物を有する第１の組成物と、ビフェントリン殺虫剤を有する第２の組成物との組み合わせを、液体肥料において、植物の成長に利益を与えるために適切なな量で、送達することを含み、それぞれの組成物は、液体肥料として適切な製剤中に存在し、それぞれの組成物は、植物の成長に利益を与えるために適切な量で存在し、その組み合わせは、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達される。
【図面の簡単な説明】
【００２４】
【図１】図１は、Ａ）本発明の１以上の実施形態による２つのバチルス・プミルス参照株、ＡＴＣＣ７０６１及びＡＳＦＲ−０３２の対応する領域と比較した、バチルス・プミルス株ＲＴＩ２７９で見出される浸透圧ストレス応答オペロン（osmotic stress response operon）を取り囲む及び含むゲノム組織の概略図、Ｂ）遺伝子名の略語を示す凡例、Ｃ）２つの参照株と比較したＲＴＩ２７９株の遺伝子によってコードされるタンパク質のアミノ酸同一性の百分率を示す凡例（同一性の正確なパーセントは、（Ａ）の各矢印記号の下に数字で表される）、を示す。
【図１Ｄ】図１Ｄは、図１（Ａ）の浸透圧ストレス応答オペロンインセット（inset）拡大版である。
【図２】図２は、本発明の１つ以上の実施形態に従い、生育７日後での、Ａ）非処理の対照と比較した、Ｂ）１．０４×１０６ＣＦＵ／ｍｌ、Ｃ）１．０４×１０５ＣＦＵ／ｍｌ、及びＤ）１．０４×１０４ＣＦＵ／ｍｌでバチルス・プミルスＲＴＩ２７９を接種した大豆の苗での根毛の発達におけるプラスの効果を示す写真である。
【図３Ａ】図３Ａは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均種子根長の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋６．２５×１０９ＣＦＵのＲＴＩ２７９（RTI279 (low rate)）、化学殺虫剤ＣＡＰＴＵＲＥ  ＬＦＲ＋液体肥料＋１．２５×１０１１ＣＦＵのＲＴＩ２７９（RTI279 (mid rate)）、及び化学殺虫剤ＣＡＰＴＵＲＥ  ＬＦＲ＋液体肥料＋２．５×１０１２ＣＦＵのＲＴＩ２７９（RTI279 (high rate)）を用いて同時に処理した。
【図３Ｂ】図３Ｂは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均種子根長の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋２．５×１０１２ＣＦＵのＣＨ２００（ＣＨ２００）、化学殺虫剤ＣＡＰＴＵＲＥ  ＬＦＲ＋液体肥料＋２．５×１０１２ＣＦＵのＣＨ２０１（ＣＨ２０１）、及び化学殺虫剤ＣＡＰＴＵＲＥ  ＬＦＲ＋液体肥料＋２．５×１０１２ＣＦＵのＣＨ２００＋ＣＨ２０１（ＣＨ２００＋ＣＨ２０１）を用いて同時に処理した。
【図４Ａ】図４Ａは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均節根長の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋６．２５×１０９ＣＦＵのＲＴＩ２７９（RTI279 (low rate)）、化学殺虫剤ＣＡＰＴＵＲＥ  ＬＦＲ＋液体肥料＋１．２５×１０１１ＣＦＵのＲＴＩ２７９（RTI279 (mid rate)）、及び化学殺虫剤ＣＡＰＴＵＲＥ  ＬＦＲ＋液体肥料＋２．５×１０１２ＣＦＵのＲＴＩ２７９（RTI279 (high rate)）を用いて同時に処理した。
【図４Ｂ】図４Ｂは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均節根長の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋２．５×１０１２ＣＦＵのＣＨ２００（ＣＨ２００）、化学殺虫剤ＣＡＰＴＵＲＥ  ＬＦＲ＋液体肥料＋２．５×１０１２ＣＦＵのＣＨ２０１（ＣＨ２０１）、及び化学殺虫剤ＣＡＰＴＵＲＥ  ＬＦＲ＋液体肥料＋２．５×１０１２ＣＦＵのＣＨ２００＋ＣＨ２０１（ＣＨ２００＋ＣＨ２０１）を用いて同時に処理した。
【図５Ａ】図５Ａは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均シュート長の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋６．２５×１０９ＣＦＵのＲＴＩ２７９（RTI279 (low rate)）、化学殺虫剤ＣＡＰＴＵＲＥ  ＬＦＲ＋液体肥料＋１．２５×１０１１ＣＦＵのＲＴＩ２７９（RTI279 (mid rate)）、及び化学殺虫剤ＣＡＰＴＵＲＥ  ＬＦＲ＋液体肥料＋２．５×１０１２ＣＦＵのＲＴＩ２７９（RTI279 (high rate)）を用いて同時に処理した。
【図５Ｂ】図５Ｂは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均シュート長の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋２．５×１０１２ＣＦＵのＣＨ２００（ＣＨ２００）、化学殺虫剤ＣＡＰＴＵＲＥ  ＬＦＲ＋液体肥料＋２．５×１０１２ＣＦＵのＣＨ２０１（ＣＨ２０１）、及び化学殺虫剤ＣＡＰＴＵＲＥ  ＬＦＲ＋液体肥料＋２．５×１０１２ＣＦＵのＣＨ２００＋ＣＨ２０１（ＣＨ２００＋ＣＨ２０１）を用いて同時に処理した。
【図６Ａ】図６Ａは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均乾燥シュート重量の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋６．２５×１０９ＣＦＵのＲＴＩ２７９（RTI279 (low rate)）、化学殺虫剤ＣＡＰＴＵＲＥ  ＬＦＲ＋液体肥料＋１．２５×１０１１ＣＦＵのＲＴＩ２７９（RTI279 (mid rate)）、及び化学殺虫剤ＣＡＰＴＵＲＥ  ＬＦＲ＋液体肥料＋２．５×１０１２ＣＦＵのＲＴＩ２７９（RTI279 (high rate)）を用いて同時に処理した。
【図６Ｂ】図６Ｂは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均乾燥シュート重量の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋２．５×１０１２ＣＦＵのＣＨ２００（ＣＨ２００）、化学殺虫剤ＣＡＰＴＵＲＥ  ＬＦＲ＋液体肥料＋２．５×１０１２ＣＦＵのＣＨ２０１（ＣＨ２０１）、及び化学殺虫剤ＣＡＰＴＵＲＥ  ＬＦＲ＋液体肥料＋２．５×１０１２ＣＦＵのＣＨ２００＋ＣＨ２０１（ＣＨ２００＋ＣＨ２０１）を用いて同時に処理した。
【図７Ａ】図７Ａは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均乾燥根重量の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋６．２５×１０９ＣＦＵのＲＴＩ２７９（RTI279 (low rate)）、化学殺虫剤ＣＡＰＴＵＲＥ  ＬＦＲ＋液体肥料＋１．２５×１０１１ＣＦＵのＲＴＩ２７９（RTI279 (mid rate)）、及び化学殺虫剤ＣＡＰＴＵＲＥ  ＬＦＲ＋液体肥料＋２．５×１０１２ＣＦＵのＲＴＩ２７９（RTI279 (high rate)）を用いて同時に処理した。
【図７Ｂ】図７Ｂは、本発明の１つ以上の実施形態に従い、ペニントン土壌及び中西部土壌の土壌型のそれぞれで、肥料を与えない種子と比較し、殺虫剤及び液体肥料と組み合わせて成長促進細菌株の胞子で処理したコーン種子の植え付け後１２日のコーン苗あたりの平均乾燥根重量の比較を示す棒グラフである。殺虫剤＋液体肥料及び液体肥料のみの処理も示す。グラフに見られるマイナスの効果は、肥料を種子に適用した後の浸透圧ストレスから生ずる一時的なマイナスの効果である。種子の植え付け時に、液体肥料のみ（Fertilizer）、化学殺虫剤ＣＡＰＴＵＲＥ  ＬＦＲ＋液体肥料（CAPTURE LFR+ Fertilizer）、化学殺虫剤ＣＡＰＴＵＲＥ  ＬＦＲ＋液体肥料＋２．５×１０１２ＣＦＵのＣＨ２００（ＣＨ２００）、化学殺虫剤ＣＡＰＴＵＲＥ  ＬＦＲ＋液体肥料＋２．５×１０１２ＣＦＵのＣＨ２０１（ＣＨ２０１）、及び化学殺虫剤ＣＡＰＴＵＲＥ  ＬＦＲ＋液体肥料＋２．５×１０１２ＣＦＵのＣＨ２００＋ＣＨ２０１（ＣＨ２００＋ＣＨ２０１）を用いて同時に処理した。
【図８】図８は、本発明の１つ以上の実施形態に従い、ＣＡＰＴＵＲＥ  ＬＦＲ＋液体肥料のみに対し、ＣＡＰＴＵＲＥ  ＬＦＲ＋液体肥料と組み合わせてバチルス・プミルスＲＴＩ２７９を高率（２．５×１０１３ｃｆｕ／Ｈａ）で適用した２０の試験場のうち１０の地点で得られたコーン収量における増加を示す棒グラフである。収量における増加（ブッシェル／エーカー）をｙ軸に示し、ｘ軸の棒は、収量が増加する結果となった１０の異なる地点を表す。
【図９】図９は、本発明の１つ以上の実施形態に従い、ＣＡＰＴＵＲＥ  ＬＦＲ＋液体肥料のみに対し、ＣＡＰＴＵＲＥ  ＬＦＲ＋液体肥料と組み合わせてバチルス・プミルスＲＴＩ２７９を中率（２．５×１０１２ｃｆｕ／Ｈａ）で適用した２０の試験場のうち１２の地点で得られたコーン収量における増加を示す棒グラフである。収量における増加（ブッシェル／エーカー）をｙ軸に示し、ｘ軸の棒は、収量が増加する結果となった１２の異なる地点を表す。
【図１０】図１０は、本発明の１つ以上の実施形態に従い、ＣＡＰＴＵＲＥ  ＬＦＲ＋液体肥料のみに対し、ＣＡＰＴＵＲＥ  ＬＦＲ＋液体肥料と組み合わせてバチルス・プミルスＲＴＩ２７９を低率（２．５×１０１１ｃｆｕ／Ｈａ）で適用した２０の試験場のうち１２の地点で得られたコーン収量における増加を示す棒グラフである。収量における増加（ブッシェル／エーカー）をｙ軸に示し、ｘ軸の棒は、収量が増加する結果となった１２の異なる地点を表す。
【図１１】図１１は、本発明の１つ以上の実施形態に従い、ＣＡＰＴＵＲＥ  ＬＦＲ＋液体肥料のみに対し、ＣＡＰＴＵＲＥ  ＬＦＲ＋液体肥料と組み合わせてバチルス・リケニフォルミスＣＨ２００を高率（２．５×１０１３ｃｆｕ／Ｈａ）で適用した２０の試験場のうち９の地点で得られたコーン収量における増加を示す棒グラフである。収量における増加（ブッシェル／エーカー）をｙ軸に示し、ｘ軸の棒は、収量が増加する結果となった９の異なる地点を表す。
【図１２】図１２は、本発明の１つ以上の実施形態に従い、ＣＡＰＴＵＲＥ  ＬＦＲ＋液体肥料のみに対し、ＣＡＰＴＵＲＥ  ＬＦＲ＋液体肥料と組み合わせてバチルス・リケニフォルミスＣＨ２００を中率（２．５×１０１２ｃｆｕ／Ｈａ）で適用した２０の試験場のうち１３の地点で得られたコーン収量における増加を示す棒グラフである。収量における増加（ブッシェル／エーカー）をｙ軸に示し、ｘ軸の棒は、収量が増加する結果となった１３の異なる地点を表す。
【図１３】図１３は、本発明の１つ以上の実施形態に従い、ＣＡＰＴＵＲＥ  ＬＦＲ＋液体肥料のみに対し、ＣＡＰＴＵＲＥ  ＬＦＲ＋液体肥料と組み合わせてバチルス・リケニフォルミスＣＨ２００を低率（２．５×１０１１ｃｆｕ／Ｈａ）で適用した２０の試験場のうち１４の地点で得られたコーン収量における増加を示す棒グラフである。収量における増加（ブッシェル／エーカー）をｙ軸に示し、ｘ軸の棒は、収量が増加する結果となった１４の異なる地点を表す。
【図１４】図１４Ａ乃至１４Ｃは、植え付け後３２日のコーン苗の画像の線図であり、本発明の１つ以上の実施形態に従い、（Ａ）非処理checkと（Ｂ）ＣＡＰＴＵＲＥ  ＬＦＲ＋液体肥料のみと比較し、（Ｃ）バチルス・リケニフォルミスＣＨ２００とＣＡＰＴＵＲＥＬＦＲ（ビフェントリン１７．１５％）＋８−２４−０肥料（ＮＵＣＬＥＯＵＳ  Ｏ−ＰＨＯＳ）とを畝内に共に適用した水ストレス土壌条件下での生育におけるプラスの効果を示す。
【図１５】図１５は、本発明の１つ以上の実施形態に従い、最適な及び乾燥ストレス状態下との両方での、ＣＡＰＴＵＲＥ  ＬＦＲ＋肥料のみと非処理対照に対する、種子の植え付けの時点でＢ．リケニフォルミスＣＨ２００の胞子を、ＣＡＰＴＵＲＥＬＦＲ（ビフェントリン１７．１５％）＋８−２４−０肥料（ＮＵＣＬＥＯＵＳ  Ｏ−ＰＨＯＳ）と共に適用した場合の、温室実験におけるコーンについての様々な成長パラメータでの改善されたパーセントと、比較とを示す表である。
【図１６Ａ】図１６Ａは、非処理対照について、本発明の１つ以上の実施形態に従った干ばつストレス条件下の図１５において上述した実験に由来するＶ６ステージのコーンの輪生体で刈り取った第８葉の画像の線図である。
【図１６Ｂ】図１６Ｂは、ＣＡＰＴＵＲＥ  ＬＦＲ＋肥料について、本発明の１つ以上の実施形態に従った干ばつストレス条件下の図１５において上述した実験に由来するＶ６ステージのコーンの輪生体で刈り取った第８葉の画像の線図である。
【図１６Ｃ】図１６Ｃは、ＣＡＰＴＵＲＥ  ＬＦＲ＋肥料＋ＣＨ２００について、本発明の１つ以上の実施形態に従った干ばつストレス条件下の図１５において上述した実験に由来するＶ６ステージのコーンの輪生体で刈り取った第８葉の画像の線図である。
【図１７Ａ】図１７Ａは、非処理対照について、本発明の１つ以上の実施形態に従った最適湿度条件下の図１５において上述した実験に由来するＶ６ステージのコーンの輪生体で刈り取った第９葉の画像の線図である。
【図１７Ｂ】図１７Ｂは、ＣＡＰＴＵＲＥ  ＬＦＲ＋肥料について、本発明の１つ以上の実施形態に従った最適湿度条件下の図１５において上述した実験に由来するＶ６ステージのコーンの輪生体で刈り取った第９葉の画像の線図である。
【図１７Ｃ】図１７Ｃは、ＣＡＰＴＵＲＥ  ＬＦＲ＋肥料＋ＣＨ２００について、本発明の１つ以上の実施形態に従った最適湿度条件下の図１５において上述した実験に由来するＶ６ステージのコーンの輪生体で刈り取った第９葉の画像の線図である。
【図１８】図１８は、本発明の１つ以上の実施形態に従い、植え付け時と２週間後に再度Ｂ．プミルスＲＴＩ２７９胞子の適用のために点滴灌漑を用いた場合に、スクワッシュ苗での収量におけるプラスの効果を示す写真の線図であり、（Ａ）は非処理の対照苗、（Ｂ）点滴灌漑により２．５×１０１２ＣＦＵ／ｈａＲＴＩ２７９で、ＲＴＩ２７９胞子を用いて処理した苗である。
【図１９】図１９は、本発明の１つ以上の実施形態に従い、ｐＨ５．５でバチルス・リケニフォルミスＣＨ２００胞子をＳＣＯＴＴＳ  ＭＩＲＡＣＬＥ−ＧＯ（SCOTTS MIRACLE GRO, Co; Marysville, OH）土壌への添加の結果としてのトマトの成長におけるプラスの効果を示す画像であり、Ａ）バチルス・リケニフォルミスＣＨ２００胞子を１×１０７胞子／ｇ土壌で添加した土壌で成長した苗、Ｂ）バチルス・リケニフォルミスＣＨ２００を添加しない同じ土壌で成長させた対照苗である。
【図２０】図２０は、本発明の１つ以上の実施形態に従い、ｐＨ５．５でバチルス・リケニフォルミスＣＨ２００胞子をＳＣＯＴＴＳ  ＭＩＲＡＣＬＥ−ＧＯ（SCOTTS MIRACLE GRO, Co; Marysville, OH）土壌への添加の結果としてのキュウリの成長におけるプラスの効果を示す画像であり、Ａ）バチルス属を添加しない同じ土壌で成長させた対照苗、Ｂ）バチルス・リケニフォルミスＣＨ２００胞子を１×１０７胞子／ｇ土壌で添加した土壌で成長した苗、である。
【図２１】図２１は、本発明の１つ以上の実施形態に従い、殺虫剤であるＣＡＰＴＵＲＥ  ＬＦＲと液体肥料とを組み合わせて成長促進細菌株であるバチルス・リケニフォルミスＣＨ２００を用いた畝内での種子処理後のコーンの種子の発芽及び根の発達におけるプラスの効果を示す写真の線図であり、Ａ）植え付け時にＣＡＰＴＵＲＥ  ＬＦＲ、液体肥料、及び２．５×１０１２ＣＦＵ／ヘクタールバチルス・リケニフォルミスＣＨ２００胞子で処理された種子の植え付け後７日、比較としてのＢ）植え付け時にＣＡＰＴＵＲＥ  ＬＦＲ及び液体肥料で処理された対照種子、Ｃ）植え付け時にＣＡＰＴＵＲＥ  ＬＦＲ、液体肥料、及び２．５×１０１２ＣＦＵ／ヘクタールバチルス・リケニフォルミスＣＨ２００胞子で処理された種子の植え付け後１４日、比較としてのＤ）植え付け時にＣＡＰＴＵＲＥ  ＬＦＲ及び液体肥料で処理された対照種子、を示す。
【図２２】図２２は、本発明の１つ以上の実施形態に従い、殺虫剤であるＣＡＰＴＵＲＥ  ＬＦＲと液体肥料とを組み合わせて成長促進細菌株であるバチルス・リケニフォルミスＣＨ２００を用いた、コーン種子の植え付け時における畝内での処理後の野外試験におけるコーン苗の根の発達におけるプラスの効果を示す写真の線図であり、Ａ）は比較としての植え付け時にＣＡＰＴＵＲＥ  ＬＦＲと液体肥料とを用いて植え付け時に処理した対照苗であり、Ｂ）は、ＣＡＰＴＵＲＥ  ＬＦＲ、液体肥料、及び２．５×１０１２ＣＦＵ／ヘクタールのバチルス・リケニフォルミスＣＨ２００胞子で植え付け時に処理した苗である。画像は、植え付け後２４日に撮影した。
【図２３】図２３は、本発明の１つ以上の実施形態に従い、殺虫剤であるＣＡＰＴＵＲＥ  ＬＦＲと液体肥料とを組み合わせて成長促進細菌株であるバチルス・リケニフォルミスＣＨ２００を用いた、コーン種子の植え付け時における畝内での処理後の野外試験におけるコーン苗の根の発達におけるプラスの効果を示す画像であり、Ａ）は、植え付け時に液体肥料を用いて畝内で処理した後３５日に、引き抜いたコーン苗の根であり、Ｂ）は、植え付け時に液体肥料及びＣＡＰＴＵＲＥ  ＬＦＲを用いて畝内で処理した後３５日に、引き抜いたコーン苗の根であり、Ｃ）植え付け時に液体肥料、ＣＡＰＴＵＲＥ  ＬＦＲ及び２．５×１０１２ＣＦＵ／ヘクタールのバチルス・リケニフォルミスＣＨ２００胞子を用いて畝内で処理した後３５日に、引き抜いたコーン苗の根である。
【図２４】図２４は、本発明の１つ以上の実施形態に従い、殺虫剤であるＣＡＰＴＵＲＥ  ＬＦＲと液体肥料とを組み合わせて成長促進細菌株であるバチルス・リケニフォルミスＣＨ２００を用いたコーン種子の畝内での植え付け時の処理後の野外試験でのコーンの成長におけるプラスの効果を示す画像であり、Ａ）植え付け時におけるＣＡＰＴＵＲＥ  ＬＦＲ、液体肥料、及び２．５×１０１２ＣＦＵ／ヘクタールのバチルス・リケニフォルミスＣＨ２００を用いた種子の畝内処理後３５日のコーン苗の葉、比較として、Ｂ）バチルス・リケニフォルミスＣＨ２００胞子を用いずに、植え付け時に同じ畝内処理を行った後の対照苗の葉、Ｃ）植え付け時におけるＣＡＰＴＵＲＥ  ＬＦＲ、液体肥料、及び２．５×１０１２ＣＦＵ／ヘクタールのバチルス・リケニフォルミスＣＨ２００を用いた種子の畝内処理後３５日の引き抜かれたコーン苗、比較として、Ｄ）バチルス・リケニフォルミスＣＨ２００胞子を用いずに、植え付け時に同じ畝内処理を行った後の引き抜かれた対照苗、Ｅ）植え付け時におけるＣＡＰＴＵＲＥ  ＬＦＲ、液体肥料、及び２．５×１０１２ＣＦＵ／ヘクタールのバチルス・リケニフォルミスＣＨ２００を用いた種子の畝内処理後３５日のコーン苗の茎、比較として、Ｆ）バチルス・リケニフォルミスＣＨ２００胞子を用いずに、植え付け時に同じ畝内処理を行った後の対照苗の茎である。
【図２５】図２５は、本発明の１つ以上の実施形態に従い、バチルス・リケニフォルミス株ＣＨ２００の胞子を用い、グロボデラ属（Globodera）に感染させた土壌で成長させたジャガイモ苗の処理のプラスの効果を示す写真の画像である。４８日成長後のジャガイモ苗を図に示し、Ａ）はＣＨ２００胞子を用いて処理された苗であり、Ｂ）は対照苗である。
【図２６】図２６は、植え付け後１４日に撮影された写真であり、成長促進細菌株であるバチルス・リケニフォルミスＣＨ２００胞子を用いて、大豆種子を植え付け時に畝内で処理した後の野外試験での大豆苗の成長におけるプラスの効果を示し、Ａ）左の３つの苗は、ＣＡＰＴＵＲＥ  ＬＦＲ、液体肥料及び２．５×１０１２ＣＦＵ／ヘクタールでバチルス・リケニフォルミスＣＨ２００を用いて処理したものであり、Ｂ）右の３つの対照苗はＣＡＰＴＵＲＥ  ＬＦＲ及び液体肥料を用いて処理したものである。
【発明を実施するための形態】
【００２５】
”a”、”an”及び”the”の用語は、請求項を含む本出願内で使用される場合、１以上を示す。従って、例えば、「植物」への言及は、文脈から明らかに反対等でない限り、複数の植物を含む。
【００２６】
本明細書及び請求項を通じ、”comprise”、”comprises”及び”comprising”の用語は、文脈が他を求めている場合を除き、非排他的な意味で使用される。同様に”include”と、その文法上の変形は、リスト中の要素の列挙が、列挙された要素の置換又は追加可能な他の同様の要素を除外しないよう、限定されないことを意図する。
【００２７】
本明細書及び請求項の目的のため、「約（about）」の用語は、１以上の数値又は数値範囲と関連して使用される場合、その範囲中の全ての数字を含む全ての数字と、設定された数値の上及び下の境界値を拡張することによる範囲の変更を示すものと理解されるべきである。終点による数値範囲の列挙は、その範囲内に包含される全ての数、例えば、それらの分数を含む整数（例えば、１〜５の記載は、１、２、３、４及び５を含み、並びにそれらの分数、例えば１．５、２．２５、３．７５、４．１等を含む）と、その範囲にある任意の範囲とを含む。
【００２８】
本発明のある実施形態において、植物の成長に利益を与えるための組成物と方法とを提供する。組成物は、土壌殺虫剤と組み合わせて液体肥料において、植物、種又は土壌、又は植物又は種を囲む他の成長培地に送達された場合に、有益な成長効果を提供することができる植物の成長及び発達に利益を与えるための特性を有する分離された細菌又は真菌の株を含む。
【００２９】
「植物成長促進（plant growth promoting）」及び「植物成長利益（plant growth benefit）」及び「植物の成長に利益を与える（benefiting plant growth）」及び「植物の成長に有益な特性（properties beneficial to plant growth）」及び「植物の成長及び発展にとって有益な特性（properties beneficial to plant growth and development）」のフレーズは、本明細書および特許請求の範囲の目的のために、種子活力の改善、根の発達の改善、植物の健康（health）の改善、植物質量の増加、収量の増加、外観の改善、浸透圧ストレスへの耐性の改善、又は植物病原体に対する耐性の改善の１つ又は組み合わせを意味し、及び示されることを意図するものである。特許請求の範囲及び明細書を通じて使用される「浸透圧ストレスへの耐性の改善」のフレーズは、干ばつ、低湿度、及び／又は液体肥料の適用による浸透圧ストレスといった条件への耐性の改善を意味することを意図する。
【００３０】
「細菌株の生物学的に純粋な培養物（a biologically pure culture of a bacterial strain）」のフレーズは、細菌株の生物学的に純粋な発酵培養物の胞子（spore）、細菌株の生物学的に純粋な発酵培養物の栄養細胞（vegetative cell）、細菌株の生物学的に純粋な発酵培養物の１つ以上の製品、細菌株の生物学的に純粋な発酵培養物の培養固体、細菌株の生物学的に純粋な発酵培養物の培養上清、細菌株の生物学的に純粋な発酵培養物の抽出物、及び細菌株の生物学的に純粋な発酵培養物の１つ以上の代謝産物のうち、１つ又は組み合わせを示す。
【００３１】
本発明の組成物及び方法は、広範囲の植物種における植物の成長に利益を与えるために有用である。特に、例えば、植物は、食用穀物、単子葉植物、双子葉植物、繊維作物、綿、バイオ燃料用作物、シリアル、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、及び芝草（Turf grass）を含む。植物は、コーン苗であることができる。
【００３２】
「液体肥料」の用語は、様々な比率の窒素、リン及びカリウム（例えば、これに限定するものではないが、１０％窒素、３４％リン及び０％カリウム）と、微量栄養素とを含有する流体又は液体状の肥料を指し、リンを多く含み、迅速且つ活発な根の成長を促すスターター肥料として知られている。
【００３３】
組成物は、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達され得る。
【００３４】
驚くべきことに、本開示で提供される結果は、分離された細菌を含む本発明の組成物を、液体肥料中において土壌殺虫剤と組み合わせて、植え付け時の種の周囲の土壌に送達することは、肥料が有し得る植物への成長阻害効果を改善することができることを示す。加えて、分離された細菌を含む本発明の組成物を、液体肥料中において土壌殺虫剤と組み合わせて、植え付け時の種の周囲の土壌に送達することは、植物の成長及び発達における著しい改善と、植物の収量の著しい増加とを提供することができる。
【００３５】
植物の成長に有益な特性を有する本発明の株（strain）の１つは、バチルス・プミルスＲＴＩ２７９である。この株は、ＮＹで生育するからブドウのつるの根圏土壌から分離され、続いて、植物の成長促進特性について試験された。分離された細菌株は、バチルス・プミルスの新しい株として特定された（実施例１参照）。バチルス・プミルスＲＴＩ２７９の株は、米国バージニア州マナッサスのAmerican Type Culture Collection（ＡＴＣＣ）で特許手続のための微生物寄託の国際的承認に関するブダペスト条約の条件の下、２０１４年４月１７日に寄託され、特許受託番号ＰＴＡ−１２１１６４を有する。ＲＴＩ２７９バチルス・プミルス株のゲノムの配列解析は、その株が、他の密接に関連するＢ．プミルス株においてホモログが欠損している浸透圧ストレス応答に関連する遺伝子を有することを明らかにした（実施例２参照）。
【００３６】
実験は、様々な植物における、バチルス・プミルスＲＴＩ２７９の成長促進活性を定めるために実施された。実験結果は、図２と以下の実施例３〜７に示す。特に、実施例７は、種子の発芽、根の成長及び構築について、栄養細胞及びバチルス・プミルスＲＴＩ２７９株の胞子を用いた様々な植物由来の種の接種及び／又は種のコーティングのプラスの効果を示す。図示するように、図２Ａ〜２Ｄは、未処理の対照（ａ）と比較した、７日後の成長、（Ｂ）１．０４×１０６ＣＦＵ／ｍｌ、（Ｃ）１．０４×１０５ＣＦＵ／ｍｌ、（Ｄ）１．０４×１０４ＣＦＵ／ｍｌでの、ＲＴＩ２７９の栄養細胞による接種後の根毛の発達でのプラスの効果を示す大豆の画像である。データは、ＲＴＩ２７９細胞の添加は、非接種の対照種子と比較し、微細な根毛の形成を刺激したことを示す。微細な根毛は、水、栄養素の取り込み、根圏における他の微生物と植物の相互作用において重要である。
【００３７】
バチルス・プミルスＲＴＩ２７９株を用いた実験は、種の植え付け時に、液体肥料の適用により誘発される浸透圧ストレスの条件下でも実施された。これらの実験は、成長促進特性を有する複数の他の微生物株の添加を含むように拡張された。特に、種の植え付け時に、土壌殺虫剤と共に液体肥料中で、土壌に送達された際、植物の成長を高める植物成長促進特性を有する細菌株の能力を測定するため、温室内で畝内（in-furrow）での実験を実施した。実験結果は、図３〜７と、以下の実施例８に示す。実験は、バチルス・プミルスＲＴＩ２７９と、Mascheroder Weg 1b、D-38124 BraunschweigのDeutsche Sammlung von Mikroorganismen und Zellkulturen GmbH（ＤＳＭＺ）に２００５年４月７日に寄託され、寄託番号ＤＳＭ１７２３６を与えられたバチルス・リケニフォルミスＣＨ２００と、Mascheroder Weg1b、D-38124 10 BraunschweigのDeutsche Msmroorganismen und Zellkulturen GmbH（ＤＳＭＺ）に２００５年４月７日に寄託され、寄託番号ＤＳＭ１７２３１を付与されたバチルス・サブティリス（Bacillus subtilis）ＣＨ２０１と、ＣＨ２００株及びＣＨ２０１株の組み合わせについて実施した。
【００３８】
実験は、ペニントン土壌（Pennington soil）と中西部土壌（Midwestern soil）との２種の土壌を使用して実施した。肥料の使用に伴う苗の発芽の遅延及び乾燥根重量の減少は、ペニントン土壌で観察されたが、中西部土壌では観察されなかった。種子根長、節根長、シュート長、乾燥シュート重量及び乾燥根重量についての、両方の土壌用の成長促進株を用いた処理のプラスの効果は、図３〜７で説明される。結果は、驚くことに、これらの成長促進細菌株の添加が、砂の酸性土壌において液体肥料の種子への適用によって生じ得る一時的な成長阻害効果を改善したことを示した。結果は、更に成長促進株を用いた処理の結果として、両方の土壌のタイプにおいて、植物の成長及び発達における著しい改善を示した。例えば、中西部土壌では、出現後１週間以内にシュート高さにおいて１０〜２０％が増加し、最長の節根長において２０〜４８％が増加した。まとめると、成長促進細菌胞子を用いて処理された種子は、土壌の種類によらず、より長い節根及びより長くより重いシュートを有する苗という結果であった。加えて、これらの苗は、肥料なし、及び、殺虫剤＋肥料の対照よりも大きかった。成長促進細菌処理の追加は、植え付け時の速やかな効果を有し、若い苗を肥料焼けに対して保護することに明らかに役立った。
【００３９】
加えて、様々な中西部の場所におけるコーンでの野外試験の実験であり、殺虫剤と共に種の植え付けに伴って畝内に液体肥料中で適用された場合に、これらの株が有する収量におけるプラスの効果を示す実験を、バチルス・プミルスＲＴＩ２７９については実施例９で、バチルス・リケニフォルミスＣＨ２００については実施例１０で説明する。バチルス・プミルスＲＴＩ２７９の胞子の３つの異なる濃度の送達の結果であるコーンの増加収量を、図８〜１０で説明する。まとめると、２０野外試験での収量の増加平均は、液体肥料＋殺虫剤のみを上回り、液体肥料＋殺虫剤中にＲＴＩ２７９を添加した割合の関数として、高、中、低の適用割合についてそれぞれ、３．６５、２．１及び２．２ブッシェル（bushels）／エーカーであった。バチルス・リケニフォルミスＣＨ２００、バチルス・サブティリスＣＨ２０１及びＣＨ２００とＣＨ２０１との組み合わせでの単一の濃度で送達した結果、増加したコーンの収量を図１１〜１３にそれぞれ示す。まとめると、２０野外試験での収量における平均増加は、液体肥料＋殺虫剤のみを上回り、液体肥料＋殺虫剤中にＣＨ２００の添加比の関数として、高、中、低の適用割合についてそれぞれ、４．６５、４．１及び２．２ブッシェル／エーカーであった。
【００４０】
実施例１１は、最適な湿度及び干ばつストレス条件下でのコーンの成長において、ＣＡＰＴＵＲＥ  ＬＦＲ及び液体肥料（８−２４−０）と共に細菌株ＣＨ２００を用いた畝内での適用を評価するために実施された温室実験を説明する。これらの実験結果は、水ストレス土壌条件では、肥料は、早い段階の根システムの発達に否定的な影響を及ぼすが、４１ＤＡＰ（Ｖ６ステージ）までに、液体肥料に加えてＣＡＰＴＵＲＥ  ＬＦＲ＋ＣＨ２００を用いて処理した苗は、統計的により厚い茎、統計的により重い乾燥シュート重量、及び統計的により重い乾燥根重量を有する（図１４Ａ〜１４Ｃ及び図１５参照）ことを示した。最適な散水条件では、コーンをＣＨ２００で処理した場合、４１ＤＡＰで統計的に厚い茎が測定されたことを除き、ＣＡＰＴＵＲＥ  ＬＦＲとＣＡＰＴＵＲＥ  ＬＦＲ＋ＣＨ２００との間では、限られた統計的差異が見られた。ＣＨ２００を含む最適な土壌条件では苗の成長は、さらに進んだ。一般に、ＣＨ２００を含む最適又は干ばつ土壌条件で育つ苗は、より幅広く、長い第８葉、第９葉を有する付加的な葉の対を有した（図１６Ａ〜１６Ｃ及び図１７Ａ〜１７Ｃ）。
【００４１】
実施例１２は、植え付け時と２週間後に再度Ｂ．リケニフォルミスＣＨ２００胞子を１．５×１０１１、２．５×１０１２、又は２．５×１０１３ＣＦＵ／ヘクタールで適用するために点滴灌漑を使用した場合の、ブロッコリー及びカブの苗についての野外試験を説明する。灌漑中にＢ．リケニフォルミスＣＨ２００胞子を含まない対照苗と比較し、ブロッコリーに対してＣＨ２００胞子を加えたものは、収穫されたブロッコリーの生の重量が、３ｋｇ（対照）から、２．５×１０１３ＣＦＵ／ヘクタール及び２．５×１０１２ＣＦＵ／ヘクタールでのＣＨ２００の添加で、それぞれ３．６ｋｇ及び３．８ｋｇへと増加し、それぞれ重量において２０％から２６％の増加を示す結果となった。灌漑中にＢ．リケニフォルミスＣＨ２００胞子を含まない対照苗と比較し、カブの苗に対しＣＨ２００胞子を加えたものは、収穫された塊根重量が、３．３ｋｇ（対照）から、それぞれ５．８ｋｇ（２．５×１０１３ＣＦＵ／ヘクタールのＣＨ２００）、４．２ｋｇ（２．５×１０１２ＣＦＵ／ヘクタールのＣＨ２００）及び４．９ｋｇ（１．５×１０１１ＣＦＵ／ヘクタールのＣＨ２００）へと増加し、それぞれ重量において７６％、２７％及び４８％の増加という結果となった。
【００４２】
実施例１３は、植え付け時と２週間後に再びＢ．プミルスＲＴＩ２７９胞子を１．５×１０１１又は２．５×１０１２ＣＦＵ／ヘクタールで適用するために点滴灌漑を使用した場合の、スクワッシュ及びカブ苗についての野外試験を説明する。灌漑中にＢ．プミルスＲＴＩ２７９胞子を含まない対照スクワッシュ苗と比較し、ＲＴＩ２７９胞子の添加は、全体及び商品となるスクワッシュの両方について収量が増加するという結果となった。特に、ＲＴＩ２７９で処理した苗（適用割合、２．５×１０１２ＣＦＵ／ヘクタール）は、平均として、スクワッシュ全体として３６ｋｇでそのうち商品となるものが３０ｋｇであり、これに対し非処理の対照苗については、スクワッシュ全体として２２ｋｇで、商品となるものが１７ｋｇであった（図１８Ａ（対照苗）及び図１８Ｂ（ＲＴＩ２７９適用割合２．５×１０１２ＣＦＵ／ヘクタール））。灌漑中にＢ．プミルスＲＴＩ２７９胞子を含まない対照カブ苗と比較すると、ＲＴＩ２７９胞子を両方の濃度で添加したものは、塊根重量で測定し、６７％の収量の増加の結果となった。
【００４３】
実施例１４は、一般的な化学対照に加えてＢ．プミルスＲＴＩ２７９株の胞子を用いてコーン種子を被覆した結果としての収量におけるプラスの効果を説明する。１つの実施形態において、Ｂ．プミルスＲＴＩ２７９胞子と化学対照であるＭＡＸＩＭ＋メタラキシル＋ＰＯＮＣＨＯ  ２５０とを含む溶液でコーン種子を混合することにより、種子の処理を実施した。非処理種子及び処理種子を、ウィスコンシン州の３つの分離された野外試験場に植え付け、苗の発芽までの時間、苗の自立、苗の活力、及び穀物収量（ブッシェル／エーカー）により分析した。種子処理中にＢ．プミルスＲＴＩ２７９を含むものは、化学対照のみで処理した種子と比較し、苗の発芽までの時間、苗の自立又は苗の活力について、統計的に著しい効果を有しなかったが、穀物は１２ブッシェル／エーカーの増加（２３１から２４３ブッシェル／エーカー）であり、穀物収量において５．２％の増加を示すという結果であった。コーン苗に病原体であるリゾクトニア（Rhizoctonia）及びフザリウム・グラミネアルム（Fusarium graminearum）を接種させた点を除き、上述したように関連する試験を実施した。Ｂ．プミルスＲＴＩ２７９を用いた処理は、化学対照のみで処理した種子と比較し、フザリウム・グラミネアムについて病気の重症度における統計的に著しい減少という結果となった。別の実験では、Ｂ．プミルスＲＴＩ２７９の胞子と化学対照であるイプコナゾール（Ipconazole）＋メタラキシル＋ＰＯＮＣＨＯ  ５００とを含む溶液とコーン種子を混合することにより、によって種子処理を実施した。非処理の種子と処理済みのそれぞれのとうコーン種子とを用いて、７つの州にわたる１１の場所で１９の試験を実施し、穀物収量（ブッシェル／エーカー）によって分析した。種子処理にＢ．プミルスＲＴＩ２７９を含むものは、化学対照のみで処理した種子と比較し、３ブッシェル／エーカーの穀物の増加であり、穀物収量において１．５％の増加を示すという結果であった。
【００４４】
実施例１５は、バチルス・リケニフォルミスＣＨ２００の胞子を含む鉢植え用の土に種が植えられた場合のトマト及びキュウリの成長及び健康を改善するための、バチルス・リケニフォルミスＣＨ２００の分離株の能力を説明する。ＣＨ２００の成長におけるプラスの効果を、トマトについては図１９Ａ及び１９Ｂに示し、キュウリについては図２０Ａ及び２０Ｂに示す。
【００４５】
実施例１６は、コーンの成長におけるＣＡＰＴＵＲＥ  ＬＦＲと液体肥料と共に細菌株ＣＨ２００の畝内での適用を評価するために実施された野外試験を説明する。図２１Ａ〜２１Ｄは、殺虫剤であるＣＡＰＴＵＲＥ  ＬＦＲと液体肥料と組み合わせて成長促進細菌株であるバチルス・リケニフォルミスＣＨ２００胞子を用いた畝内での種子の処理後のコーン種子の発芽と根の発達におけるプラスの効果を示す写真の線図である。Ａ）植え付け時にＣＡＰＴＵＲＥ  ＬＦＲ、液体肥料、及び２．５×１０１２ＣＦＵ／ヘクタールのバチルス・リケニフォルミスＣＨ２００胞子で処理された種子の植え付け後７日、Ｂ）植え付け時にＣＡＰＴＵＲＥ  ＬＦＲ及び液体肥料で処理された対照種子、Ｃ）植え付け時にＣＡＰＴＵＲＥ  ＬＦＲ、液体肥料、及び２．５×１０１２ＣＦＵ／ヘクタールバチルス・リケニフォルミスＣＨ２００胞子で処理された種子の植え付け後１４日、及びＤ）植え付け時にＣＡＰＴＵＲＥ  ＬＦＲ及び液体肥料で処理された対照種子である。対照苗に対して、図２１Ａ及び図２１ＣのＣＡＰＴＵＲＥ  ＬＦＲと共にＣＨ２００で処理した苗における根の成長の統計的な増加及び統計的な大きさの増加は、種子の発芽及び早期の苗の成長及び活力とにおけるプラスの成長効果が、ＣＨ２００胞子を用いた処理によってもたらされることを実証した。
【００４６】
図２２Ａ及び２２Ｂは、殺虫剤であるＣＡＰＴＵＲＥ  ＬＦＲと液体肥料とを組み合わせて成長促進細菌株であるバチルス・リケニフォルミスＣＨ２００の胞子を用いた、植え付け時におけるコーン種子の畝内での処理後の野外試験におけるコーン苗の根の発達におけるプラスの効果を示す写真の線図である。Ａ）ＣＡＰＴＵＲＥ  ＬＦＲと液体肥料とを用いて処理した対照苗、及びＢ）ＣＡＰＴＵＲＥ  ＬＦＲ、液体肥料、及び２．５×１０１２ＣＦＵ／ヘクタールのバチルス・リケニフォルミスＣＨ２００胞子で処理した苗である。画像は、植え付け後２４日に撮影した。図２２Ｂに示すように、対照苗に対し、ＣＡＰＴＵＲＥ  ＬＦＲと組み合わせてＣＨ２００で処理した苗における根の成長の実質的な増加、及び実質的なサイズの増加は、苗の成長と活力におけるプラスの成長効果がＣＨ２００胞子を用いた処理によってもたらされることを実証した。
【００４７】
図２３Ａ〜２３Ｃは、殺虫剤であるＣＡＰＴＵＲＥ  ＬＦＲと液体肥料とを組み合わせて成長促進細菌株であるバチルス・リケニフォルミスＣＨ２００の胞子を用いた、コーン種子の植え付け時における畝内での処理後の野外試験でのコーンにおける根の発達におけるプラスの効果を示す画像である。Ａ）植え付け時に液体肥料を用いて畝内でコーン種子を処理後３５日に、引き抜いたコーン苗の根、Ｂ）植え付け時に液体肥料及びＣＡＰＴＵＲＥ  ＬＦＲを用いてコーン種子を畝内で処理した後３５日に、引き抜いたコーン苗の根、及びＣ）植え付け時に液体肥料、ＣＡＰＴＵＲＥ  ＬＦＲ及び２．５×１０１２ＣＦＵ／ヘクタールのバチルス・リケニフォルミスＣＨ２００胞子を用いて畝内でコーン種子を処理した後３５日に、引き抜いたコーン苗の根である。図２３Ｃに示すように、対照苗に対して、根のＣＡＰＴＵＲＥ  ＬＦＲと組み合わせてＣＨ２００を用いて処理した苗について、特に第２根に関する質量の実質的な増加は、プラスの成長効果がＣＨ２００胞子を用いた処理によってもたらされることを実証する。
【００４８】
図２４Ａ〜２４Ｆは、殺虫剤であるＣＡＰＴＵＲＥ  ＬＦＲと液体肥料とを組み合わせて成長促進細菌株であるバチルス・リケニフォルミスＣＨ２００の胞子を用いたコーン種子の植え付け時の処理後の野外試験でのコーンの成長におけるプラスの効果を示す写真の線図である。Ａ）植え付け時におけるＣＡＰＴＵＲＥ  ＬＦＲ、液体肥料、及びバチルス・リケニフォルミスＣＨ２００胞子を用いた種子の畝内処理後３５日のコーン苗の葉、比較として、Ｂ）バチルス・リケニフォルミスＣＨ２００胞子を用いずに、植え付け時に種子に同じ畝内処理を行った後の対照苗の葉である。Ｃ）植え付け時におけるＣＡＰＴＵＲＥ  ＬＦＲ、液体肥料、及びバチルス・リケニフォルミスＣＨ２００胞子を用いた種子の畝内処理後３５日の引き抜かれたコーン苗、比較として、Ｄ）バチルス・リケニフォルミスＣＨ２００胞子を用いずに、植え付け時に種子の同じ畝内処理を行った後の引き抜かれた対照コーン苗である。Ｅ）植え付け時におけるＣＡＰＴＵＲＥ  ＬＦＲ、液体肥料、及びバチルス・リケニフォルミスＣＨ２００胞子を用いた種子の畝内処理後３５日のコーン苗の茎、比較として、Ｄ）バチルス・リケニフォルミスＣＨ２００胞子を用いずに、植え付け時に種子に同じ畝内処理を行った後の対照コーン苗の茎である。図２４Ａ、２４Ｃ及び２４Ｅにそれぞれ示すように、対照苗に対して、ＣＡＰＴＵＲＥ  ＬＦＲと共にＣＨ２００を用いて処理した苗についての葉の大きさ、全体の苗の大きさ、及び苗の茎幅における実質的な増加は、苗の成長及び活力におけるプラスの効果がＣＨ２００胞子を用いた処理によってもたらされることを実証する。
【００４９】
実施例１７は、線虫に感染した土壌（グロベデラ属（Globedera sp.））で成長したジャガイモ苗についての成長及び活力における細菌分離バチルス・リケニフォルミスＣＨ２００の適用の効果を説明する。ジャガイモ（品種「ビンチェ（Bintje）」）は、グロベデラ属（Globedera sp.）に感染し、バチルス・リケニフォルミス株ＣＨ２００を１リットルの土壌あたり１０Ｅ＋９ｃｆｕを用いて高められ又は点滴灌漑された土壌に植え付けた。温室で４８日間成長させた後の苗の画像を、図２５Ａ及び２５Ｂに示す。図２５Ａは、ＣＨ２００胞子を用いて処理された苗を示し、図２５Ｂは、ＣＨ２００胞子を用いて処理されていない対照苗を示す。対照苗に対し、ＣＨ２００を用いて処理した苗におけるサイズの増加は、プラスの成長効果がＣＨ２００胞子を用いた処理によってもたらされることを実証する。
【００５０】
実施例１８は、野外条件において液状殺虫剤と液体肥料との適用と組み合わせて植え付け時に種子と共に畝内に適用された場合の、大豆苗の成長におけるバチルス・リケニフォルミスＣＨ２００の効果を説明する。図２６Ａ及び２６Ｂは、植え付け後１４日に撮影された写真であり、殺虫剤であるＣＡＰＴＵＲＥ  ＬＦＲと液体肥料と組み合わせてバチルス・リケニフォルミスＣＨ２００を用いて処理した後の野外試験での大豆苗の成長におけるプラスの効果を示す。図２６Ａは、ＣＡＰＴＵＲＥ  ＬＦＲ、液体肥料及び２．５×１０１２ＣＦＵ／ヘクタールのバチルス・リケニフォルミスＣＨ２００を用いて処理された左の３つの苗を示し、図２６Ｂは、ＣＡＰＴＵＲＥ  ＬＦＲ及び液体肥料を用いて処理された右の３つの対照苗を示す。対照苗に対して、ＣＨ２００を用いて処理した苗のサイズの実質的な増加は、早期の成長及び活力におけるプラスの効果がＣＨ２００胞子を用いた処理によってもたらされることを実証する。
【００５１】
１つの実施形態において、本発明は、植物の成長に利益を与えるための組成物を提供し、該組成物は、植物の成長に利益を与える特性を有する細菌又は真菌の株の生物学的に純粋な培養物と、１つ以上の微生物学的又は化学的農薬とを、液体肥料として適切な製剤中に含み、細菌又は真菌の株及び１つ以上の微生物学的又は化学的農薬は、それぞれ植物の成長に利益を与えるために適切な量で存在することを特徴とする。他の実施形態において、本発明は、ａ）植物成長促進特性を有する細菌株の生物学的に純粋な培養物と、ｂ）少なくとも１つの農薬と、を含む組成物であって、該組成物は、液体肥料と相溶性を有する製剤中に存在することを特徴とする組成物を提供する。本明細書中では、「液体肥料として適切な製剤中に」及び「液体肥料と相溶性を有する製剤中に」の用語は、明細書及び請求項を通じ、交換可能に使用されており、液体製剤中で植物に送達されるために肥料と混合することを可能とするために、製剤が水溶液中に溶解、又は分散又は乳化することができることを意味することを意図する。
【００５２】
農薬は、化学的農薬であることができる。化学的農薬は、殺虫剤であることができる。化学的農薬は、殺真菌剤（fungicide）であることができる。化学的農薬は、除草剤であることができる。化学的農薬は、殺線虫剤であることができる。組成物は、液体、粉剤、延展性顆粒剤、乾燥水和性粉末剤、又は乾燥水和性顆粒剤の形態であることができる。細菌株は、胞子（spores）又は栄養細胞（vegetative cells）の形態であることができる。細菌株は、バチルス属の菌株であることができる。バチルス属は、バチルス・プミルス、バチルス・リケニフォルミス、バチルス・サブティリス、又はそれらの組み合わせであることができる。バチルス・プミルスは、ＰＴＡ−１２１１６４として寄託されているバチルス・プミルスＲＴＩ２７９であることができる。バチルス・リケニフォルミスは、受託番号ＤＳＭ１７２３６として寄託されているバチルス・リケニフォルミスＣＨ２００であることができる。細菌株は、１．０×１０９ＣＦＵ／ｇから１．０×１０１２ＣＦＵ／ｇまでの範囲の濃度で存在する、ＰＴＡ−１２１１６４として寄託されているバチルス・プミルスＲＴＩ２７９、又は１．０×１０９ＣＦＵ／ｇから１．０×１０１２ＣＦＵ／ｇまでの範囲の量で存在する、受託番号ＤＳＭ１７２３６として寄託されているバチルス・リケニフォルミスＣＨ２００であることができる。
【００５３】
化学殺虫剤は、Ａ０）アグリガタ（agrigata）、アル−ホスフィド、アンブリセイウス、アフェリヌス（apherinus）、アフィディウス、アフィドレテス、アルテミシニン、オートグラファ・カリフォルニカＮＰＶ、アゾシクロチン、バチルス・サブティリス（bacillus-subtilis）、バチルス・チューリンゲンシス・アイザワイ（bacillus-thur.-aizawai）、バチルス・チューリンゲンシス・クルスタキー（bacillus-thur.-kurstaki）、バチルス・チューリンゲンシス（bacillus-thuringiensis）、ボーベリア（beauveria）、ボーベリア・バシアーナ（beauveria-bassiana）、ベータシフルトリン、生物学的製剤、ビスルタップ、ブロフルトリネート、ブロモホス−ｅ、ブロモプロピレート、Ｂｔ遺伝子組換コーン、Ｂｔ遺伝子組換大豆、カプサイシン、カルタップ、セラストラス（celastrus）抽出物、クロルアントラニリプロール、クロルベンズロン、クロルエトキシフォス、クロルフルアズロン、クロルピリホス−ｅ、シニジアジン（cnidiadin）、クリオライト、シアノホス、シアントラニリプロール、シハロトリン、シヘキサチン、シペルメトリン、ダクヌサ、ＤＣＩＰ、ジクロロプロペン、ジコホル、ジグリファス、ジグリファス+ダクヌサ、ジメタカルブ、ジチオエーテル、酢酸ドデシル、エマメクチン、エンカルシア（encarsia）、ＥＰＮ、エレツモセルス（eretmocerus）、エチレン−ジブロミド、ユーカリプトール、脂肪酸、脂肪酸／塩、フェナザキン、フェノブカルブ（ＢＰＭＣ）、フェンピロキシメート、フルブロシトリネート（flubrocythrinate）、フルフェンジン、ホルメタネート、ホルモチオン、フラチオカルブ、ガンマ−シハロトリン、ニンニクジュース、グラニュロシス−ウイルス、ハルモニア（harmonia）、オオタバコガ（heliothis armigera）ＮＰＶ、不活性細菌、インドール−３−イル酪酸、ヨードメタン、鉄、イソカルボホス（isocarbofos）、イソフェンホス、イソフェンホス−ｍ、イソプロカルブ、イソチオエート（isothioate）、カオリン、リンダン、リウヤンマイシン（liuyangmycin）、マトリン、メホスホラン、メタアルデヒド、メタリジウム−アニソプリエ、メタミドホス、メトルカルブ（ＭＴＭＣ）、鉱物油、マイレックス、ｍ−イソチオシアネート、モノスルタップ、ミロテシウム・ベルカリア（myrothecium verrucaria）、ナレド、ハモグリミドリヒメコバチ（neochrysocharis formos）、ニコチン、ニコチノイド、油脂、オレイン酸、オメトエート、オリウス（orius）、オキシマトリン、ペシロマイセス、パラフィン油、パラチオン−ｅ、パスツリア、石油、フェロモン、リン酸、フォトラブダス、フォキシム、フィトセイウルス（phytoseiulus）、ピリミホス−ｅ、植物油、プルテラ・キシロステラ（plutella xylostella）ＧＶ、多角体病（polyhedrosis）ウイルス、ポリフェノール抽出物、オレイン酸カリウム、プロフェノホス、プロスレル（prosuler）、プロチオホス、ピラクロホス、ピレトリン、ピリダフェンチオン、ピリミジフェン、ピリプロキシフェン、キラヤ（quillay）抽出物、キノメチオネート、菜種油、ロテノン、サポニン、サポノジット（saponozit）、ナトリウム化合物、フルオロケイ酸ナトリウム、スターチ、ステイネルネマ（steinernema）、ストレプトマイセス、スルフルラミド、硫黄、テブピリムホス、テフルトリン、テメホス、テトラジホン、チオファノックス、チオ���トン、トランスジェニクス（例えば、Ｃｒｙ３Ｂｂ１）、トリアザメート、トリコデルマ、トリコグランマ、トリフルムロン、ベルチシリウム、ベルトリン、殺虫剤の異性体（例えば、カッパ−ビフェントリン、カッパ−テフルトリン）、ジクロロメゾチアズ、ブロフラニリド、ピラジフルミド、を含む種々の殺虫剤；Ａ１）アルジカルブ、アラニカルブ、ベンフラカルブ、カルバリル、カルボフラン、カルボスルファン、メチオカルブ、メトミル、オキサミル、ピリミカルブ、プロポキスルおよびチオジカルブを含むカルバメート類；Ａ２）アセフェート、アジンホス−エチル、アジンホス−メチル、クロルフェンビンホス、クロルピリホス、クロルピリホス−メチル、デメトン−Ｓ−メチル、ジアジノン、ジクロルボス／ＤＤＶＰ、ジクロトホス、ジメトエート、ジスルホトン、エチオン、フェニトロチオン、フェンチオン、イソキサチオン、マラチオン、メタミダホス（methamidaphos）、メチダチオン、メビンホス、モノクロトホス、オキシメトエート、オキシデメトン−メチル、パラチオン、パラチオン−メチル、フェントエート、ホレート、ホサロン、ホスメット、ホスファミドン、ピリミホス−メチル、キナルフォス、テルブホス、テトラクロルビンホス、トリアゾホス及びトリクロルホンを含む有機リン酸塩類；Ａ３）エンドスルファンなどのシクロジエン有機塩素化合物類；Ａ４）エチプロール、フィプロニル、フルフィプロール、ピラフルプロール及びピリプロールを含むフィプロール類；Ａ５）アセタミプリド、クロチアニジン、ジノテフラン、イミダクロプリド、ニテンピラム、チアクロプリド及びチアメトキサムを含むネオニコチノイド類；Ａ６）スピノサド、スピネトラムなどのスピノシン類；Ａ７）アバメクチン、エマメクチン安息香酸塩、イベルメクチン、レピメクチン及びミルベメクチンを含むメクチン類由来の塩素チャネル活性剤；Ａ８）ヒドロプレン、キノプレン、メトプレン、フェノキシカルブ及びピリプロキシフェン等の幼若ホルモン類似体；Ａ９）ピメトロジン、フロニカミド及びピリプリキナゾン等の同翅類選択的摂食ブロッカー；Ａ１０）クロフェンテジン、ヘキシチアゾクス及びエトキサゾール等のダニ類成長阻害剤；Ａ１１）ジアフェンチウロン、酸化フェンブタスズ及びプロパルギット等のミトコンドリアＡＴＰ合成阻害剤；Ａ１２）ベンスルタップ、カルタップ塩酸塩、チオシクラム及びチオスルタップナトリウム塩ニコチン性アセチルコリン受容体チャンネルブロッカー；Ａ１３）ビストリフロン、ジフルベンズロン、フルフェノクスロン、ヘキサフルムロン、ルフェヌロン、ノバルロン、及びテフルベンズロンを含むベンゾイル尿素類由来のキチン生合成阻害剤タイプ０；Ａ１４）ブプロフェジン等のキチン生合成阻害剤タイプ１；Ａ１５）シロマジン等の脱皮かく乱物質；Ａ１６）メトキシフェノジド、テブフェノジド、ハロフェノジド及びクロマフェノジド等のエクジソン受容体アゴニスト；Ａ１７）アミトラズ等のオクトパミン受容体アゴニスト；Ａ１８）ピリダベン、テブフェンピラド、トルフェンピラド、フルフェネリム、シエノピラフェン、シフルメトフェン、ヒドラメチルノン、アセキノシル又はフルアクリピリム等のミトコンドリア複合体電子伝達阻害剤；Ａ１９）インドキサカルブ及びメタフルミゾン等の電位依存性ナトリウムチャネルブロッカー；Ａ２０）スピロジクロフェン、スピロメシフェンおよびスピロテトラマト等の脂質合成阻害剤；Ａ２１）フルベンジアミド、フタルアミド化合物（Ｒ）−３−クロロ−Ｎ１−｛２−メチル−４−［１，２，２，２−テトラフルオロ−１−（トリフルオロメチル）エチル]フェニル}−Ｎ２−（１−メチル−２−メチルスルフォニルエチル）フタルアミド及び（Ｓ）−３−クロロ−Ｎ１−｛２−メチル−４−［１，２，２，２−テトラフルオロ−１−（トリフルオロメチル）エチル］フェニル｝−Ｎ２−（１−メチル−２−メチルスルフォニルエチル）フタルアミド、クロラントラニリプロール及びシアントラニリプロール  ジアミド類由来のリアノジン受容体モジュレータ；Ａ２２）アザジラクチン、アミドフルメト、ビフェナゼート、フルエンスルホン、ピペロニルブトキシド、ピリダリル、スルホキサフロル等の作用機構が不明あるいは不明確な化合物；又は、Ａ２３）アクリナトリン、アレスリン、ビフェントリン、シフルトリン、ラムダ−シハロトリン、シペルメトリン、アルファ−シペルメトリン、ベータ−シペルメトリン、ゼータ−シペルメトリン、デルタメトリン、エスフェンバレレート、エトフェンプロックス、フェンプロパトリン、フェンプロパトリン、フェンバレレート、フルシトリネート、タウ−フルバリネート、ペルメトリン、シラフルオフェン及びトラロメトリンを含むピレスロイド類由来のナトリウムチャネルモジュレータ、からなる群から選択されることができる。
【００５４】
化学的殺真菌剤は、Ｂ０）ベンゾビンジフルピル、アンチペロノスポリック（anitiperonosporic）、アメトクトラジン、アミスルブロム、銅塩（例えば、水酸化銅、酸塩化銅、硫酸銅、過硫酸銅）、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブティリス・シノニム、バチルス・アミロリクエファシエンス（例えば、ＱＳＴ  ７１３、ＦＺＢ２４、ＭＢＩ６００、Ｄ７４７株）、メラレウカ・アルテルニフォリア（Melaleuca alternifolia）抽出物、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸及び塩、テクロフタラム（teclofthalam）、トリアゾキシド（triazoxide）、ピリオフェノン、有機油、炭酸水素カリウム、クロロタロニル、フルオロイミド；Ｂ１）ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノール及びイマザリルスルフェートを含むアゾール；Ｂ２）アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミド及び３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；Ｂ３）カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド、Ｎ−（３’，５−ジフルオロ−４’−メチル−ビフェニル−２−イル）−���−ジフルオロメチル−１−メチル−１Ｈ−ピラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、
Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロビフェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミド及びＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；Ｂ４）フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸及びピペラリンを含む複素環式化合物；Ｂ５）マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；又は、Ｂ６）グアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：
エジフェンホス、イプロベンホス、ホセチル、ホセチル−アルミニウム、亜リン酸及びその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、シモキサニル、ジメチリモール、エチリモール、フララキシル、メトラフェノン及びスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノール及びその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤、からなる群から選択されることができる。
【００５５】
化学除草剤は、Ｃ１）アセチル−ＣｏＡカルボキシラーゼ阻害剤（ＡＣＣ）、例えば、アロキシジム、クレトジム、クロプロキシジム、シクロキシジム、セトキシジム、トラルコキシジム、ブトロキシジム、クレフォキシジム若しくはテプラロキシジム等のシクロヘキセノンオキシムエーテル；クロジナホップ−プロパルギル、シハロホップ−ブチル、ジクロホップ−メチル、フェノキサプロップ−エチル、フェノキサプロップ−Ｐ−エチル、フェンチアプロップエチル、フルアジホップ−ブチル、フルアジホップ−Ｐ−ブチル、ハロキシホップ−エトキシエチル、ハロキシホップ−メチル、ハロキシホップ−Ｐ−メチル、イソキサピリホップ、プロパキザホップ、キザロホップ−エチル、キザロホップ−Ｐ−エチル若しくはキザロホップ−テフリル等のフェノキシフェノキシプロピオン酸エステル；又は、フランプロップ−メチル若しくはフランプロップ−イソプロピル等のアリールアミノプロピオン酸；Ｃ２）アセトラクターゼ合成酵素阻害剤（ＡＬＳ）、例えば、イマザピル、イマザキン、イマザメタベンズ−メチル（イマザメ（ｉｍａｚａｍｅ））、イマザモックス、イマザピック若しくはイマゼタピル等のイミダゾリノン；ピリチオバック酸、ピリチオバック−ナトリウム、ビスピリバック−ナトリウム、ＫＩＨ−６１２７若しくはピリベンゾキシム等のピリミジルエーテル；フロラスラム、フルメトスラム若しくはメトスラム等のスルホンアミド；又は、アミドスルフロン、アジムスルフロン、ベンスルフロン−メチル、クロリムロン−エチル、クロルスルフロン、シノスルフロン、シクロスルファムロン、エタメトスルフロン−メチル、エトキシスルフロン、フラザスルフロン、ハロスルフロン−メチル、イマゾスルフロン、メトスルフロン−メチル、ニコスルフロン、プリミスルフロン−メチル、プロスルフロン、ピラゾスルフロン−エチル、リムスルフロン、スルホメツロン−メチル、チフェンスルフロン−メチル、トリアスルフロン、トリベヌロン−メチル、トリフルスルフロン−メチル、トリトスルフロン、スルホスルフロン、ホラムスルフロン若しくはヨードスルフロン等のスルホニル尿素；Ｃ３）アミド、例えば、アリドクロル（ＣＤＡＡ）、ベンゾイルプロップ−エチル、ブロモブチド、クロルチアミド、ジフェナミド、エトベンザニド、フルチアミド、ホサミン又はモナリド；Ｃ４）オーキシン除草剤、例えば、クロピラリド若しくはピクロラム等のピリジンカルボン酸；又は、２，４−Ｄ若しくはベナゾリン；Ｃ５）オーキシン輸送阻害剤、例えば、ナプタラメ又はジフルフェンゾピル；Ｃ６）カロテノイド生合成阻害剤、例えば、ベンゾフェナップ、クロマゾン、ジフルフェニカン、フルオロクロリドン、フルリドン、ピラゾリネート、ピラゾキシフェン、イソキサフルトール、イソキサクロルトール、メソトリオン、スルコトリオン（クロルメスロン）、ケトスピラドックス、フルルタモン、ノルフルラゾン又はアミトロール；Ｃ７）エノールピルビルシキミ酸−３−リン酸合成酵素阻害剤（ＥＰＳＰＳ）、例えば、グリホサート又はスルホサート；Ｃ８）グルタミン合成酵素阻害剤、例えば、ビアラホス又はグルホシネート−アンモニウム；Ｃ９）脂質生合成阻害剤、例えば、アニロホス若しくはメフェナセット等のアニリド；ジメテナミド、Ｓ−ジメテナミド、アセトクロール、アラクロール、ブタクロール、ブテナクロール、ジエタチル−エチル、ジメタクロール、メタザクロール、メトラクロール、Ｓ−メトラクロール、プレチラクロール、プロパクロール、プリナクロール、テルブクロール、テニルクロール若しくはキシラクロール等のクロロアセトアニリド；ブチレート、シクロエート、ジ−アレート、ジメピペレート、ＥＰＴＣ．エスプロカルブ、モリネート、ペブレート、プロスルホカルブ、チオベンカルブ（ベンチオカルブ）、トリ−アレート若しくはバーナレート等のチオ尿素；又は、ベンフレセート若しくはパーフルイドン；Ｃ１０）有糸分裂阻害剤、例えば、アシュラム、カルベタミド、クロルプロファム、オルベンカルブ、プロピザミド、プロファム若しくはチオカルバジル等のカルバメート；ベネフィン、ブトラリン、ジニトラミン、エタルフルラリン、フルクロラリン、オリザリン、ペンジメタリン、プロジアミン若しくはトリフルラリン等のジニトロアニリン；ジチオピル若しくはチアゾピル等のピリジン；又は、ブタミホス、クロルタール−ジメチル（ＤＣＰＡ）若しくはマレイン酸ヒドラジド；Ｃ１１）プロトポルフィリノーゲンＩＸオキシダーゼ阻害剤、例えば、アシフルオルフェン、アシフルオルフェン−ナトリウム、アクロニフェン、ビフェノックス、クロミトロフェン（ＣＮＰ）、エトキシフェン、フルオロジフェン、フルオログリコフェン−エチル、フォメサフェン、フリロキシフェン、ラクトフェン、ニトロフェン、ニトロフルオルフェン若しくはオキシフルオルフェン等のジフェニルエーテル；オキサジアルギル若しくはオキサジアゾン等のオキサジアゾール；アザフェニジン、ブタフェナシル、カルフェントラゾン、カルフェントラゾン−エチル、シニドン−エチル、フルミクロラックペンチル、フルミオキサジン、フルミプロピン、フルプロパシル、フルチアセット−メチル、スルフェントラゾン若しくはチジアジミン等の環状イミド；又は、ＥＴ−７５１、ＪＶ  ４８５若しくはニピラクロフェン等のピラゾール；Ｃ１２）光合成阻害剤、例えば、プロパニル、ピリデート若しくはピリダフォル；ベンタゾン等のベンゾチアジアジノン；ジニトロフェノール、例えば、ブロモフェノキシム、ジノセブ、ジノセブ−アセテート、ジノテルブ若しくはＤＮＯＣ；シペルクアット−クロリド、ジフェンゾクワット−メチルスルフェート、ジクワット若しくはパラコート−ジクロリド等のジピリジレン；クロルブロムロン、クロロトルロン、ジフェノクスロン、ジメフロン、ジウロン、エチジムロン、フェヌロン、フルオメツロン、イソプロチュロン、イソウロン、リヌロン、メタベンズチアズロン、メタゾール、メトベンズロン、メトキスロン、モノリニュロン、ネブロン、シデュロン若しくはテブチウロン等の尿素；ブロモキシニル若しくはイオキシニル等のフェノール；クロリダゾン；アメトリン、アトラジン、シアナジン、デスメイン、ジメタメトリン、ヘキサジノン、プロメトン、プロメトリン、プロパジン、シマジン、シメトリン、テルブメトン、テルブトリン、テルブチラジン若しくはトリエタジン等のトリアジン；メタミトロン等のトリアジノン；ブロマシ���、レナシル若しくはテルバシル等のウラシル；又は、デスメジファム若しくはフェンメジファム等のビスカルバメート；Ｃ１３）相乗剤、例えば、トリジファン等のオキシラン；Ｃ１４）ＣＩＳ細胞壁合成阻害剤、例えば、イソキサベン又はジクロベニル；Ｃ１６）様々な他の除草剤、例えば、ダラポン等のジクロロプロピオン酸；エトフメセート等のジヒドロベンゾフラン；クロルフェナック（フェナック）等のフェニル酢酸；又は、アジプロトリン、バルバン、ベンスリド、ベンズチアズロン、ベンゾフルオール、ブミナホス、ブチダゾール、ブツロン、カフェンストロール、クロルブファム、クロルフェンプロップ−メチル、クロロクスロン、シンメチリン、クミルロン、シクルロン、シプラジン、シプラゾール、ジベンジルロン、ジプロペトリン、ダイムロン、エグリナジン−エチル、エンドタール、エチオジン、フルカバゾン、フルオルベントラニル、フルポキサム、イソカルバミド、イソプロパリン、カルブチレート、メフルイジド、モヌロン、ナプロップアミド、ナプロップアニリド、ニトラリン、オキサシクロメフォン、フェニソファム、ピペロホス、プロシアジン、プロフルアリン、ピリブチカルブ、セクブメトン、スルファレート（ＣＤＥＣ）、テルブカルブ、トリアジフラム、トリアゾフェナミド若しくはトリメツロン；又は、それらの環境適合性の塩、からなる群から選択されることができる。
【００５６】
化学的農薬は、ベノミル、クロエトカルブ、アルドキシカルブ、ティルペート（tirpate）、ジアミダホス、フェナミホス、カズサホス、ジクロフェンチオン、エトプロホス、フェンスルホチオン、ホスチアゼート、ヘテロホス、イサミドホフ（isamidofof）、イサゾホス、ホスホカルブ、チオナジン、イミシアホス、メカルホン、アセトプロール、ベンクロチアズ、クロルピクリン、ダゾメット、フルエンスルホン、１，３−ジクロロプロペン（telone）、ジメチルジスルフィド、メタムナトリウム、メタムカリウム、メタム塩（全てのＭＩＴＣジェネレーター）、メチルブロミド、土壌改良剤（例えば、マスタードシード、マスタードシード抽出物）、土壌燻蒸剤、アリルイソチオシアネート（ＡＩＴＣ）、ジメチルスルフェート、及びフルフラール（アルデヒド）からなる群から選択される殺線虫剤であり得る。
【００５７】
農薬は、土壌殺虫剤であり得る。本発明の土壌殺虫剤は、アバメクチン、アセフェート、アセキノシル、アセタミプリド、アクリナトリン、アグリガタ（agrigata）、アラニカルブ、アルジカルブ、アルファシペルメトリン、アル−リン化物、アンブリシウス、アミトラズ（Amitraz）、アフェリナス（Aphelinus）、アフィディウス、アフィドレテス、アルテミシニン、オートグラフ・カリフォルニカＮＰＶ、アザジラクチン、アジンホス−ｍ、アゾサイクロチン、バチルス・サブティリス、バチルス・チューリンゲンシス・アイザワイ、バチルス・チューリンゲンシス・クルスタキー、バチルス・チューリンゲンシス、ボーベリア、ボーベリア・バシアーナ、ベンフラカルブ、ベンスルタップ、ベータシフルトリン、ベータシペルメトリン、ビフェナゼート、ビフェントリン、生物学的製剤、ビスピリバック−ナトリウム、ビスルタップ、ブロフルトリネート、ブロモホス−ｅ、ブロモプロピレート、Ｂｔ遺伝子組換コーン、Ｂｔ遺伝子組換大豆、ブプロフェジン、カズサホス、カルシウム―シアナミド、カプサイシン、カルバリル、カルボフラン、カルボスルファン、カルタップ、セラストラス（celastrus）抽出物、クロルアントラニリプロール、クロルベンズロン、クロルエトキシフォス、クロルフェナピル、クロルフェンビンホス、クロルフルアズロン、クロロピクリン、クロルピリホス、クロルピリホス−ｅ、クロルピリホス−ｍ、クロマフェノジド、クロフェンテジン、クロチアニジン、シニジアジン（cnidiadin）、クリオライト、シアノホス、シアントラニプロール、シエノピラフェン、シフルメトフェン、シフルトリン、シハロトリン、シヘキサチン、シペルメトリン、シロマジン、サイトカイニン、ダクヌサ、ダゾメット、ＤＣＩＰ、デルタメトリン、ジメトン−Ｓ−ｍ（Demeton-S-m）、ジアフェンチウロン、ジアジノン、ジクロロプロペン、ジクロルボス（ＤＤＶＰ）、ジコホル、ジフルベンズロン、ジグリファス、ジグリファス+ダクヌサ、ジメサカルブ、ジメトエート、ジノテフラン、ジスルホトン、ジチオエーテル、ドデシルアセテート、エマメクチン、エマメクチン−ベンゾエート、エンカルシア（encarsia）、エンドスルファン、ＥＰＮ、エレツモケルス（eretmocerus）、エスフェンバレレート、エチオン、エチプロール、エトプロホス、エチレン−ジブロミド、エトフェンプロックス、エトキサゾール、ユーカリプトール、脂肪酸、脂肪酸／塩、フェナミホス、フェナザキン、酸化フェンブタスズ、フェニトロチオン、フェノブカルブ（ＢＰＭＣ）、フェノキシカルブ、フェンプロパトリン、フェンピロキシメート、フェンチオン、フェンバレレート、フィプロール、フィプロニル、フロニカミド、フルベンジアミド、フルブロシトリネート（flubrocythrinate）、フルシトリネート、フルフェノクスロン、フルフェンジン、ホルメタネート、ホルモチオン、ホスチアゼート、フラチオカルブ、ガンマ−シハロトリン、ニンニクジュース、グラニュローシスウイルス、ハルモニア（harmonia）、オオタバコガ（heliothis armigera）ＮＰＶ、ヘキサフルムロン、ヘキシチアゾクス、イミシアホス、イミダクロプリド、不活性細菌、インドール−３−イル酪酸、インドキサカルブ、ヨードメタン、イプロジオン、鉄、イサゾホス、イソカル��ホス（isocarbofos）、イソフェンホス、イソフェンホス−ｍ、イソプロカルブ、イソチオエート（isothioate）、イソキサチオン、カオリン、ラムダ−シハロトリン、レピメクチン、リンデン、リウヤンマイシン（liuyangmycin）、ルフェヌロン、マラチオン、マトリン、メホスホラン、メタフルミゾン、メタアルデヒド、メタムカリウム、メタムナトリウム、メタリジウムアニソプリエ、メタミドホス、メチダチオン、メチオカルブ、メソミル、メトキシフェノジド、メチルブロミド、メトルカルブ（ＭＴＭＣ）、メビンホス、ミルベメクチン、鉱物油、マイレックス、ｍ−イソチオシアネート、モノクロトホス、モノスルタップ、クワ暗斑病菌（myrothecium verrucaria）、ナレド、ハモグリミドリヒメコバチ（neochrysocharis formos）、ニコチン、ニコチノイド、ニテンピラム、ノバルロン、油脂、オレイン酸、オメトエート、有機リン酸塩、ヒメハナカメムシ（orius）、他のピレスロイド、オキサミル、オキシジメトン−ｍ、オキシマトリン、ペシロマイセス、パラフィン油、パラチオン−ｅ、パラチオン−ｍ、パスツリア、ペルメトリン、石油、フェントエート、フェロモン、ホレート、ホサロン、ホスメット、ホスファミドン、リン酸、フォトラブダス、フォキシム、フィトセイウルス（phytoseiulus）、ピペロニルブトキシド、ピリミカルブ、ピリミホス−ｅ、ピリミホス−ｍ、植物油、コナガ（plutella xylostella）ＧＶ、多角体病（polyhedrosis）ウイルス、ポリフェノール抽出物、オレイン酸カリウム、ピレスロイド、プロフェノホス、プロパルギット、プロポキスル、プロスレル（prosuler）、プロチオホス、ピメトロジン、ピラクロホス、ピレトリン、ピリダベン、ピリダリル、ピリダフェンチオン、ピリフルキナゾン、ピリミジフェン、ピリプロキシフェン、キラヤ（quillay）抽出物、キナルホス、キノメチオネート、菜種油、ロテノン、サポニン、サポノジット（saponozit）、シラフルオフェン、ナトリウム化合物、ヘキサフルオロケイ酸ナトリウム、スピネトラム、スピノサッド、スピロジクロフェン、スピロメシフェン、スピロテトラマト、スターチ、ステイネルネマ（steinernema）、ストレプトマイセス、スルフルラミド、スルホキサフロール、硫黄、タウ−フルバリネート、テブフェノジド、テブフェンピラド、テブピリムホス、テフルベンズロン、テフルトリン、テメホス、テルブホス、テトラジホン、チアクロプリド、チアメトキザム、チオシクラム、チオジカルブ、チオファノックス、チオメトン、チオスルタップ−ナトリウム、トルフェンピラド、トラロメトリン、トランスジェニクス（例えばＣｒｙ３Ｂｂ１）、トリアザメート、トリアゾホス、トリクロルホン、トリコデルマ、トリコグランマ、トリフルムロン、バーティシリウム、ベラトリン及びゼータ−シペルメトリンを含むことができるが、これに限られるものではない。
【００５８】
様々な実施形態において、土壌殺虫剤は、クロルピリホス−ｅ、シペルメトリン、テフルトリン、イミダクロプリド、ビフェントリン、クロルアントラニリプロール、チオジカルブ、テブピリミホス、カルボフラン、フィプロニル、ゼータ−シペルメトリン、テルブホス、ホレート、アセタミプリド、チアメトキザム、カルボスルファン、及びクロルエトキシホスを含むコーン用殺虫剤であり得る。ジャガイモ用殺虫剤は、イミダクロプリド、オキサミル、チアメトキザム、クロルピリホス−ｅ、クロルアントラニリプロール、カルボフラン、フィプロニル、アセタミプリド、エトプロホス、テフルトリン、クロチアニジン、フェナミホス、ホレート、ビフェントリン、カルボスルファン、カズサホス及びテルブホスを含む。大豆用殺虫剤は、クロルアントラニリプロール、チアメトキザム、フルベンジアミド、イミダクロプリド、クロルピリホス−ｅ、ビフェントリン、チオジカルブ、フィプロニル、シペルメトリン、アセタミプリド、カルボスルファン、カルボフラン、及びホレートを含む。サトウキビ用殺虫剤は、フィプロニル、イミダクロプリド、チアメトキザム、クロルアントラニリプロール、エチプロール、カルボフラン、クロルピリホス−ｅ、カズサホス、ホレート、テルブホス、ビフェントリン、アバメクチン、カルボスルファン、シペルメトリン、オキサミル、及びアセタミプリドを含む。トマト用殺虫剤は、クロルアントラニリプロール、イミダクロプリド、チアメトキザム、クロルピリホス−ｅ、アセタミプリド、オキサミル、フルベンジアミド、カルボフラン、ビフェントリン、ゼータ―シペルメトリン、カズサホス及びテフルトリンを含む。野菜用殺虫剤は、アバメクチン、クロルアントラニリプロール、イミダクロプリド、クロルピリホス−ｅ、アセタミプリド、 チアメトキザム、フルベンジアミド、シペルメトリン、フィプロニル、オキサミル、ビフェントリン、クロチアニジン、テフルトリン、テルブホス、ホレート、カズサホス及びカルボスルファンを含む。バナナ用殺虫剤は、オキサミル、クロルピリホス−ｅ、テルブホス、カズサホス、カルボフラン、エトプロホス、アセタミプリド、シペルメトリン、ビフェントリン、フィプロニル及びカルボスルファンを含む。
【００５９】
土壌殺虫剤は、ピレスロイド、ビフェントリン、テフルトリン、シペルメトリン、ゼータ−シペルメトリン、ラムダ−シハロトリン、ガンマ−シハロトリン、デルタ芽トリン、シフルトリン、アルファシペルメトリン、ペルメトリン；有機リン酸塩、クロルピリホス−エチル、テブピリミホス、テルブホス、エトプロホス、カズサホス；ニコチノイド、イミダクロプリド、チアメトキザム、クロチアニジン、カルバメート、チオジカルブ、オキサミル、カルボフラン、フィプロール、フィプロニル、エチプロール、であり得る。
【００６０】
１つ以上の実施形態において、土壌殺虫剤は、ビフェントリン、ピレスロイド、ビフェントリン、テフルトリン、ゼータ−シペルメトリン、有機リン酸塩、クロルエトキシホス、クロルピリホス−ｅ、テブピリミホス、シフルトリン、フィプロール、フィプロニル、ニコチノイド又はクロチアニジンの１つ又は組み合わせであり得る。土壌殺虫剤は、ビフェントリンとクロチアニジンとを含むことができる。土壌殺虫剤は、ビフェントリン又はゼータ−シペルメトリンを含むことができる。
【００６１】
殺虫剤は、ビフェントリンであることができ、組成物製剤は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルスクロースエステル、からなる群から選択される少なくとも１つの分散剤と、を含むことができる。ビフェントリン殺虫剤は、０．１ｇ／ｍｌ〜０．２ｇ／ｍｌの範囲の濃度で存在し得る。ビフェントリン殺虫剤は、約０．１７１５ｇ／ｍｌの濃度で存在し得る。ビフェントリン殺虫剤の適用割合は、１ヘクタールあたりビフェントリン約０．１ｇ（ｇ  ａｉ／ｈａ）から、約１０００ｇ  ａｉ／ｈａの濃度、より好適には、約１ｇ  ａｉ／ｈａ〜約１００ｇ  ａｉ／ｈａの範囲であることができる。
【００６２】
１つの実施形態において、植物の成長に利益を与える組成物が提供され、該組成物は、液体肥料として適切な製剤中に、植物の成長に利益を与える特性を有する細菌又は真菌の株の生物学的に純粋な培養物と、土壌殺虫剤と、を含み、細菌又は真菌の株と、土壌殺虫剤のそれぞれは、植物の成長の助長のために適切な量で存在することを特徴とする。組成物は、液体、粉剤、延展性顆粒剤、乾燥水和性粉末剤、又は乾燥水和性顆粒剤の形態である。細菌株は、胞子又は栄養細胞の形態であることができる。細菌株は、バチルス属の株であることができる。バチルス属は、バチルス・プミルス、バチルス・リケニフォルミス、バチルス・サブティリス、又はこれらの組み合わせであることができる。バチルス・プミルスは、ＰＴＡ−１２１１６４として寄託されているバチルス・プミルスＲＴＩ２７９であり得る。バチルス・リケニフォルミスは、受託番号ＤＳＭ１７２３６として寄託されているバチルス・リケニフォルミスＣＨ２００であり得る。細菌株は、ＰＴＡ−１２１１６４として寄託されており、１．０×１０９ＣＦＵ／ｇ〜１．０×１０１２ＣＦＵ／ｇの濃度で存在するバチルス・プミルスＲＴＩ２７９、又は受託番号ＤＳＭ１７２３６として寄託されており、１．０×１０９ＣＦＵ／ｇ〜１．０×１０１２ＣＦＵ／ｇの範囲で存在するバチルス・リケニフォルミスＣＨ２００であることができる。
【００６３】
他の実施形態において、植物の成長に利益を与える製品が提供され、該製品組成物は、植物の成長に利益を与える特性を有する細菌又は真菌の株の生物学的に純粋な培養物を有する第１の組成物を含む第１の成分と、土壌殺虫剤を有する第２の組成物を含む第２の成分と、を含む。この実施形態において、各成分は、液体肥料として適切な製剤中に存在する。他の実施形態において、製品が提供され、該製品は、植物の成長を促進する特性を有する細菌株の生物学的に純粋な培養物を含む第１の組成物を含有する第１のコンテナと、少なくとも１つの農薬を含む第２の組成物を含有する第２のコンテナと、を含み、第１の組成物及び第２の組成物は、液体肥料と相溶性を有する製剤中に存在する。１つの好ましい実施形態において、農薬は土壌殺虫剤である。土壌殺虫剤は、上記に開示されている。これらの実施形態において、第１の成分及び第２の成分又は第１のコンテナ及び第２のコンテナは、１つの容器内に含有される、又は別々に包装され１つの製品中に組み合わせられることができる。各組成物は、植物の成長に利益を与えるために適切な量である。指示書は、植物の成長に利益を与えるために適切な量で液体肥料虫に存在する第１の組成物及び第２の組成物の組み合わせを、、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達するために提供され得る。それぞれ第１の組成物及び第２の組成物は、液体、粉剤、延展性顆粒剤、乾燥水和性粉末剤、又は乾燥水和性顆粒剤の形態である。細菌株は、胞子又は栄養細胞の形態であることができる。細菌株は、バチルス属の株であることができる。バチルス属は、バチルス・プミルス、バチルス・リケニフォルミス、バチルス・サブティリス、又はこれらの組み合わせであることができる。バチルス・プミルスは、ＰＴＡ−１２１１６４として寄託されているバチルス・プミルスＲＴＩ２７９であり得る。バチルス・リケニフォルミスは、受託番号ＤＳＭ１７２３６として寄託されているバチルス・リケニフォルミスＣＨ２００であり得る。細菌株は、ＰＴＡ−１２１１６４として寄託された、１．０×１０９ＣＦＵ／ｇ〜１．０×１０１２ＣＦＵ／ｇの濃度で存在するバチルス・プミルスＲＴＩ２７９、又は受託番号ＤＳＭ１７２３６として寄託された、１．０×１０９ＣＦＵ／ｇ〜１．０×１０１２ＣＦＵ／ｇの量で存在するバチルス・リケニフォルミスＣＨ２００であることができる。
【００６４】
１つの実施形態において、成長促進微生物と土壌殺虫剤とを液体肥料中に有する組成物を植物に送達することを含む、植物の成長に利益を与えるための方法が提供される。
組成物は、植物の成長に利益を与える特性を有する細菌又は真菌の株の生物学的に純粋な培養物と、土壌殺虫剤とを、液体肥料として適切な製剤中に含む。細菌又は真菌の株、及び土壌殺虫剤は、それぞれ、植物の成長に利益を与えるために十分な量で存在する。組成物は、液体肥料中で植物の成長の助長にとって適切な量で、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に、送達することができる。
【００６５】
１つの実施形態において、植物の成長に利益を与えるための方法が提供され、該方法は、液体肥料中にａ）植物成長促進特性を備える細菌株の的に純粋な培養物と、ｂ）土壌殺虫剤と、とを含む組成物を、植物又は植物の一部に対して、送達することを含み、各細菌株及び土壌殺虫剤は、それぞれ植物の成長に利益を与えるために十分な量で存在し、液体肥料中に植物の成長に利益を与えるために適切な量で存在する該組成物は、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達されることを特徴とする。
【００６６】
他の実施形態において、植物の成長に利益を与える特性を有する細菌又は真菌の株の生物学的に純粋な培養物を有する第１の組成物と、土壌殺虫剤を含む第２の成分を含む第２の組成物とを含む第１の成分の組み合わせを、液体肥料において、植物の成長に利益を与えるために適切な量で、送達することを含む、植物の成長に利益を与えるための方法が提供される。各成分は、液体肥料として適切な製剤中にあり、各成分は、植物の成長に利益を与えるために適切な量である。組成物は、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達されることができる。
【００６７】
本発明の分離された細菌株は、例えば、バチルス・プミルス、バチルス・リケニフォルミス、バチルス・サブティリス、及びそれらの組み合わせのような属を含むバチルス属の株を含むことができる。バチルス・プミルスは、例えば、ＰＴＡ−１２１１６４として寄託されているバチルス・プミルスＲＴＩ２７９であり得る。バチルス・リケニフォルミスは、例えば、受託番号ＤＳＭ１７２３６として寄託されているバチルス・リケニフォルミスＣＨ２００であり得る。バチルス・リケニフォルミスは、例えば受託番号ＤＳＭ１７２３１として寄託されているバチルス・サブティリスＣＨ２０１であることができる。
【００６８】
細菌株は、胞子又は栄養細胞の形態で存在することができる。植物の成長に利益を与えるために適切な細菌株の量は、１．０×１０８ＣＦＵ／ｈａ〜１．０×１０１３ＣＦＵ／ｈａの範囲であり得る。植物の成長に利益を与えるために適切なバチルス・プミルスＲＴＩ２７９の量は、１．０×１０８ＣＦＵ／ｈａ〜１．０×１０１３ＣＦＵ／ｈａの範囲であり得る。植物の成長に利益を与えるために好適なバチルス・リケニフォルミスＣＨ２００の量は、１．０×１０８ＣＦＵ／ｈａ〜１．０×１０１３ＣＦＵ／ｈａの範囲であり得る。
【００６９】
本発明の土壌殺虫剤は、アバメクチン、アセフェート、アセキノシル、アセタミプリド、アクリナトリン、アグリガタ（agrigata）、アラニカルブ、アルジカルブ、アルファシペルメトリン、アル−リン化物、アンブリシウス、アミトラズ（Amitraz）、アフェリナス（Aphelinus）、アフィディウス、アフィドレテス、アルテミシニン、オートグラフ・カリフォルニカＮＰＶ、アザジラクチン、アジンホス−ｍ、アゾサイクロチン、バチルス・サブティリス、バチルス・チューリンゲンシス・アイザワイ、バチルス・チューリンゲンシス・クルスタキー、バチルス・チューリンゲンシス、ボーベリア、ボーベリア・バシアーナ、ベンフラカルブ、ベンスルタップ、ベータシフルトリン、ベータシペルメトリン、ビフェナゼート、ビフェントリン、生物学的製剤、ビスピリバック−ナトリウム、ビスルタップ、ブロフルトリネート、ブロモホス−ｅ、ブロモプロピレート、Ｂｔ遺伝子組換コーン、Ｂｔ遺伝子組換大豆、ブプロフェジン、カズサホス、カルシウム―シアナミド、カプサイシン、カルバリル、カルボフラン、カルボスルファン、カルタップ、セラストラス（celastrus）抽出物、クロルアントラニリプロール、クロルベンズロン、クロルエトキシフォス、クロルフェナピル、クロルフェンビンホス、クロルフルアズロン、クロロピクリン、クロルピリホス、クロルピリホス−ｅ、クロルピリホス−ｍ、クロマフェノジド、クロフェンテジン、クロチアニジン、シニジアジン（cnidiadin）、クリオライト、シアノホス、シアントラニプロール、シエノピラフェン、シフルメトフェン、シフルトリン、シハロトリン、シヘキサチン、シペルメトリン、シロマジン、サイトカイニン、ダクヌサ、ダゾメット、ＤＣＩＰ、デルタメトリン、ジメトン−Ｓ−ｍ（Demeton-S-m）、ジアフェンチウロン、ジアジノン、ジクロロプロペン、ジクロルボス（ＤＤＶＰ）、ジコホル、ジフルベンズロン、ジグリファス、ジグリファス+ダクヌサ、ジメサカルブ、ジメトエート、ジノテフラン、ジスルホトン、ジチオエーテル、ドデシルアセテート、エマメクチン、エマメクチン−ベンゾエート、エンカルシア（encarsia）、エンドスルファン、ＥＰＮ、エレツモケルス（eretmocerus）、エスフェンバレレート、エチオン、エチプロール、エトプロホス、エチレン−ジブロミド、エトフェンプロックス、エトキサゾール、ユーカリプトール、脂肪酸、脂肪酸／塩、フェナミホス、フェナザキン、酸化フェンブタスズ、フェニトロチオン、フェノブカルブ（ＢＰＭＣ）、フェノキシカルブ、フェンプロパトリン、フェンピロキシメート、フェンチオン、フェンバレレート、フィプロール、フィプロニル、フロニカミド、フルベンジアミド、フルブロシトリネート（flubrocythrinate）、フルシトリネート、フルフェノクスロン、フルフェンジン、ホルメタネート、ホルモチオン、ホスチアゼート、フラチオカルブ、ガンマ−シハロトリン、ニンニクジュース、グラニュローシスウイルス、ハルモニア（harmonia）、オオタバコガ（heliothis armigera）ＮＰＶ、ヘキサフルムロン、ヘキシチアゾクス、イミシアホス、イミダクロプリド、不活性細菌、インドール−３−イル酪酸、インドキサカルブ、ヨードメタン、イプロジオン、鉄、イサゾホス、イソカルボホス（isocarbofos）、イソフェンホス、イソフェンホス−ｍ、イソプロカルブ、イソチオエート（isothioate）、イソキサチオン、カオリン、ラムダ−シハロトリン、レピメクチン、リンデン、リウヤンマイシン（liuyangmycin）、ルフェヌロン、マトリン、マトリン、マラチオン、メホスホラン、メタフルミゾン、メタアルデヒド、メタムカリウム、メタムナトリウム、メタリジウムアニソプリエ、メタミドホス、メチダチオン、メチオカルブ、メソミル、メトキシフェノジド、メチルブロミド、メトルカルブ（ＭＴＭＣ）、メビンホス、ミルベメクチン、鉱物油、マイレックス、ｍ−イソチオシアネート、モノクロトホス、モノスルタップ、クワ暗斑病菌（myrothecium verrucaria）、ナレド、ハモグリミドリヒメコバチ（neochrysocharis formos）、ニコチン、ニコチノイド、ニテンピラム、ノバルロン、油脂、オレイン酸、オメトエート、有機リン酸塩、ヒメハナカメムシ（orius）、他のピレスロイド、オキサミル、オキシジメトン−ｍ、オキシマトリン、ペシロマイセス、パラフィン油、パラチオン−ｅ、パラチオン−ｍ、パスツリア、ペルメトリン、石油、フェントエート、フェロモン、ホレート、ホサロン、ホスメット、ホスファミドン、リン酸、フォトラブダス、フォキシム、フィトセイウルス（phytoseiulus）、ピペロニルブトキシド、ピリミカルブ、ピリミホス−ｅ、ピリミホス−ｍ、植物油、コナガ（plutella xylostella）ＧＶ、多角体病（polyhedrosis）ウイルス、ポリフェノール抽出物、オレイン酸カリウム、ピレスロイド、プロフェノホス、プロパルギット、プロポキスル、プロスレル（prosuler）、プロチオホス、ピメトロジン、ピラクロホス、ピレトリン、ピリダベン、ピリダリル、ピリダフェンチオン、ピリフルキナゾン、ピリミジフェン、ピリプロキシフェン、キラヤ（quillay）抽出物、キナルホス、キノメチオネート、菜種油、ロテノン、サポニン、サポノジット（saponozit）、シラフルオフェン、ナトリウム化合物、ヘキサフルオロケイ酸ナトリウム、スピネトラム、スピノサッド、スピロジクロフェン、スピロメシフェン、スピロテトラマト、スターチ、ステイネルネマ（steinernema）、ストレプトマイセス、スルフルラミド、スルホキサフロール、硫黄、タウ−フルバリネート、テブフェノジド、テブフェンピラド、テブピリムホス、テフルベンズロン、テフルトリン、テメホス、テルブホス、テトラジホン、チアクロプリド、チアメトキザム、チオシクラム、チオジカルブ、チオファノックス、チオメトン、チオスルタップ−ナトリウム、トルフェンピラド、トラロメトリン、トランスジェニクス（例えばＣｒｙ３Ｂｂ１）、トリアザメート、トリアゾホス、トリクロルホン、トリコデルマ、トリコグランマ、トリフルムロン、バーティシリウム、ベラトリン及びゼータ−シペルメトリンを含むことができるが、これに限るものではない。
【００７０】
様々な実施形態において、土壌殺虫剤は、クロルピリホス−ｅ、シペルメトリン、テフルトリン、イミダクロプリド、ビフェントリン、クロルアントラニリプロール、チオジカルブ、テブピリミホス、カルボフラン、フィプロニル、ゼータ−シペルメトリン、テルブホス、ホレート、アセタミプリド、チアメトキザム、カルボスルファン、及びクロルエトキシホスを含むコーン殺虫剤であることができる。ジャガイモ用殺虫剤は、イミダクロプリド、オキサミル、チアメトキザム、クロルピリホス−ｅ、クロルアントラニリプロール、カルボフラン、フィプロニル、アセタミプリド、エトプロホス、テフルトリン、クロチアニジン、フェナミホス、ホレート、ビフェントリン、カルボスルファン、カズサホス及びテルブホスを含む。大豆用殺虫剤は、クロルアントラニリプロール、チアメトキザム、フルベンジアミド、イミダクロプリド、クロルピリホス−ｅ、ビフェントリン、チオジカルブ、フィプロニル、シペルメトリン、アセタミプリド、カルボスルファン、カルボフラン、及びホレートを含む。サトウキビ用殺虫剤は、フィプロニル、イミダクロプリド、チアメトキザム、クロルアントラニリプロール、エチプロール、カルボフラン、クロルピリホス−ｅ、カズサホス、ホレート、テルブホス、ビフェントリン、アバメクチン、カルボスルファン、シペルメトリン、オキサミル、及びアセタミプリドを含む。トマト用殺虫剤は、クロルアントラニリプロール、イミダクロプリド、チアメトキザム、クロルピリホス−ｅ、アセタミプリド、オキサミル、フルベンジアミド、カルボフラン、ビフェントリン、ゼータ―シペルメトリン、カズサホス及びテフルトリンを含む。野菜用殺虫剤は、アバメクチン、クロルアントラニリプロール、イミダクロプリド、クロルピリホス−ｅ、アセタミプリド、 チアメトキザム、フルベンジアミド、シペルメトリン、フィプロニル、オキサミル、ビフェントリン、クロチアニジン、テフルトリン、テルブホス、ホレート、カズサホス及びカルボスルファンを含む。バナナ用殺虫剤は、オキサミル、クロルピリホス−ｅ、テルブホス、カズサホス、カルボフラン、エトプロホス、アセタミプリド、シペルメトリン、ビフェントリン、フィプロニル及びカルボスルファンを含む。
【００７１】
１つ以上の実施形態において、土壌殺虫剤は、ビフェントリン、ピレスロイド、ビフェントリン、テフルトリン、ゼータ−シペルメトリン、有機リン酸塩、クロルエトキシホス、クロルピリホス−ｅ、テブピリムホス、シフルトリン、フィプロール、フィプロニル、ニコチノイド又はクロチアニジンの１つ又は組み合わせであり得る。土壌殺虫剤は、ビフェントリンとクロチアニジンとを含むことができる。土壌殺虫剤は、ビフェントリン又はゼータ−シペルメトリンを含むことができる。
【００７２】
殺虫剤は、ビフェントリンであることができ、組成物製剤は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルスクロースエステル、からなる群から選択される少なくとも１つの分散剤と、を含むことができる。ビフェントリン殺虫剤は、０．１ｇ／ｍｌ〜０．２ｇ／ｍｌの範囲の濃度で存在し得る。ビフェントリン殺虫剤は、約０．１７１５ｇ／ｍｌの濃度で存在し得る。ビフェントリン殺虫剤の適用量は、１ヘクタールあたりビフェントリン約０．１ｇ（ｇ  ａｉ／ｈａ）から、約１０００ｇ  ａｉ／ｈａの範囲、より好適には、約１ｇ  ａｉ／ｈａ〜約１００ｇ  ａｉ／ｈａの範囲であることができる。
【００７３】
本発明の組成物は、更に、生物学的又は化学的な殺虫剤、殺真菌剤、殺線虫剤、殺細菌剤、除草剤、植物抽出物、又は植物成長調整剤の１つ又は組み合わせを、植物の成長を促進するために及び／又は感受性植物において病原体感染に対する保護を与えるために十分な量で、含むことができる。組成物は、更に、殺線虫剤を含むことができ、殺線虫剤はカズサホスを含むことができる。
【００７４】
加えて、本発明の組成物及び方法の好適な殺虫剤、除草剤、殺真菌剤及び殺線虫剤は、以下を含むことができる。
【００７５】
殺虫剤：Ａ０）アグリガタ（agrigata）、アル−ホスフィド、アンブリセイウス、アフェリヌス（apherinus）、アフィディウス、アフィドレテス、アルテミシニン、オートグラファ・カリフォルニカＮＰＶ、アゾシクロチン、バチルス・サブティリス（bacillus-subtilis）、バチルス・チューリンゲンシス・アイザワイ（bacillus-thur.-aizawai）、バチルス・チューリンゲンシス・クルスタキー（bacillus-thur.-kurstaki）、バチルス・チューリンゲンシス（bacillus-thuringiensis）、ボーベリア（beauveria）、ボーベリア・バシアーナ（beauveria-bassiana）、ベータシフルトリン、生物学的製剤、ビスルタップ、ブロフルトリネート、ブロモホス−ｅ、ブロモプロピレート、Ｂｔ遺伝子組換コーン、Ｂｔ遺伝子組換大豆、カプサイシン、カルタップ、セラストラス（celastrus）抽出物、クロルアントラニリプロール、クロルベンズロン、クロルエトキシフォス、クロルフルアズロン、クロルピリホス−ｅ、シニジアジン（cnidiadin）、クリオライト、シアノホス、シアントラニリプロール、シハロトリン、シヘキサチン、シペルメトリン、ダクヌサ、ＤＣＩＰ、ジクロロプロペン、ジコホル、ジグリファス、ジグリファス+ダクヌサ、ジメタカルブ、ジチオエーテル、酢酸ドデシル、エマメクチン、エンカルシア（encarsia）、ＥＰＮ、エレツモセルス（eretmocerus）、エチレン−ジブロミド、ユーカリプトール、脂肪酸、脂肪酸／塩、フェナザキン、フェノブカルブ（ＢＰＭＣ）、フェンピロキシメート、フルブロシトリネート（flubrocythrinate）、フルフェンジン、ホルメタネート、ホルモチオン、フラチオカルブ、ガンマ−シハロトリン、ニンニクジュース、グラニュロシス−ウイルス、ハルモニア（harmonia）、オオタバコガ（heliothis armigera）ＮＰＶ、不活性細菌、インドール−３−イル酪酸、ヨードメタン、鉄、イソカルボホス（isocarbofos）、イソフェンホス、イソフェンホス−ｍ、イソプロカルブ、イソチオエート（isothioate）、カオリン、リンダン、リウヤンマイシン（liuyangmycin）、マトリン、メホスホラン、メタアルデヒド、メタリジウム−アニソプリエ、メタミドホス、メトルカルブ（ＭＴＭＣ）、鉱物油、マイレックス、ｍ−イソチオシアネート、モノスルタップ、ミロテシウム・ベルカリア（myrothecium verrucaria）、ナレド、ハモグリミドリヒメコバチ（neochrysocharis formos）、ニコチン、ニコチノイド、油脂、オレイン酸、オメトエート、オリウス（orius）、オキシマトリン、ペシロマイセス、パラフィン油、パラチオン−ｅ、パスツリア、石油、フェロモン、リン酸、フォトラブダス、フォキシム、フィトセイウルス（phytoseiulus）、ピリミホス−ｅ、植物油、プルテラ・キシロステラ（plutella xylostella）ＧＶ、多角体病（polyhedrosis）ウイルス、ポリフェノール抽出物、オレイン酸カリウム、プロフェノホス、プロスレル（prosuler）、プロチオホス、ピラクロホス、ピレトリン、ピリダフェンチオン、ピリミジフェン、ピリプロキシフェン、キラヤ（quillay）抽出物、キノメチオネート、菜種油、ロテノン、サポニン、サポノジット（saponozit）、ナトリウム化合物、フルオロケイ酸ナトリウム、スターチ、ステイネルネマ（steinernema）、ストレプトマイセス、スルフルラミド、硫黄、テブピリムホス、テフルトリン、テメホス、テトラジホン、チオファノックス、チオメトン���トランスジェニクス（例えば、Ｃｒｙ３Ｂｂ１）、トリアザメート、トリコデルマ、トリコグランマ、トリフルムロン、ベルチシリウム、ベルトリン、殺虫剤の異性体（例えば、カッパ−ビフェントリン、カッパ−テフルトリン）、ジクロロメゾチアズ、ブロフラニリド、ピラジフルミド；Ａ１）アルジカルブ、アラニカルブ、ベンフラカルブ、カルバリル、カルボフラン、カルボスルファン、メチオカルブ、メトミル、オキサミル、ピリミカルブ、プロポキスルおよびチオジカルブを含むカルバメート類；Ａ２）アセフェート、アジンホス−エチル、アジンホス−メチル、クロルフェンビンホス、クロルピリホス、クロルピリホス−メチル、デメトン−Ｓ−メチル、ジアジノン、ジクロルボス／ＤＤＶＰ、ジクロトホス、ジメトエート、ジスルホトン、エチオン、フェニトロチオン、フェンチオン、イソキサチオン、マラチオン、メタミダホス（methamidaphos）、メチダチオン、メビンホス、モノクロトホス、オキシメトエート、オキシデメトン−メチル、パラチオン、パラチオン−メチル、フェントエート、ホレート、ホサロン、ホスメット、ホスファミドン、ピリミホス−メチル、キナルフォス、テルブホス、テトラクロルビンホス、トリアゾホス及びトリクロルホンを含む有機リン酸塩類；Ａ３）エンドスルファンなどのシクロジエン有機塩素化合物類；Ａ４）エチプロール、フィプロニル、フルフィプロール、ピラフルプロール及びピリプロールを含むフィプロール類；Ａ５）アセタミプリド、クロチアニジン、ジノテフラン、イミダクロプリド、ニテンピラム、チアクロプリド及びチアメトキサムを含むネオニコチノイド類；Ａ６）スピノサド、スピネトラムなどのスピノシン類；Ａ７）アバメクチン、エマメクチン安息香酸塩、イベルメクチン、レピメクチン及びミルベメクチンを含むメクチン類由来の塩素チャネル活性剤；Ａ８）ヒドロプレン、キノプレン、メトプレン、フェノキシカルブ及びピリプロキシフェン等の幼若ホルモン類似体；Ａ９）ピメトロジン、フロニカミド及びピリプリキナゾン等の同翅類選択的摂食ブロッカー；Ａ１０）クロフェンテジン、ヘキシチアゾクス及びエトキサゾール等のダニ類成長阻害剤；Ａ１１）ジアフェンチウロン、酸化フェンブタスズ及びプロパルギット等のミトコンドリアＡＴＰ合成阻害剤；Ａ１２）ベンスルタップ、カルタップ塩酸塩、チオシクラム及びチオスルタップナトリウム塩ニコチン性アセチルコリン受容体チャンネルブロッカー；Ａ１３）ビストリフロン、ジフルベンズロン、フルフェノクスロン、ヘキサフルムロン、ルフェヌロン、ノバルロン、及びテフルベンズロンを含むベンゾイル尿素類由来のキチン生合成阻害剤タイプ０；Ａ１４）ブプロフェジン等のキチン生合成阻害剤タイプ１；Ａ１５）シロマジン等の脱皮かく乱物質；Ａ１６）メトキシフェノジド、テブフェノジド、ハロフェノジド及びクロマフェノジド等のエクジソン受容体アゴニスト；Ａ１７）アミトラズ等のオクトパミン受容体アゴニスト；Ａ１８）ピリダベン、テブフェンピラド、トルフェンピラド、フルフェネリム、シエノピラフェン、シフルメトフェン、ヒドラメチルノン、アセキノシル又はフルアクリピリム等のミトコンドリア複合体電子伝達阻害剤；Ａ１９）インドキサカルブ及びメタフルミゾン等の電位依存性ナトリウムチャネルブロッカー；Ａ２０）スピロジクロフェン、スピロメシフェンおよびスピロテトラマト等の脂質合成阻害剤；Ａ２１）フルベンジアミド、フタルアミド化合物（Ｒ）−３−クロロ−Ｎ１−｛２−メチル−４−［１，２，２，２−テトラフルオロ−１−（トリフルオロメチル）エチル]フェニル}−Ｎ２−（１−メチル−２−メチルスルフォニルエチル）フタルアミド及び（Ｓ）−３−クロロ−Ｎ１−｛２−メチル−４−［１，２，２，２−テトラフルオロ−１−（トリフルオロメチル）エチル］フェニル｝−Ｎ２−（１−メチル−２−メチルスルフォニルエチル）フタルアミド、クロラントラニリプロール及びシアントラニリプロール  ジアミド類由来のリアノジン受容体モジュレータ；Ａ２２）アザジラクチン、アミドフルメト、ビフェナゼート、フルエンスルホン、ピペロニルブトキシド、ピリダリル、スルホキサフロル等の作用機構が不明あるいは不明確な化合物；又は、Ａ２３）アクリナトリン、アレスリン、ビフェントリン、シフルトリン、ラムダ−シハロトリン、シペルメトリン、アルファ−シペルメトリン、ベータ−シペルメトリン、ゼータ−シペルメトリン、デルタメトリン、エスフェンバレレート、エトフェンプロックス、フェンプロパトリン、フェンプロパトリン、フェンバレレート、フルシトリネート、タウ−フルバリネート、ペルメトリン、シラフルオフェン及びトラロメトリンを含むピレスロイド類由来のナトリウムチャネルモジュレータ。
【００７６】
殺真菌剤：Ｂ０）ベンゾビンジフルピル、アンチペロノスポリック（anitiperonosporic）、アメトクトラジン、アミスルブロム、銅塩（例えば、水酸化銅、酸塩化銅、硫酸銅、過硫酸銅）、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブティリス・シノニム、バチルス・アミロリクエファシエンス（例えば、ＱＳＴ  ７１３、ＦＺＢ２４、ＭＢＩ６００、Ｄ７４７株）、メラレウカ・アルテルニフォリア（Melaleuca alternifolia）抽出物、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸及び塩、テクロフタラム（teclofthalam）、トリアゾキシド（triazoxide）、ピリオフェノン、有機油、炭酸水素カリウム、クロロタロニル、フルオロイミド；Ｂ１）ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノール及びイマザリルスルフェートを含むアゾール；Ｂ２）アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミド及び３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；Ｂ３）カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、
Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド、Ｎ−（３’，５−ジフルオロ−４’−メチル−ビフェニル−２−イル）−３−ジフルオロメチル−１−メチル−１Ｈ−ピラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロビフェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミド及びＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；Ｂ４）フルアジナム、ピリフェノックス、ブピリメート、シプロジニル、フェナリモル、フェリムゾン、
メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸及びピペラリンを含む複素環式化合物；Ｂ５）マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；又は、Ｂ６）グアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸及びその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、シモキサニル、ジメチリモール、エチリモール、フララキシル、メトラフェノン及びスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノール及びその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤。
【００７７】
除草剤：Ｃ１）アセチル−ＣｏＡカルボキシラーゼ阻害剤（ＡＣＣ）、例えば、アロキシジム、クレトジム、クロプロキシジム、シクロキシジム、セトキシジム、トラルコキシジム、ブトロキシジム、クレフォキシジム若しくはテプラロキシジム等のシクロヘキセノンオキシムエーテル；クロジナホップ−プロパルギル、シハロホップ−ブチル、ジクロホップ−メチル、フェノキサプロップ−エチル、フェノキサプロップ−Ｐ−エチル、フェンチアプロップエチル、フルアジホップ−ブチル、フルアジホップ−Ｐ−ブチル、ハロキシホップ−エトキシエチル、ハロキシホップ−メチル、ハロキシホップ−Ｐ−メチル、イソキサピリホップ、プロパキザホップ、キザロホップ−エチル、キザロホップ−Ｐ−エチル若しくはキザロホップ−テフリル等のフェノキシフェノキシプロピオン酸エステル；又は、フランプロップ−メチル若しくはフランプロップ−イソプロピル等のアリールアミノプロピオン酸；Ｃ２）アセトラクターゼ合成酵素阻害剤（ＡＬＳ）、例えば、イマザピル、イマザキン、イマザメタベンズ−メチル（イマザメ（ｉｍａｚａｍｅ））、イマザモックス、イマザピック若しくはイマゼタピル等のイミダゾリノン；ピリチオバック酸、ピリチオバック−ナトリウム、ビスピリバック−ナトリウム、ＫＩＨ−６１２７若しくはピリベンゾキシム等のピリミジルエーテル；フロラスラム、フルメトスラム若しくはメトスラム等のスルホンアミド；又は、アミドスルフロン、アジムスルフロン、ベンスルフロン−メチル、クロリムロン−エチル、クロルスルフロン、シノスルフロン、シクロスルファムロン、エタメトスルフロン−メチル、エトキシスルフロン、フラザスルフロン、ハロスルフロン−メチル、イマゾスルフロン、メトスルフロン−メチル、ニコスルフロン、プリミスルフロン−メチル、プロスルフロン、ピラゾスルフロン−エチル、リムスルフロン、スルホメツロン−メチル、チフェンスルフロン−メチル、トリアスルフロン、トリベヌロン−メチル、トリフルスルフロン−メチル、トリトスルフロン、スルホスルフロン、ホラムスルフロン若しくはヨードスルフロン等のスルホニル尿素；Ｃ３）アミド、例えば、アリドクロル（ＣＤＡＡ）、ベンゾイルプロップ−エチル、ブロモブチド、クロルチアミド、ジフェナミド、エトベンザニド、フルチアミド、ホサミン又はモナリド；Ｃ４）オーキシン除草剤、例えば、クロピラリド若しくはピクロラム等のピリジンカルボン酸；又は、２，４−Ｄ若しくはベナゾリン；Ｃ５）オーキシン輸送阻害剤、例えば、ナプタラメ又はジフルフェンゾピル；Ｃ６）カロテノイド生合成阻害剤、例えば、ベンゾフェナップ、クロマゾン、ジフルフェニカン、フルオロクロリドン、フルリドン、ピラゾリネート、ピラゾキシフェン、イソキサフルトール、イソキサクロルトール、メソトリオン、スルコトリオン（クロルメスロン）、ケトスピラドックス、フルルタモン、ノルフルラゾン又はアミトロール；Ｃ７）エノールピルビルシキミ酸−３−リン酸合成酵素阻害剤（ＥＰＳＰＳ）、例えば、グリホサート又はスルホサート；Ｃ８）グルタミン合成酵素阻害剤、例えば、ビアラホス又はグルホシネート−アンモニウム；Ｃ９）脂質生合成阻害剤、例えば、アニロホス若しくはメフェナセット等のアニリド；ジメテナミド、Ｓ−ジメテナミド、アセトクロール、アラクロール、ブタクロール、ブテナクロール、ジエタチル−エチル、ジメタクロール、メタザクロール、メトラクロール、Ｓ−メトラクロール、プレチラクロール、プロパクロール、プリナクロール、テルブクロール、テニルクロール若しくはキシラクロール等のクロロアセトアニリド；ブチレート、シクロエート、ジ−アレート、ジメピペレート、ＥＰＴＣ．エスプロカルブ、モリネート、ペブレート、プロスルホカルブ、チオベンカルブ（ベンチオカルブ）、トリ−アレート若しくはバーナレート等のチオ尿素；又は、ベンフレセート若しくはパーフルイドン；Ｃ１０）有糸分裂阻害剤、例えば、アシュラム、カルベタミド、クロルプロファム、オルベンカルブ、プロピザミド、プロファム若しくはチオカルバジル等のカルバメート；ベネフィン、ブトラリン、ジニトラミン、エタルフルラリン、フルクロラリン、オリザリン、ペンジメタリン、プロジアミン若しくはトリフルラリン等のジニトロアニリン；ジチオピル若しくはチアゾピル等のピリジン；又は、ブタミホス、クロルタール−ジメチル（ＤＣＰＡ）若しくはマレイン酸ヒドラジド；Ｃ１１）プロトポルフィリノーゲンＩＸオキシダーゼ阻害剤、例えば、アシフルオルフェン、アシフルオルフェン−ナトリウム、アクロニフェン、ビフェノックス、クロミトロフェン（ＣＮＰ）、エトキシフェン、フルオロジフェン、フルオログリコフェン−エチル、フォメサフェン、フリロキシフェン、ラクトフェン、ニトロフェン、ニトロフルオルフェン若しくはオキシフルオルフェン等のジフェニルエーテル；オキサジアルギル若しくはオキサジアゾン等のオキサジアゾール；アザフェニジン、ブタフェナシル、カルフェントラゾン、カルフェントラゾン−エチル、シニドン−エチル、フルミクロラックペンチル、フルミオキサジン、フルミプロピン、フルプロパシル、フルチアセット−メチル、スルフェントラゾン若しくはチジアジミン等の環状イミド；又は、ＥＴ−７５１、ＪＶ  ４８５若しくはニピラクロフェン等のピラゾール；Ｃ１２）光合成阻害剤、例えば、プロパニル、ピリデート若しくはピリダフォル；ベンタゾン等のベンゾチアジアジノン；ジニトロフェノール、例えば、ブロモフェノキシム、ジノセブ、ジノセブ−アセテート、ジノテルブ若しくはＤＮＯＣ；シペルクアット−クロリド、ジフェンゾクワット−メチルスルフェート、ジクワット若しくはパラコート−ジクロリド等のジピリジレン；クロルブロムロン、クロロトルロン、ジフェノクスロン、ジメフロン、ジウロン、エチジムロン、フェヌロン、フルオメツロン、イソプロチュロン、イソウロン、リヌロン、メタベンズチアズロン、メタゾール、メトベンズロン、メトキスロン、モノリニュロン、ネブロン、シデュロン若しくはテブチウロン等の尿素；ブロモキシニル若しくはイオキシニル等のフェノール；クロリダゾン；アメトリン、アトラジン、シアナジン、デスメイン、ジメタメトリン、ヘキサジノン、プロメトン、プロメトリン、プロパジン、シマジン、シメトリン、テルブメトン、テルブトリン、テルブチラジン若しくはトリエタジン等のトリアジン；メタミトロン等のトリアジノン；ブロマシル、レ���シル若しくはテルバシル等のウラシル；又は、デスメジファム若しくはフェンメジファム等のビスカルバメート；Ｃ１３）相乗剤、例えば、トリジファン等のオキシラン；Ｃ１４）ＣＩＳ細胞壁合成阻害剤、例えば、イソキサベン又はジクロベニル；Ｃ１６）様々な他の除草剤、例えば、ダラポン等のジクロロプロピオン酸；エトフメセート等のジヒドロベンゾフラン；クロルフェナック（フェナック）等のフェニル酢酸；又は、アジプロトリン、バルバン、ベンスリド、ベンズチアズロン、ベンゾフルオール、ブミナホス、ブチダゾール、ブツロン、カフェンストロール、クロルブファム、クロルフェンプロップ−メチル、クロロクスロン、シンメチリン、クミルロン、シクルロン、シプラジン、シプラゾール、ジベンジルロン、ジプロペトリン、ダイムロン、エグリナジン−エチル、エンドタール、エチオジン、フルカバゾン、フルオルベントラニル、フルポキサム、イソカルバミド、イソプロパリン、カルブチレート、メフルイジド、モヌロン、ナプロップアミド、ナプロップアニリド、ニトラリン、オキサシクロメフォン、フェニソファム、ピペロホス、プロシアジン、プロフルアリン、ピリブチカルブ、セクブメトン、スルファレート（ＣＤＥＣ）、テルブカルブ、トリアジフラム、トリアゾフェナミド若しくはトリメツロン；又は、それらの環境適合性の塩。
【００７８】
殺線虫剤又はバイオ殺線虫剤（bionematicides）：ベノミル、クロエトカルブ、アルドキシカルブ、ティルペート（tirpate）、ジアミダホス、フェナミホス、カズサホス、ジクロフェンチオン、エトプロホス、フェンスルホチオン、ホスチアゼート、ヘテロホス、イサミドホフ（isamidofof）、イサゾホス、ホスホカルブ、チオナジン、イミシアホス、メカルホン、アセトプロール、ベンクロチアズ、クロルピクリン、ダゾメット、フルエンスルホン、１，３−ジクロロプロペン（telone）、ジメチルジスルフィド、メタムナトリウム、メタムカリウム、メタム塩（全てのＭＩＴＣジェネレーター）、メチルブロミド、土壌改良剤（例えば、マスタードシード、マスタードシード抽出物）、土壌燻蒸剤、アリルイソチオシアネート（ＡＩＴＣ）、ジメチルスルフェート、及びフルフラール（アルデヒド）。
【００７９】
本発明の好適な植物成長調整剤は以下を含む：
植物成長調整剤：Ｄ１）クロフィブリン酸、２，３，５−トリヨード安息香酸等のアンチオーキシン；Ｄ２）４−ＣＰＡ、２，４−Ｄ、２，４−ＤＢ、２，４−ＤＥＰ、ジクロルプロップ、フェノプロップ、ＩＡＡ、ＩＢＡ、ナフタレンアセトアミド、α−ナフタレン酢酸、１−ナフトール、ナフトキシ酢酸、ナフテン酸カリウム、ナフテン酸ナトリウム、２，４，５−Ｔ等のオーキシン；Ｄ３）２ｉＰ、ベンジルアデニン、４−ヒドロキシフェンエチルアルコール、カイネチン、ゼアチン等のサイトカイニン；Ｄ４）カルシウムシアナミド、ジメチピン、エンドタール、エセフォン、メルホス、メトクスロン、ペンタクロロフェノール、チジアズロン、トリブホス等の枯れ葉剤；Ｄ５）アビグリシン、１−メチルシクロプロペン等のエチレン阻害剤；Ｄ６）ＡＣＣ、エタセラシル、エテホン、グリオキシム等のエチレン放出剤；Ｄ７）フェンリダゾン、マレイン酸ヒドラジド等のガメトシド；Ｄ８）ジベレリン、ジベレリン酸等のジベレリン；Ｄ９）アブシジン酸、アンシミドール、ブトラリン、カルバリル、クロルホニウム、クロルプロファム、ジケグラック、フルメトラリン、フルオリドアミド、ホサミン、グリホジン、イソピリモル、ジャスモン酸、マレイン酸ヒドラジド、メピコート、ピプロクタニル、プロヒドロジャスモン、プロファム、チアオジエアン（ｔｉａｏｊｉｅａｎ）、２，３，５−トリヨード安息香酸等の成長阻害剤；Ｄ１０）クロルフルレン、クロルフレノール、ジクロルフルレノール、フルレノール等のモルファクチン；Ｄ１１）クロルメコート、ダミノジド、フルルプリミドール、メフルイジド、パクロブトラゾール、テトシクラシス、ウニコナゾール等の成長抑制剤；Ｄ１２）ブラシノリド、ブラシノリド−エチル、ＤＣＰＴＡ、ホルクロルフェヌロン、ヒメキサゾール、プロスレル（ｐｒｏｓｕｌｅｒ）、トリアコンタノール等の成長刺激剤；Ｄ１３）バクメデシュ、ベンゾフルオール、ブミナホス、カルボン、コリンクロリド、シオブチド、クロフェンセット、シアナミド、シクラニリド、シクロヘキシミド、シプロスルファミド、エポコレオン、エチクロゼート、エチレン、フフェンチオウレア（ｆｕｐｈｅｎｔｈｉｏｕｒｅａ）、フララン（ｆｕｒａｌａｎｅ）、ヘプトパルギル、ホロスルフ、イナベンフィド、カレタザン、ヒ酸鉛、メタスルホカルブ、プロヘキサジオン、ピダノン、シントフェン、トリアペンテノール、トリネキサパック等の分類されていない植物成長調整剤。
【００８０】
本発明の化学製剤は、任意の適切な従来の形態、例えば、乳剤（ＥＣ）、懸濁剤（ＳＣ）、サスポエマルジョン剤（ＳＥ）、カプセル懸濁剤（ＣＳ）、水分散性粒剤（ＷＧ）、乳化性顆粒剤（ＥＧ）、油中水型エマルジョン剤（ＥＯ）、水中油型エマルジョン剤（ＥＷ）、マイクロエマルジョン剤（ＭＥ）、油分散剤（ＯＤ）、油混和性フロアブル剤（ＯＦ）、油混和性液剤（ＯＬ）、可溶性濃縮剤（ＳＬ）、超低容量懸濁剤（ＳＵ）、超低容量液剤（ＵＬ）、分散性濃縮剤（ＤＣ）、水和剤（ＷＰ）、又は農業上許容されるアジュバントと組み合わせた技術的に実現可能な任意の製剤であることができる。
【００８１】
本発明の１つの実施形態において、植物の成長に利益を与えるための組成物が提供され、該組成物は、ＰＴＡ−１２１１６４として寄託されているバチルス・プミルスＲＴＩ２７９の胞子の生物学的に純粋な培養物と、ビフェントリン殺虫剤とを、液体肥料として適切な製剤中に含み、バチルス・プミルスＲＴＩ２７９とビフェントリン殺虫剤とは、それぞれ植物の成長に利益を与えるために適切な量で存在することを特徴とする。
【００８２】
本発明の１つの実施形態において、植物の成長に利益を与えるための組成物が提供され、該組成物は、受託番号ＤＳＭ１７２３６として寄託されているバチルス・リケニフォルミスＣＨ２００の胞子の生物学的に純粋な培養物と、ビフェントリン殺虫剤とを、液体肥料として適切な製剤中に含み、バチルス・リケニフォルミスＣＨ２００とビフェントリン殺虫剤とは、それぞれ植物の成長に利益を与えるために適切な量で存在することを特徴とする。
【００８３】
本発明の１つの実施形態において、製品が提供され、該製品は、受託番号ＤＳＭ１７２３６として寄託されているバチルス・リケニフォルミスＣＨ２００の胞子の生物学的に純粋な培養物を有する第１の組成物と、液体肥料として製剤化されているビフェントリン殺虫剤を有する第２の組成物と、植物の成長に利益を与えるために適切な量で液体肥料に存在する第１の組成物及び第２の組成物の組み合わせを、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達するための指示書と、を含み、第１の組成物及び第２の組成物は、別々に包装されており、各成分は、植物の成長に利益を与えるために適切な量であることを特徴とする。
【００８４】
１つの実施形態において、バチルス・リケニフォルミスＣＨ２００（ＤＳＭＺ受託番号ＤＳＭ１７２３６）の生物学的に純粋な培養物を含む第１の組成物を含有する第１のコンテナと、ビフェントリンを含む第２の組成物を含有する第２のコンテナとを含む製品が提供され、第１の組成物及び第２の組成物は、それぞれ液体肥料と相溶性を有する製剤中にあることを特徴とする。バチルス・リケニフォルミスＣＨ２００は、１×１０９ＣＦＵ／ｇから１×１０１２ＣＦＵ／ｇの濃度で存在してもよい。第２の組成物は、更に更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルスクロースエステル、からなる群から選択される少なくとも１つの分散剤と、を含むことができる。を含んでもよい。第１のコンテナ及び第２のコンテナは、１つの包装内に、又は別々に包装され１つの製品中に組み合わせられて含有されることができる。各組成物は、植物の成長に適した量で存在する。植物の成長に利益を与えるために適切な量で液体肥料中に存在する第１の組成物及び第２の組成物を組み合わせて、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に対してに送達するため、指示書が提供されることができる。
【００８５】
本発明の１つの実施形態において、製品が提供され、該製品は、ＰＴＡ−１２１１６４として寄託されているバチルス・プミルスＲＴＩ２７９の胞子の生物学的に純粋な培養物を有する第１の組成物と、液体肥料として製剤されたビフェントリン殺虫剤を有する第２の組成物と、第１の組成物及び第２の組成物を組み合わせて、液肥中においてで植物の成長に適切な量で、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達するための指示書と、を含み、第１の組成物及び第２の組成物は、別々に包装されており、各成分は植物の成長に利益を与えるために適切な量であることを特徴とする。
【００８６】
１つの実施形態において、バチルス・プミルスＲＴＩ２７９（ＡＴＣＣ受託番号ＰＴＡ−１２１１６４）の生物学的に純粋な培養物を含む第１の組成物を含有する第１のコンテナと、ビフェントリンを含む第２の組成物を含有する第２のコンテナとを含み、第１の組成物及び第２の組成物は液体肥料と相溶性を有する製剤中にあることを特徴とする製品が提供される。バチルス・プミルスＲＴＩ２７９は、１×１０９ＣＦＵ／ｇから１×１０１２ＣＦＵ／ｇの濃度で存在してもよい。第２の組成物は、更に更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルスクロースエステル、からなる群から選択される少なくとも１つの分散剤と、を含むことができる。を含んでもよい。第１のコンテナ及び第２のコンテナは、１つのパッケージ内に、又は別々に包装され１つの製品中に組み合わせられて含有されることができる。各組成物は、植物の成長に利益を与えるため適切な量で存在する。第１の組成物及び第２の組成物を組み合わせて、液体肥料中で植物の成長に適切な量で、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に対してに送達するための指示書を提供することができる。
【００８７】
本発明の１つの実施形態において、植物の成長に利益を与えるための方法が提供され、該方法は、成長促進微生物と土壌殺虫剤とを含む組成物を液体肥料中で植物に送達することを含み、該組成物は、ＰＴＡ−１２１１６４として寄託されたバチルス・プミルスＲＴＩ２７９の生物学的に純粋な培養物の胞子と、ビフェントリン殺虫剤とを液体肥料として適切な製剤中に含み、バチルス・プミルスＲＴＩ２７９とビフェントリン殺虫剤とは、それぞれ植物の成長に利益を与えるために適切な量で存在し、該組成物は、液体肥料中に植物の成長に利益を与えるために適切な量で存在し、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地にて送達されることを特徴とする。
【００８８】
本発明の１つの実施形態において、植物の成長に利益を与えるための方法が提供され、該方法は、成長促進微生物と土壌殺虫剤とを含む組成物を液体肥料中で植物に送達することを含み、該組成物は、受託番号ＤＳＭ１７２３６として寄託されているバチルス・リケニフォルミスＣＨ２００の生物学的に純粋な培養物の胞子と、ビフェントリン殺虫剤と、を液体肥料として適切な製剤中に含み、バチルス・リケニフォルミスＣＨ２００とビフェントリン殺虫剤とは、それぞれ植物の成長に利益を与えるために適切な量で存在し、該組成物は、液体肥料中で植物の成長に利益を与えるために適切な量で、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達されることを特徴とする。
【００８９】
本発明の１つの実施形態において、植物の成長に利益を与えるための方法が提供され、該方法は、植物に対して、受託番号ＤＳＭ１７２３６として寄託されているバチルス・リケニフォルミスＣＨ２００の生物学的に純粋な培養物を有する第１の組成物と、ビフェントリン殺虫剤を有する第２の組成物との組み合わせを液体肥料において送達することを含み、各組成物は、液体肥料として適切な製剤中にあり、各成分は植物の成長に利益を与えるために適切な量であり、組み合わせは、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達されることを特徴とする。
【００９０】
本発明の１つの実施形態において、植物の成長に利益を与えるための方法が提供され、該方法は、植物に対して、ＰＴＡ−１２１１６４として寄託されているバチルス・プミルスＲＴＩ２７９の生物学的に純粋な培養物を有する第１の組成物と、ビフェントリン殺虫剤を有する第２の組成物との組み合わせを液体肥料において送達することを含み、各組成物は、液体肥料として適切な製剤中にあり、各成分は植物の成長に利益を与えるために適切な量であり、組み合わせは、植物の種、植物の根、植物の切断片、植物の移植片、植物のカルス組織、植物周囲の土壌又は成長培地、土壌又は成長培地での種まきの前の土壌又は成長培地、又は土壌又は成長培地での植物、植物の切断片、植物の移植片又は植物のカルス組織の植え付け前の土壌又は成長培地に送達されることを特徴とする。
【００９１】
実施例
以下の実施例は、本発明の主題の代表的な実施形態を実施するため、当業者に指針を提供するために含まれる。本発明と当業者の一般的なレベルとに照らし、当業者は、以下の実施例は例示的なものに過ぎず、本開示の範囲から逸脱することなく多くの変更、修正、および変更を採用可能であることを理解することができる。
【００９２】
実施例１
バチルス・プミルスとしての細菌分離株の配列解析による同定
本明細書でＲＴＩ２７９と命名された植物に関連する細菌株は、ＮＹのブドウ園で生育するメロンブドウの根圏土壌から分離された。ＲＴＩ２７９株の１６Ｓ  ｒＲＮＡ及びｒｐｏＢ遺伝子は、配列決定され、続いてＢＬＡＳＴを使用し、ＮＣＢＩ及びＲＤＰデータベース中の他の既知の細菌株と比較された。ＲＴＩ２７９の１６Ｓ  ＲＮＡ配列（ＳＥＱ  ＩＤ  Ｎｏ１）は、バチルス・プミルスＳＡＦＲ−０３２（B. pumilus SAFR-032）を含むバチルス・プミルスの８つの他の菌株の１６Ｓ  ｒＲＮＡ遺伝子配列と同一であると判断された。これは、ＲＴＩ２７９がバチルス・プミルスであることを裏付ける。ＲＴＩ２７９のｒｐｏＢ遺伝子配列（ＳＥＱ  ＩＤ  Ｎｏ２）が、バチルス・プミルスＳＡＦＲ−０３２株中の遺伝子と最高レベルの遺伝子類似性を有する（換言すると９９％の配列同一性）であるが、ＤＮＡレベルでは、４７のヌクレオチドの差異があり、ＲＴＩ２７９がバチルス・プミルスの新しい菌株であることを示すと判断された。
【００９３】
実施例２
ＲＴＩ２７９バチルス・プミルス中の浸透圧ストレス応答に関連する遺伝子
バチルス・プミルス株ＲＴＩ２７９のゲノムの更なる配列解析は、この菌株が、他の密接に関連するバチルス・プミルス株中ではホモログが存在しない、浸透圧ストレス応答に関連する遺伝子を有することを明らかにした。これは、バチルス・プミルスＲＴＩ２７９中で発見された浸透圧ストレス応答オペロンを取り囲み、それを含むゲノム組織の模式図を示す図１で説明されている。図１Ａにおいて、上のセットの矢印は、相対的な転写方向をＲＴＩ２７９株のタンパク質コード領域を表し、相対的な転写方向を示す。比較のため、２つのバチルス・プミルス参照株であるＡＴＣＣ７０６１及びＳＡＦＲ−０３２の対応する領域を、ＲＴＩ２７９株の下に示す。名称が見いだされない限り、遺伝子は４文字の名称で識別される。名称が見いだされなかった場合、遺伝子の略語は図１Ｂに示す凡例に示される。２つの参照株と比較したＲＴＩ２７９の遺伝子によってコードされるタンパク質のアミノ酸同一性の程度は、代表的な矢印の陰影の程度（凡例について図１Ｃ参照）と、矢印の下に示された同一性パーセンテージとの両方によって示される。挿入図は、ＲＴＩ２７９で同定された浸透圧ストレス応答オペロンと、２つの参照株からの対応するコードされた領域に対するアミノ酸同一性のパーセントと、を示す。図１から、浸透圧ストレスオペロンを囲む領域では３つの異なる菌株由来の遺伝子において高い程度の配列同一性があるが、浸透圧ストレス応答オペロン内では低い程度の配列同一性しか有さない（すなわち、浸透圧ストレスオペロン内では５５％未満であるが周囲の領域では９０％以上）。
【００９４】
図１Ｄは、図１Ａに由来する浸透圧ストレスオペロンの挿入絵を拡大させたものを示す。バチルス・プミルスＲＴＩ２７９株における浸透圧ストレスオペロン中の４つの遺伝子を、ＲＡＳＴを用いて最初に同定し、それらの同一性は、パエニバチルス属（Paenibacillus sp.）ＦＳＬ  Ｒ５−１９２に対する９７％アミノ酸同一性に基づくプロリン／グリシンベタインＡＢＣ輸送ペルメアーゼ（図１Ｄに示すproW）、パエニバチルス属（Paenibacillus sp.）ＦＳＬ  Ｒ７−２７７に対する９７％アミノ酸同一性に基づくプロリン／グリシンベタインＡＴＰアーゼ（図１Ｄに示すproV）、パエニバチルス属（Paenibacillus sp.）ＦＳＬ  Ｒ７−２７７に対する９７％アミノ酸同一性に基づくプロリン／グリシンベタインＡＢＣ輸送ペリプラズム成分（図１Ｄに示すProX）、及びパエニバチルス属（ＦＳＬ  Ｒ５−１９２）に対する９３％アミノ酸同一性に基づくプロリン／グリシンベタインＡＢＣパーミアーゼ（図１Ｄに示すproZ）を使用して絞り込んだ。ＲＴＩ２７９における浸透圧ストレスオペロンの組織構造は、標準的なオペロン構成とは異なるが、必要とされる全ての遺伝子はＲＴＩＢＬＡＳＴｐ２７９のオペロン中に存在する。ＲＴＩ２７９株において同定された４つのｐｒｏ遺伝子の各々のタンパク質生成物は、ＮＣＢＩ配列データベースに寄託されたパエニバチルス（Paenibacillus）株のゲノム中の対応する配列と９０％を超える配列同一性を有するが、これらの配列とＲＴＩ２７９と最も類似するＢ．プミルスにおける対応する領域との間には、３０−５２％の配列同一性しかない。従って、浸透圧ストレスオペロンは、Ｂ．プミルス株にとって新規の特徴である。
【００９５】
実施例３
小麦におけるバチルス・プミルス分離株ＲＴＩ２７９の成長効果
小麦における早期の植物成長及び活力における細菌分離株の適用の効果を決定した。実験は、表面滅菌した発芽小麦種子を、１０＋７ｃｆｕ／ｍｌの細菌の懸濁液中で、室温で振とう下で２日間接種することによって行った（対照群は、細菌細胞なしに実施した）。続いて、対照及び接種種子を、砂混合物中に二重に４インチ鉢に植えた。各鉢は、１−１．５ｃｍの深さに、小麦品種ＨＡＲＤ  ＲＥＤの５つの種が植えられた。鉢は、２４℃／１８℃の成長チャンバ中で、１４／１０時間の明暗サイクルでインキュベートし、必要に応じて１３日間水を与えた。１０の種ごとの全重量として乾燥重量を決定した。乾燥重量は、１０の種子当たりの全重量として決定され、ＲＴＩ２７９株が接種された植物について、総重量が３６３ｍｇに等しく、非接種の対照については総重量が３３３．８ｍｇと等しく、非接種対照に対し、乾燥重量で８．７％の増加という結果であった。
【００９６】
実施例４
コーンにおけるバチルス・プミルス分離株ＲＴＩ２７９の成長効果 
コーンにおける成長及び活力への細菌分離株ＲＴＩ２７９の適用の影響が決定され、データは以下の表Ｉに示した。実験は、表面滅菌した発芽コーン種子を、１０＋８ｃｆｕ／ｍｌの細菌の懸濁液中で、室温で振とう下で２日間接種することによって行った。続いて、接種された種子を、ＰＲＯＭＩＸ  ＢＸで満たした１ガロン鉢の中に植えた。ぞれぞれの処理のため、９つの鉢に、１つのコーン種子を５ｃｍの深さに植えた。鉢は、２２℃、１４／１０の明暗サイクルで温室中においてインキュベートし、必要に応じて週に２回水を与えた。４２日後、苗を刈り取り、それらの高さ、生および乾燥重量を計測し、非接種対照植物について得られたデータと比較した。結果は以下の表１に示す。
【００９７】
表I：コーンにおけるバチルス・プミルス分離株ＲＴＩ２７９の成長促進特性
【表１】
2018508470.tif 000002
【００９８】
実施例５
バチルス・プミルス分離株ＲＴＩ２７９の抗菌特性
主要な植物病原体に対する分離株の拮抗能力を、プレートアッセイにて測定した。植物真菌病原体に対する拮抗作用の評価のためのプレートアッセイは、４ｃｍの距離で８６９の寒天プレート上で最近分離株と病原性真菌とを並べて培養することにより実施した。プレートは室温でインキュベートされ、２週間まで増殖阻害、ニッチ占領（niche occupation）又は効果なしといった成長挙動について定期的にチェックを行った。拮抗能力についてのデータは以下の表ＩＩに示す。
【００９９】
表II：主要な植物病原体に対するバチルス・プミルス分離株ＲＴＩ２７９の拮抗能力
【表２】
2018508470.tif 000003
【０１００】
実施例６
バチルス・プミルスＲＴＩ２７９の表現型形質
植物の成長への好影響及び拮抗特性に加え、ＲＴＩ２７９株について様々な表現型形質も測定し、データを以下の表IIIに示した。アッセイは、表III記載の文章に説明された手順に従って実施された。
【０１０１】
表III：表現型アッセイ：植物ホルモン生成、アセトイン及びインドール酢酸（ＩＡＡ）及びバチルス・プミルス分離株ＲＴＩ２７９の栄養循環
【表３】
2018508470.tif 000004
【０１０２】
酸及びアセトイン検査：豊富な８６９の培地中のスターター培養物２０μｌをメチルレッド−ＶＯＧＥＳ  ＰＲＯＳＫＡＵＥＲ培地（Sigma Aldrich 39484）１ｍｌへ移した。 培養物を３０℃、２００ｒｐｍで２日間インキュベートした。０．５ｍｌの培養物を移し、０．２ｇ／ｌのメチルレッド５０μｌを加えた。赤色は酸の生成を示す。残存する０．５ｍｌの培養物を０．３ｍｌの５％アルファ−ナフトール（Sigma Aldrich N 1000）と混合し、続いて０．１ｍｌの４０％ＫＯＨと混合した。インキュベーションの３０分後にサンプルを解釈した。 赤色の発色はアセトイン生成を示した。 酸性およびアセトイン試験の両方について、非接種培地を陰性対照として用いた（Isenberg, H.D. (ed.). 2004. Clinical microbiology procedures handbook, vol. 1, 2 and 3, 2nd ed. American Society for Microbiology, Washington, D.C.）。
【０１０３】
インドール−３−酢酸；豊富な８６９培地中の２０μｌのスターター培養物を、０．５ｇ／ｌトリプトファン（Sigma Aldrich T0254）を補充した１ｍｌ  １／１０  ８６９培地へ移した。 培養物を３０℃、２００ＲＰＭで暗所において４−５日間インキュベートした。試料を遠心分離し、０．１ｍｌの上清を０．２ｍｌのＳａｌｋｏｗｓｋｉ試薬（３５％過塩素酸、１０ｍＭ  ＦｅＣｌ３）と混合した。暗所において３０分間インキュベートした後、ピンク色を呈する試料はＩＡＡ合成について陽性と記録された。ＩＡＡ希釈液（Sigma Aldrich 15148）を陽性対照として使用し、非接種培地を陰性対照として使用した（Taghavi et al. 2009, Applied and Environmental Microbiology 75: 748-757.）。
【０１０４】
リン酸塩可溶化試験；細菌を、グルコース１０ｇ、カルシウム三リン酸５ｇ、塩化カリウム０．２ｇ、硫酸アンモニウム０．５ｇ、塩化ナトリウム０．２ｇ、硫酸マグネシウム七水和物０．１ｇ、酵母抽出物０．５ｇ、硫酸マンガン２ｍｇ、硫酸鉄２ｍｇ、１リットルあたり１５ｇの寒天からなり、ｐＨ７であり、オートクレーブされたＰｉｋｏｖｓｋａｙａ（ＰＶＫ）寒天培地上に播種した。透明な領域が、リン酸塩可溶化細菌の指標であった（Sharma et al. 2011, Journal of Microbiology and Biotechnology Research 1: 90-95）。
【０１０５】
キチナーゼ活性；１０％湿重量のコロイダルキチンを変性ＰＶＫ寒天培地（グルコース１０ｇ、塩化カリウム０．２ｇ、硫酸アンモニウム０．５ｇ、塩化ナトリウム０．２ｇ、硫酸マグネシウム七水和物０．１ｇ、酵母抽出物０．５ｇ、硫酸マンガン２ｍｇ、硫酸鉄２ｍｇ及び１リットルあたり１５ｇの寒天、ｐＨ７、オートクレーブ処理）。 細菌をこれらのキチンプレート上に播種し、プレートを室温でインキュベートした。 透明な領域が、キチナーゼ活性を示した（N. K. S. Murthy and Bleakley. 2012, The Internet Journal of Microbiology. 10(2)）。
【０１０６】
プロテアーゼ活性：細菌を、１０％ミルクを補充した８６９寒天培地上へ播種し、プレートを室温でインキュベートした。透明な領域が、プロテアーゼ活性を示唆するタンパク質分解能力を示した（Sokol et al. 1979, Journal of Clinical Microbiology. 9: 538-540）。
【０１０７】
成長プロファイル；Ｂ．プミルス株ＳＴＩ２７９の一晩培養物を、３０℃で一晩増殖させた。ＲＴＩ２７９培養物の１０−６希釈液を作成し、８６９寒天培地上に播種し、５℃〜３７℃の範囲の室温でインキュベートした。異なる温度での個々のコロニーの出現及び増殖を２週間モニターした。
【０１０８】
実施例７
バチルス・プミルスＲＴＩ２７９及びバチルス・リケニフォルミスＣＨ２００種子発芽、根の発達及び構造への影響
実験は、種子発芽及び根の発達及び構造におけるＢ．プミルスＲＴＩ２７９株の種への適用の効果を決定するために実施した。実験は、ＲＴＩ２７９の栄養細胞及び胞子を使用し、以下に説明するように実施した。
【０１０９】
栄養細胞：ＲＴＩ２７９の栄養細胞を用いたアッセイは、コーン、綿、キュウリ、大豆、トマト及び小麦の種子を使用して実施した。ＲＴＩ２７９は、凍結ストックから８６９培地上に対し播種され、３０℃で一晩増殖させた。分離されたコロニーをプレートからとり、８６９ブロス２０ｍｌを含む５０ｍｌコニカルチューブへと接種した。培養物は、３０℃、２００ＲＰＭで、振とうしながら一晩インキュベートした。一晩培養物を１０分間、１０，０００ＲＰＭで遠心分離した。上清を捨て、ペレットを洗浄のため、ＭｇＳＯ４中に再懸濁させた。混合物を再度１０分間、１０，０００ＲＰＭで遠心分離した。上清を捨て、ペレットを変性ホーグランド溶液中に再懸濁させた。そして、混合物を希釈し、初期濃度（１０°）を得た。これから、ＲＴＩ２７９培養物の１０−１、１０−２、１０−３、１０−４及び１０−５希釈液を作製した。それぞれの種類の種子の実験のため、１００ｍｌペトリ皿に、ＲＴＩ２７９又は対照、希釈、及び日付でラベルをつけた。滅菌ろ紙を各皿の底に置いた。５〜８の種子を、種子の種類に応じて、１つのペトリ皿に置いた（例えば、コーンのような大きな種子はより少ない数の種子／皿とした）。ＲＴＩ２７９の各希釈液５ｍｌを皿に加え、種子を２１℃でインキュベートした。コーン、綿、キュウリ、トマト及び小麦の種子は、１００、１０−１及び１０−２希釈液で実験した。大豆種子は、希釈液のすべての範囲で実験した。対照皿は、添加の細菌のない種子と変性ホーグランド溶液とを含む。皿の画像は、４及び７日に撮影した。プレートが乾燥し始めた際、滅菌ＤＩ水を皿に加えた。データを以下の表IVに示す。加えて、図２Ａ−２Ｄは、対照（Ａ）と比較した成長の７日後の、それぞれ（Ｂ）１．０４×１０６ＣＦＵ／ｍｌ、（Ｃ）１．０４×１０５ＣＦＵ／ｍｌ、及び（Ｄ）１．０４×１０４ＣＦＵ／ｍｌに対応する１０−３（Ｂ）、１０−４（Ｃ）及び１０−５（Ｄ）によって稀釈されたＲＴＩ２７９の栄養細胞の接種後、根毛の発達においてプラスの効果を示す大豆の画像である。データは、ＲＴＩ２７９の添加が、非接種の対照種子と比べて微細な根毛の形成を刺激することを示す。微細な根毛は、水、栄養の取り込み、根圏中の他の微生物との植物相互作用において重要である。
【０１１０】
表IV；ＲＴＩ２７９の栄養細胞を用いた処理のための種子発芽アッセイ
【表４】
2018508470.tif 000005
【０１１１】
胞子：ＲＴＩ２７９の胞子を用いた実験のため、菌株を１４Ｌ発酵槽中の２ＸＳＧ培地で胞子を形成させた。胞子は、１．０８×１０１０ＣＦＵ／ｍｌの濃度で収集され、後で洗浄されなかった。これを１．０×１０７、１０６及び１０５ＣＦＵ／ｍｌの濃度まで希釈した。滅菌濾紙を各滅菌プラスチック成長チャンバの底に置き、１０個のキュウリ、ラディッシュ及びトマトの種子を各容器中に置いた。ＲＴＩ２７９の胞子の各希釈物３ｍＬを成長チャンバに添加し、これを閉じ、１９℃で７日間インキュベートし、その後、実生を画像化した。実生の成長におけるプラスの効果は、根の全体的な大きさ、根毛の数及び実生のシュート長の増加によって確認した。キュウリとラディッシュについては、１．０８×１０６ＣＦＵ／ｍｌの濃度で、トマトとケンタッキーブルーグラスについては１．０×１０５ＣＦＵ／ｍｌの濃度でＲＴＩ２７９株のプラスの効果が認められた。
【０１１２】
種子被覆処理：ＲＴＩ２７９を含む組成物で被覆された種子を使用した実験のため、以下を実施した。種子の処理は、合計５×１０６、５×１０７、又は５×１０８ｃｆｕのＲＴＩ２７９株を含み、種子あたり５×１０４、５×１０５、５×１０６ｃｆｕの平均となる２５０μｌ溶液と１００個の種子とを混合することによって実施した。種子は、抗真菌性化合物であるフルジオキソニル（Fludioxonil）及びメタラキシル（Metalaxyl）でも被覆された。種子の発芽のため、滅菌濾紙を滅菌された透明な箱の中に置いた。滅菌ピンセットを使用し、約６〜１０個の種子を濾紙の上に等間隔で置いた。続いて、１５ｍｌの改変ホーグランド溶液を、各箱へ添加した。次いで、箱を覆い、暗所で保管し、実験の変動を低減した。作物は、種子の発芽及びシュートと根の成長における顕著な差異について、１２日間の全期間にわたり４日毎に観察した。植物の発芽を確実にするために、改変ホーグランド溶液も定期的に添加した。Ｂ．プミルスＳＴＩ２７９による種子の被覆の効果を、細菌が添加されていないフルジオキソニル及びメタラキシルで処理された種子と比較した。データを、以下の表Vに示す。
【０１１３】
表V：ＲＴＩ２７９を用いた種子処理後の種子発芽及び成長の結果
【表５】
2018508470.tif 000006
【０１１４】
胞子：ＣＨ２００の胞子を使用した実験のため、菌株を１４Ｌ発酵槽中の２ＸＳＧ培地で胞子を形成させた。胞子は、７．７×１０９ＣＦＵ／ｍＬの濃度で収集され、後で洗浄されなかった。改変ホーグランド溶液を用いて、これを１．０×１０８、１０７及び１０６ＣＦＵ／ｍＬの濃度まで希釈した。滅菌濾紙を各滅菌プラスチック成長チャンバの底に置き、コーン６個、キュウリ５個、大豆６個、カボチャ５個、及びトマト１０個の種子を各容器中に置いた。ＣＨ２００の胞子の各希釈物３ｍＬを成長チャンバに添加し、これを閉じ、２１℃で５日間インキュベートし、その後、実生を画像化した。実生の成長におけるプラスの効果は、根の全体的な大きさ、根毛の数及び実生のシュート長の増加によって確認した。コーンについては、１．０×１０６ＣＦＵ／ｍＬの濃度で、キュウリと大豆については、１．０×１０７ＣＦＵ／ｍＬの濃度でＣＨ２００株のプラスの効果が認められた。いずれの作物についても、ＣＨ２００のどの濃度でも有害な影響はみられなかった。
【０１１５】
実施例８
ビフェントリン殺虫剤及び液体肥料を用いた成長促進バチルス株のコーン種子への畝内適用のシミュレーション
以下の畝内適用シミュレーション実験は、種子の植え付け時に土壌殺虫剤と液体肥料と組み合わせて適用された場合の植物の成長を高める成長促進菌株の能力を測定するため、温室内で実施した実験は、バチルス・プミルスＲＴＩ２７９、受託番号ＤＳＭ１７２３６として寄託されているバチルス・リケニフォルミスＣＨ２００、受託番号ＤＳＭ１７２３１として寄託されているバチルス・サブティリスＣＨ２０１及びＣＨ２００株とＣＨ２０１株との組み合わせについて、以下に説明するように実施した。結果は、予期しないことに、これらの成長促進細菌株が、砂、低いｐＨ型の土壌もしくは浸透圧ストレス条件下にある他の土壌内の種子へ液体肥料を適用することで生ずることがある成長阻害効果を一時的に改善することを示した。結果は、成長促進菌株を用いた処理の結果として、例えば発芽後の最初の１週間以内にシュート高さが１０−２０％増加する、最長の節根長が２０−４８％増加するように、植物成長と発展において著しい改善であることを更に示した。
【０１１６】
実験は以下のように実施した。適用の７日前に、Ｂ．プミルスＲＴＩ２７９の胞子を、水１０ｍｌ＋０．１％ＴＷＥＥＮ２０中に再懸濁させ、１．５×１０９ｃｆｕ／ｍｌの溶液を準備し、暗所条件下に４℃で保持した。活性成分である受託番号ＤＳＭ１７２３６として受託されているバチルス・リケニフォルミスＣＨ２００と、受託番号ＤＳＭ１７２３１として受託されているバチルス・リケニフォルミスＣＨ２０１を有するＮＥＭＩＸ  Ｃ（CHR HANSEN, Hφrsholm Denmark）は、液体肥料と混合できないことが分かったため、実験では、ＣＨ２００株とＣＨ２０１株との組み合わせをＮＥＭＩＸ  Ｃ製品の代わりに使用した。ＣＨ２００株とＣＨ２０１株とのそれぞれの胞子を水１０ｍｌ＋０．１％ＴＷＥＥＮ２０中に再懸濁させ、適用日に、１．０×１０１０ｃｆｕ／ｍｌの溶液を準備した。
【０１１７】
ペニントン（Pennington）土壌又は中西部土壌を、試験開始の５日前に、長さ９インチの２インチ円形試験管に加えた。試験開始前日（−１ＤＡＰ）まで試験管を成長チャンバ中に保持し、土壌カラム全体に水分が維持されるように必要に応じて水を与えた。土壌表面と試験管の上縁との間に、１．５インチの空間が残った。ペニントン土壌は、ロームベースの土壌（砂３７％、シルト４５％、クレー１８％）であり、ｐＨが５．２５であり、３６ｐｐｍ（Ｐ）、１５４ｐｐｍ（Ｋ）、２０６ｐｐｍ（Ｍｇ）、１４２０ｐｐｍ（Ｃａ）、１５．６３ｐｐｍ（Ｚｎ）、４．５１ｐｐｍ（Ｃｕ）、４８．３３ｐｐｍ（Ｍｎ）、０．３９ｐｐｍ（Ｂ）、２９４ｐｐｍ（Ｆｅ）を含み、２．９％の有機物を含むと分析された。対照的に、イリノイ州、ワイオミング州由来の中西部土壌は、ｐＨが７．１であり、３６ｐｐｍ（Ｐ）、１４３ｐｐｍ（Ｋ）、７７２ｐｐｍ（Ｍｇ）、３７４４ｐｐｍ（Ｃａ）、１．６ｐｐｍ（Ｚｎ）、２．９ｐｐｍ（Ｃｕ）、８７ｐｐｍ（Ｍｎ）、１．４ｐｐｍ（Ｂ）、２９１ｐｐｍ（Ｆｅ）を含み、４．３％の有機物を含むと分析された。土壌は微生物的に活性であった。試験管は、温室中に保持され、完全に無作為化なデザインで配置された。試験管は、それぞれ合計３２の植物をサポート可能なようにフラット（flat）に保持された。フラットは、試験中に再配置させたり、動かしたりはしなかった。
【０１１８】
試験は、ビフェントリン化学殺虫剤（CAPTURE LFR; FMC Corporation, Philadelphia, PA）を１１２ｇ／Ａｉ／ＨＡで用いて実施し、加えて、対照として液体肥料（NUCLEUS O-PHOS: 8-24-0; Helena Chemical Company, Angier, NC）だけで４６．７７Ｌ／ＨＡで用い、更に成長促進細菌株の胞子を様々な量で更に添加して実施した。特に、ＲＴＩ２７９株についての処理は、以下のように、１）非処理、２）液体肥料のみ（液体肥料）、３）殺虫剤＋液体肥料（ＣＡＰＴＵＲＥ  ＬＦＲ＋液体肥料）、４）殺虫剤＋液体肥料＋６．２５×１０９ＣＦＵのＲＴＩ２７９（ＲＴＩ２７９  低率（low rate））、５）殺虫剤＋液体肥料＋１．２５×１０１１ＣＦＵのＲＴＩ２７９（ＲＴＩ２７９  中率（mid rate））、６）殺虫剤＋液体肥料＋２．５×１０１２ＣＦＵのＲＴＩ２７９（ＲＴＩ２７９  高率（high rate））とした。
【０１１９】
残りの菌株の処理は、以下のように、１）非処理、２）液体肥料のみ（液体肥料）、３）殺虫剤＋液体肥料（ＣＡＰＴＵＲＥ  ＬＦＲ＋液体肥料）、４）殺虫剤＋液体肥料＋２．５×１０１２ＣＦＵのＣＨ２００（ＣＨ２００）、５）殺虫剤＋液体肥料＋２．５×１０１２ＣＦＵのＣＨ２０１（ＣＨ２０１）、６）殺虫剤＋液体肥料＋２．５×１０１２ＣＦＵのＣＨ２００及びＣＨ２０１（ＣＨ２００＋ＣＨ２０１）とした。
【０１２０】
実験の開始日（０ＤＡＰ）、ＲＴＩ２７９の胞子の原液を冷蔵庫から出し、全ての他の処理を０ＤＡＰの朝に秤量した。非処理の試験を除き、全ての処理は、肥料の溶液中に懸濁され、各鉢の中央に、１８１μｌの量で適用した。前の胞子生存率試験では、肥料が胞子発芽へ悪影響を及ぼさないことを確認した。それぞれの処理を含むプラスチックカップを、ピペットの各排出間で旋回／撹拌した。続いて、個々のコーン種子（PIONEER 33M53）を処理済みの土壌の上に置き、正確に１．５インチの非処理の土壌で覆った。各種子を覆うために必要な土壌の堆積は、予め決定し、鉢及び処理の間で均一な土壌堆積を保証するように、プラスチックカップを特定のサイズまでカットした。処理は、ホース及び噴霧器アタッチメントを介した０．５インチのオーバーヘッド型灌漑で散水した。処理あたり、４０回反復した。出現率の評価は、４、５、６及び７ＤＡＰで記録した。土壌から最長の葉までの植物の高さは、８ＤＡＰに計算した。全ての処理鉢は、追加の根及びシュートの成長と発達とを縮小させるため、１２ＤＡＰに寒い成長チャンバ（１５℃）へ移動した。
【０１２１】
土壌の型により出現応答は異なった。ペニントン土壌では、５ＤＡＰ時点で、液体肥料を含む全ての処理について植物の出現の減少が検出されたが、この負の応答は、中西部土壌を含む試験管では検出されなかった。液体肥料を用いた全ての処理は、中西部土壌へ適用された場合、５ＤＡＰ時点での出現が増加し、出現パーセントの増加は、７．５％からＲＴＩ２７９処理の種子については４５％までの範囲である。
【０１２２】
１２ＤＡＰに、鉢を４日間にわたって破壊的にサンプリングした。測定には、種子根長、最長の節根長、平均シュート長、乾燥シュート重量、及び乾燥根の重量が含まれる。根及びシュートは、トレイ上に保管し、昆虫実験室の環境条件に保ち、７日の乾燥時間後、乾燥重量を収集した。データを図３乃至７、及び以下の表ＶＩに示す。
【０１２３】
特に、図３Ａ〜３Ｂは、殺虫剤と液体肥料と共に成長を促進する細菌株の胞子を用いて処理をしたコーン種子を植えた後、１２日のコーンあたりの平均種子根長を、ペニントン土壌と中西部土壌とのそれぞれにおいて肥料を加えない種子に対する比較を示す棒グラフである。図４Ａ〜４Ｂは、成長促進菌株の胞子で処理された植物あたりの節根長の、肥料を与えない種子に対する比較を示す同じ型のグラフである。図５Ａ〜５Ｂは、成長促進菌株の胞子を用いて処理した植物あたりの平均シュート長の、肥料を与えない種子に対する比較を示す同じ型のグラフである。図６Ａ〜６Ｂは、成長促進菌株の胞子で処理された植物あたりの平均の乾燥シュート重量の、肥料を与えない種子に対する比較を示す同じ型のグラフである。図７Ａ〜７Ｂは、成長促進菌株の胞子で処理された植物あたりの平均の乾燥根の重量の、肥料を与えない種子に対する比較を示す同じ型のグラフである。
【０１２４】
ペニントン土壌及び中西部土壌の両方において、平均種子根長は、未処理の試験で最長であり、肥料処理のマイナスの効果を明らかにした（図３Ａ〜３Ｂ）。しかしながら、このマイナスの効果は、ペニントン土壌では、ＲＴＩ２７９成長促進胞子の適用で部分的に逆転する。ペニントン土壌では、平均乾燥根重量も、未処理の試験で最大であり、ＲＴＩ２７９胞子処理の追加により、マイナスの肥料効果を改善した（図７Ａ）。しかしながら、大きなマイナスの肥料効果は、乾燥根重量において、中西部土壌では観察されず、全ての成長促進菌株の胞子の添加は、著しい乾燥根重量の増加という結果であった（図７Ａ〜７Ｂ）。ペニントン及び中西部土壌の両方で、非処理の試験と比較して、全ての成長促進菌株の胞子の添加について、より長い節根が検出された（図４Ａ〜４Ｂ）。
【０１２５】
ペニントン土壌及び中西部土壌の両方で、肥料だけの処理において、シュート長においてマイナスの効果が観察された。全ての成長促進菌株の胞子の添加は、非処理の検査と比較して、両方の土壌タイプでシュート長が増加したという結果であった（図５Ａ〜５Ｂ）。乾燥シュート重量は、成長促進菌株の胞子を欠いてペニントン土壌で成長したものよりも中西部土壌で成長した苗が重かった（図６Ａ−６Ｂ）。しかしながら、再度、ペニントン土壌及び中西部土壌の両方で、平均乾燥シュート重量は、成長促進菌株の全ての胞子で処理をした種子について著しく増加した（図６Ａ〜６Ｂ）。
【０１２６】
中西部土壌：８ＤＡＰで、最も高い割合（２．５×１０１２ＣＦＵ）で中西部土壌に対して適用されたＲＴＩ２７９細胞処理は、非処理試験（データは示さず）と比較して全体の植物の高さが１ｃｍより大きく異ならなかった。しかしながら、１２ＤＡＰまでに、ＲＴＩ２７９について全ての割合にわたって平均シュート長が、２５６ｍｍであり、非処理試験と比較し、２１．８ｍｍ長かった。肥料のみの処理では、試験の終了時点で最も短いシュートであり、非処理で肥料を与えない処理と比べて９％短かった。中西部土壌内では、ＲＴＩ２７９細胞処理に曝された根は、非処理試験、肥料のみ及びＣＡＰＴＵＲＥ  ＬＦＲ＋肥料よりも重かった（図７Ａ）。中西部土壌では、ＣＨ２００、ＣＨ２０１及びＣＨ２００＋ＣＨ２０１処理は、より長いシュートを生み出し、ＣＨ２０１の畝内適用は、最も長い平均シュート（２７１ｍｍ）を生み出した。肥料だけの処理は、試験の終了時点で最も短いシュートであり、非処理、肥料を与えない対照と比べて９％短かった（図５Ａ〜５Ｂ）。
【０１２７】
ペニントン土壌：ＲＴＩ細胞処理について、シュート高さは、１２ＤＡＰでは、ペニントン土壌で成長し苗より低かった。平均では、ＲＴＩ２７９についてのシュート長は、ペニントン土壌では４％短かった。１２ＤＡＰまでに、ＲＴＩ２７９の全ての適用割合は、非処理、肥料のみ及びＣＡＰＴＵＲＥ  ＬＦＲ＋肥料の群に対して統計的により長いシュートを有していた。ＲＴＩ２７９細胞処理について全ての比率にわたって、平均シュート長は、２４６ｍｍであり、非処理試験よりも３７ｍｍ長かった。
【０１２８】
中西部土壌において、成長促進細菌株の胞子の添加のあり及びなしで、ＣＡＰＴＵＲＥ  ＬＦＲ＋液体肥料を用いた植え付け時にコーン種子の処理の比較データは、以下の表ＶＩに示す。表中のデータは、成長促進菌株を用いたコーン種子の処理が、出現後最初の一週間以内にシュート高さにおいて１０〜２０％増加し、最も長い節根において非常に著しい増加（２０〜４８％）を提供することを示す。節根は、しっかりと自立することに貢献する。自立の成功は、ステージＶ２からＶ６までの節根の初期の発達に大きく依存する（Nielson、R.L. 2013）。中西部の土壌において、成長促進菌株の添加は、最長の節根長さを増加させ、節根系の減少に伴って生ずる「無根コーン症候群」を防ぐことを助ける（Thomison, P. 2012）。
【０１２９】
表VI：中西部土壌における成長促進細菌胞子のあり及びなしでの化学殺虫剤ＣＡＰＴＵＲＥ  ＬＦＲと液体肥料との処理後のコーンにおけるシュート及び最長の節根長の比較
【表６】
2018508470.tif 000007
【０１３０】
まとめると、土壌の型に基づき、出現に関し異なる応答が観察された。ペニントン土壌では、５ＤＡＰ時点で、キャリアとしての液体肥料を含む全ての処理について、出現する苗のパーセントが減少した。液体肥料をペニントン土壌に試験開始の２４時間前に適用した場合の付加的な研究でも、同様の観察がなされた。１２ＤＡＰの時点で、ペニントン土壌で成長したコーンの乾燥根重量は、液体肥料を用いない処理について最も重く、以前のデータと一致した。液体肥料の使用に関連する早期の苗の出現及び／又は乾燥根重量が減少する現象は、中西部土壌では検出されなかった。
【０１３１】
２つの土壌タイプ間の１つの主要な差異は、ｐＨ（ペニントンは５．２５、中西部は７．１）である。マクロ及びミクロの栄養に関連する他の差異は、本明細書中の上記に挙げた。肥料の処理は、ペニントン土壌中の若い発芽苗（germinating seedlings）に一過性の悪影響を及ぼした可能性がある。しかし、ＣＡＰＴＵＲＥ  ＬＦＲと肥料に加え、成長促進細菌胞子を用いて処理された種子は、より長い節根、及び長く／重いシュートという結果となり、苗は、肥料がない、及びＣＡＰＴＵＲＥ  ＬＦＲと肥料の対照よりも長かった。しかし、ＣＡＰＴＵＲＥ  ＬＦＲおよび肥料および増殖促進細菌胞子で処理した種子は、より長い節根及びより長い/より重い芽をもたらし、シーリングは、肥料を含まない及びＣＡＰＴＵＲＥ  ＬＦＲ及び肥料対照よりも大きかった。成長促進細菌胞子の添加は直ちに植え付け効果を有し、明らかに若い苗（seeding）を肥料の燃焼から保護するために役立った。成長促進細菌胞子の添加は、迅速な、植え付け時の効果を有し、明らかに若い苗を肥料焼けから守るのを助ける。
【０１３２】
実施例９
土壌殺虫剤と組み合わせた液体肥料中でバチルス・プミルスＲＴＩ２７９の畝中での送達
以下の実験は、中西部コーンベルトにわたる野外条件での、殺虫剤と液体肥料との適用と組み合わせ、種子の植え付けと一緒に畝内に適用された場合の、バチルス・プミルスＲＴＩ２７９の植物の成長における効果を測定するために実施した。
【０１３３】
実験はコーンを使用して実施した。ＲＴＩ２７９株は、殺虫剤及び液体肥料を適用するために使用される特別な適用リグを用いて適用された。肥料（NUCLEUS O-PHOS: 8-24-0; Helena Chemical Company, Angier, NC）は、非処理試験を除く全てに組み合わせに対し、１エーカーあたり５ガルの比率で適用された。殺虫剤（ＣＡＰＴＵＲＥ  ＬＦＲ（ビフェントリン）；FMC Corporation, Philadelphia, PA）は、１１２ｇ／Ａｉ／ＨＡで、非処理試験及び肥料のみの試験基準を除く全ての処理に対して適用した。これらの研究は、ＣＡＰＴＵＲＥ  ＬＦＲ＋肥料処理も含む。ＲＴＩ２７９は、ＣＡＰＴＵＲＥ  ＬＦＲと肥料と共に１．２５×１０１１ｃｆｕ／Ｈａ（低率）、２．５×１０１２ｃｆｕ／Ｈａ（中率）及び２．５×１０１３ｃｆｕ／Ｈａ（高率）の３つの比率で適用された。特に、処理は、以下の１）非処理、２）液体肥料のみ、３）ＣＡＰＴＵＲＥ  ＬＦＲ＋液体肥料、４）ＣＡＰＴＵＲＥ  ＬＦＲ＋液体肥料＋ＲＴＩ２７９低率、５）ＣＡＰＴＵＲＥ  ＬＦＲ＋液体肥料＋ＲＴＩ２７９中率、及び６）ＣＡＰＴＵＲＥ  ＬＦＲ＋液体肥料＋ＲＴＩ２７９高率である。
【０１３４】
それぞれの処理は、コーンの植え付け時に、以下の州、ＩＮ、ＩＡ、ＮＥ、ＳＤ、ＮＤ、ＫＳ、ＯＨ、ＭＮ、ＩＬ、ＷＩ、ＬＡ及びＧＡの２０の異なる場所で、畝内に適用した。これらの環境全体は、コーンベルト全体にわたり良好な生育条件で最適であった。各施行は、各処理について６回反復した。収量を各適用について測定したデータを図８〜１０に示す。
【０１３５】
図８は、ＣＡＰＴＵＲＥ  ＬＦＲ＋液体肥料だけの適用に対する、ＣＡＰＴＵＲＥ  ＬＦＲ＋液体肥料と共にバチルス・プミルスＲＴＩ２７９の高率（２．５×１０１３ｃｆｕ／Ｈａ）についての２０地点中１０地点でもたらされたコーンの収量の増加を示す棒グラフである。収量における増加（ブッシェル／エーカー）を、ｙ軸に示し、ｘ軸の棒は、収量が増加する結果となった１０の異なる地点を表す。図９は、２０地点のうち１２地点で収量が増加したことを示す結果となった、バチルス・プミルスＲＴＩ２７９の中率（２．５×１０１２ｃｆｕ／Ｈａ）での適用についてのデータを示すことを除き、同様の棒グラフである。図１０は、同様に２０地点のうち１２地点で収量が増加したことを示す結果となった、バチルス・プミルスＲＴＩ２７９の低率（１．２５×１０１１ｃｆｕ／Ｈａ）での適用についてのデータを示すことを除き、同様の棒グラフである。ＣＡＰＴＵＲＥ  ＬＦＲ＋液体肥料だけに対する、液体肥料に加えＣＡＰＴＵＲＥ  ＬＦＲを組み合わせ、ＲＴＩ２７９の適用割合の関数としての２０の野外試験をわたる収量の平均増加は、高、中、及び低い適用割合について、それぞれ３．６５、２．１及び２．２ブッシェル／エーカーであった。
【０１３６】
実施例１０
土壌殺虫剤と組み合わせた液体肥料におけるバチルス・リケニフォルミスＣＨ２００の畝内送達
以下の実験は、中西部コーンベルトにわたる野外条件での、殺虫剤と液体肥料との適用と組み合わせて種子の植え付けと共に畝内に適用された場合の、バチルス・リケニフォルミスＣＨ２００の植物の成長における効果を測定するために実施した。
【０１３７】
実験は、コーンについて実施した。ＣＨ２００株は、殺虫剤及び液体肥料を適用するために使用される特別な適用リグを用いて適用された。肥料（NUCLEUS O-PHOS: 8-24-0; Helena Chemical Company, Angier, NC）は、非処理試験を除く全てに組み合わせに対し、１エーカーあたり５ガルの比率で適用された。殺虫剤（ＣＡＰＴＵＲＥ  ＬＦＲ（ビフェントリン）；FMC Corporation, Philadelphia, PA）は、１１２ｇ／Ａｉ／ＨＡで、非処理試験及び肥料のみの試験基準を除く全ての処理に対して適用した。これらの研究は、ＣＡＰＴＵＲＥ  ＬＦＲ＋肥料処理も含む。ＣＨ２００は、ＣＡＰＴＵＲＥ  ＬＦＲと肥料と共に１．２５×１０１１ｃｆｕ／Ｈａ（低率）、２．５×１０１２ｃｆｕ／Ｈａ（中率）及び２．５×１０１３ｃｆｕ／Ｈａ（高率）の３つの比率で適用された。特に、処理は、以下の１）非処理、２）液体肥料のみ、３）ＣＡＰＴＵＲＥ  ＬＦＲ＋液体肥料、４）ＣＡＰＴＵＲＥ  ＬＦＲ＋液体肥料＋ＣＨ２００低率、５）ＣＡＰＴＵＲＥ  ＬＦＲ＋液体肥料＋ＣＨ２００中率、及び６）ＣＡＰＴＵＲＥ  ＬＦＲ＋液体肥料＋ＣＨ２００高率である。
【０１３８】
それぞれの処理は、コーンの植え付け時に、以下の州、ＩＮ、ＩＡ、ＮＥ、ＳＤ、ＮＤ、ＫＳ、ＯＨ、ＭＮ、ＩＬ、ＷＩ、ＬＡ及びＧＡの２０の異なる場所で、畝内に適用した。これらの環境全体は、コーンベルト全体にわたり良好な生育条件で最適であった。各施行は、各処理について６回反復した。収量を各適用につい測定し、データを図１１〜１３に示す。
【０１３９】
図１１は、ＣＡＰＴＵＲＥ  ＬＦＲ＋液体肥料だけの適用に対する、ＣＡＰＴＵＲＥ  ＬＦＲ＋液体肥料と共にバチルス・リケニフォルミスＣＨ２００の高率（２．５×１０１３ｃｆｕ／Ｈａ）について、２０地点中９地点でもたらされたコーンの収量の増加を示す棒グラフである。収量における増加（ブッシェル／エーカー）を、ｙ軸に示し、ｘ軸の棒は、収量が増加する結果となった９の異なる地点を表す。図１２は、２０地点のうち１３地点で収量が増加したことを示す結果となった、バチルス・リケニフォルミスＣＨ２００の中率（２．５×１０１２ｃｆｕ／Ｈａ）での適用についてのデータを示すことを除き、同様の棒グラフである。図１３は、同様に２０地点のうち１４地点で収量が増加したことを示す結果となった、バチルス・リケニフォルミスＣＨ２００の低率（１．２５×１０１１ｃｆｕ／Ｈａ）での適用についてのデータを示すことを除き、同様の棒グラフである。
【０１４０】
ＣＡＰＴＵＲＥ  ＬＦＲ＋液体肥料だけに対する、液体肥料に加えＣＡＰＴＵＲＥ  ＬＦＲを組み合わせ、ＣＨ２００の適用割合の関数としての２０の野外試験をわたる収量の平均増加は、高、中、及び低い適用割合について、それぞれ４．６５、４．１及び２．２ブッシェル／エーカーであった。
【０１４１】
実施例１１
土壌殺虫剤と組み合わせた液体肥料におけるバチルス・リケニフォルミスＣＨ２００の畝内送達−一般的な水分及び乾燥ストレス
最適及び乾燥ストレス条件下でのコーンの成長におけるＢ．リケニフォルミスＣＨ２００株の役割を評価するために温室実験を実施した。これらの研究結果は、２つの水環境下でＣＡＰＴＵＲＥ  ＬＦＲ＋肥料（８−２４−０）と共に細菌株ＣＨ２００を畝内への適用することが、コーンの早期の成長利益を提供することができることを示した。水ストレス土壌条件では、肥料は、初期の根系の発達にネガティブな影響を与えたが、４１ＤＡＰ（Ｖ６ステージ）までに、ＣＡＰＴＵＲＥ  ＬＦＲ＋ＣＨ２００中のこれらの植物は、統計的により厚い茎、統計的により重い乾燥シュート重量及び統計的により重い乾燥根重量（例えば、図１４Ａ〜１４Ｃ参照）を有した。最適な水条件では、コーンをＣＨ２００株で処理した場合に統計的に厚い茎が４１ＤＡＰで測定されたことを除き、限られた統計的差異がＣＡＰＴＵＲＥ  ＬＦＲとＣＡＰＴＵＲＥ  ＬＦＲ＋ＣＨ２００との間で検出された。
【０１４２】
材料及び方法：継続的な水ストレス下又は最適な水条件下でコーンの成長におけるＣＡＰＴＵＲＥ  ＬＦＲと組み合わせたＢ．リケニフォルミスＣＨ２００株の効果を研究するため、温室実験を実施した。
【０１４３】
処理の詳細：Ｂ．リケニフォルミスＣＨ２００株は、ＣＡＰＴＵＲＥ  ＬＦＲ（ビフェントリン１７．１５％）と８−２４−０肥料（ＮＵＣＬＥＵＳ  Ｏ−ＰＨＯＳ）と共に適用し、ＣＡＰＴＵＲＥ  ＬＦＲ＋肥料だけと非処理試験と比較した。ＣＡＰＴＵＲＥ  ＬＦＲ、肥料及びＣＨ２００株の適用割合は、表VIIに示す。中西部土壌（ワイオミング、ＩＬ）は、微生物学的に活性であった。畝内への適用を模倣するため植え付け時に処理を行った。種子を選び、奇妙な形状及び／又は小さな種子を除去した。研究の開始日を「０ＤＡＰ」と指定し、研究はＶ６ステージ、４１日後である「４１ＤＡＰ」で終了した。
【０１４４】
表VII：実験プロトコロル：ＣＡＰＴＵＲＥ  ＬＦＲ＋Ｂ．リケニフォルミスＣＨ２００
【表７】
2018508470.tif 000008
【０１４５】
散水条件：乾燥ストレスと最適な散水環境とは、毎日実施される土壌水分のモニタリングを伴うアッセイ設計に含めた。土壌水分は、０＝水分なし、１０＝完全に飽和の基準を使用し、土壌水分プローブ（RAPITEST MOISTURE METER, LUSTER LEAF PRODUCTS，INC.）を用いて測定した。プローブは、各水分タイプの５つの別々の鉢に、０．０６４ｃｍ〜２０．３２ｃｍの間の５つの深さで挿入した。生データシートに、各深さの平均を記録した。コーンの成長にとって最適な土壌水分は、７（土壌水分チャートに基づく、土壌水分計には単位は設けられていない）である。コーン植物の生育を維持するために、特定の量の水を、実験中ずっと乾燥ストレス又は最適な成長条件の各鉢に加えた。
【０１４６】
アッセイ設計：散水条件に関する各処理は、６０回繰り返し、実験は分割法（split plot design）で実施した。実験は４１日間実施した。３つの日付で、植物のサブセット（ｎ＝２０）を破壊的にサンプリングし、評価した。成長及び発達パラメータは、Ｖ２、Ｖ４及びＶ６の成長ステージで評価した。
【０１４７】
植え付けの詳細：コーンは、３インチ×９インチ（７．６２ｃｍ×２２．８６ｃｍ）のプラスチック鉢へ植え付けた。鉢は、上から１．７５インチの空間を残し、イリノイ州ワイオミング由来の中西部土壌で満たした。土壌の流出を防ぐため、コーヒーフィルタを各鉢の底に置いた。土で満たされた鉢を７日間、温室で保管し、鉢には、微生物活性を開始させるため土壌のカラムの全体にわたって水分を保持するため必要に応じて水を与えた。植え付け日（０ＤＡＰ）に、土壌の水分を、水分プローブを用いて評価した。最適な土壌は７の値であり、水ストレス土壌は、２の値であった。コーンは１．５インチの深さに植え付け、各鉢の上から０．２５インチの空間を残して土で覆った。
【０１４８】
実験室での土壌試験結果に基づくと、中西部土壌は、ｐＨが７．１で、３６ｐｐｍ（Ｐ）、１４３ｐｐｍ（Ｋ）、７７２ｐｐｍ（Ｍｇ）、３７４４ｐｐｍ（Ｃａ）、１．６ｐｐｍ（Ｚｎ）、２．９ｐｐｍ（Ｃｕ）、８７ｐｐｍ（Ｍｎ）、１．４ｐｐｍ（Ｂ）、２９１ｐｐｍ（Ｆｅ）を含み、４．３％の有機物（ＡＴ２８０５）を含むと分析された。試験開始日（０ＤＡＰ）に、ＣＡＰＴＵＲＥ  ＬＦＲ殺虫剤と２．８３×１０１１ＣＦＵ／ｇのＣＨ２００細菌胞子を秤量した。非処理試験を除き、全ての処理は、肥料（ＮＵＣＬＥＵＳ  Ｏ−ＰＨＯＳ）中に懸濁し、各鉢の中央に、２７２μＬの量で適用した。各処理を含むプラスチックカップを、各処理を適用する前に撹拌した。非処理試験では水だけを適用した。続いて、個々のコーン種子（ＰＩＯＮＥＥＲ  ３３Ｍ５３）を処理された土壌の上に置き、正確に１．５インチの非処理土壌で覆った。各種子を覆うために必要となる土壌の量は、鉢及び処理間で均一な土壌量を確保するため、予め決定した。
【０１４９】
土壌から植物を引き抜く１日前に、すべてのシュート長を測定した。続いて、各処理を、最も短いものから長いものへと分類した。Ｖ２評価（アセスメント）では、ベルカーブをわたる植物サイズの正規分布を評価し、バイアスを防ぐことを確実にするため小さいものから高いものへ全て３番目の植物を選択した。
【０１５０】
２０のコーン苗を１５ＤＡＰ、２８ＤＡＰ及び４１ＤＡＰで、苗の根の損傷を最小限として土壌から取り出した。土壌は、根の損傷を防ぐため、コーンの根から非常に優しく除去した。コーンの根は、完全にきれいになるまで、水道水で洗った。５つの最大及び５つの最小の苗を除去し、処理あたり中央の１０個の植物を撮影した。植物の乾燥を避けるため、湿った根を、すぐに湿ったペーパータオルで覆った。コーンのシュート及び根を分離し、地上乾燥バイオマスと、乾燥根バイオマス（ｍｇ）とを決定した。コーンのシュートと根とを分離する前に、コーンの種子を除去し、乾燥バイオマス評価には含めなかった。苗部分は、１０日間、５０℃のオーブンに保存し、乾燥苗部分を、秤を用いて計測した。データは、ＭＩＮＩＴＡＢ統計ソフトウエア（ＡＮＯＶＡ，ＧＬＭ）を用いて、９０％信頼区間で解析した。
【０１５１】
結果
水ストレス：
シュート高さ：非処理試験及びＣＡＰＴＵＲＥ  ＬＦＲ＋ＣＨ２００は、１３ＤＡＰ時点で、統計的により長いシュートを有した（表VIII）。Ｖ４ステージまで及びそれ以降（≧２６ＤＡＰ）、肥料を用いた両方の処理は、統計的に同じであり、非処理試験と比較し、統計的により長かった。
シュート幅：ＣＡＰＴＵＲＥ  ＬＦＲ＋ＣＨ２００は、４１ＤＡＰ時点で、第３葉の頸領（collar）での平均直径が９．４ｍｍであり、統計的により厚い茎を有した。これは、ＣＡＰＴＵＲＥ  ＬＦＲ（８．６ｍｍ）に対し９％の増加である（表IX）。
【０１５２】
表VIII：乾燥ストレス条件下の中西部土壌中で維持され、Ｖ６成長ステージまで育てられたコーンシュートの平均高さ（ｍｍ）
【表８】
2018508470.tif 000009
【０１５３】
表IX：第３葉の頸領で測定された、温室バイオアッセイの最後の日における２０の苗から記録されたシュート幅（ｍｍ）
【表９】
2018508470.tif 000010
【０１５４】
乾燥シュート重量：ＣＡＰＴＵＲＥ  ＬＦＲ＋ＣＨ２００処理の苗は、Ｖ６ステージにおいてＣＡＰＴＵＲＥ  ＬＦＲのみ（１０９５ｍｇ）に対して、２９％増加し、ＣＡ統計的に重い乾燥シュート重量（１４１６ｍｇ）であった（表Ｘ）。
【０１５５】
表Ｘ：苗を乾燥ストレス条件下で維持した場合の３つのサンプリングデータでの乾燥シュート及び根重量（ｍｇ）
【表１０】
2018508470.tif 000011
【０１５６】
クロロフィル分析：ＣＡＰＴＵＲＥ  ＬＦＲ及びＣＡＰＴＵＲＥ  ＬＦＲ＋ＣＨ２００処理のコーンは、クロロフィル含有量が２８％増加し、非処理に対して２６ＤＡＰ（Ｖ４）で統計的に高いクロロフィル値であった（表XI）。
【０１５７】
表XI：３つの異なる苗処理を適用し、連続する水ストレス又は最適散水条件下で成長させたコーン苗のＳＰＡＤ  ５０２  ＰＬＵＳ  ＣＨＬＯＲＯＰＨＹＬ  ＭＥＴＥＲ測定値
【表１１】
2018508470.tif 000012
【０１５８】
種子根：いずれの評価データにおいて、処理間では平均種子根長において統計学的な差異はなかった（データは示さず）。根が一致して鉢の底に接触していたため、Ｖ６では、測定を行わなかった。
節根：最も長い節根は、ＣＡＰＴＵＲＥ  ＬＦＲとＣＡＰＴＵＲＥ  ＬＦＲ＋ＣＨ２００で処理した苗において最長であった（表ＸＩＩ）。根は一致して鉢底に届いていたため、Ｖ６では測定を行わなかった。
【０１５９】
表XII：Ｖ２及びＶ４成長ステージでの、干ばつストレス条件下で中西部土壌において維持されたコーンの根の平均長さ（ｍｍ）
【表１２】
2018508470.tif 000013
【０１６０】
乾燥根重量：ＣＡＰＴＵＲＥ  ＬＦＲ＋ＣＨ２００で処理された苗は、ＣＡＰＴＵＲＥ  ＬＦＲ（６８３ｍｇ）と比較し、Ｖ６段階において、２３％増加し統計学的により重い乾燥根重量（８４１ｍｇ）であった（表XIII）
【０１６１】
表XIII：苗を干ばつストレス条件下で維持した場合の乾燥シュート及び根重量（ｍｇ）
【表１３】
2018508470.tif 000014
【０１６２】
ＷｉｎＲｈｉｚｏ根スキャン解析：根システムあたり５２のパラメータを評価した。統計的な差異のみ、表に説明する（表１５ａ及びｂ）。非処理試験の根は、キャリアとしての液体肥料を用いたものと比較し、頻回統計的に良好であった。
【０１６３】
最適散水条件：
シュート高さ：ＣＡＰＴＵＲＥ  ＬＦＲ及びＣＡＰＴＵＲＥ  ＬＦＲ＋ＣＨ２００処理のコーンは、非処理と比較し、１３ＤＡＰ（Ｖ２）から２８ＤＡＰ（Ｖ４）の間、統計学的により長いシュートであった（表XIV）。最後の測定日では、非処理試験は、肥料を含む処理と同等の長さであった。
【０１６４】
表XIV：最適散水条件下において中西部土壌で維持され、Ｖ６成長ステージまで育てられたコーンシュート（±ＳＥ）の平均高さ（ｍｍ）
【表１４】
2018508470.tif 000015
【０１６５】
シュート幅：４１ＤＡＰ（Ｖ６）で、ＣＡＰＴＵＲＥ  ＬＦＲ＋ＣＨ２００処理のコーンは、ＣＡＰＴＵＲＥ  ＬＦＲと比較し、第３葉の頸領（collar）における周囲（girth）が統計学的に大きく、８．５％厚かった（上記表IX参照）。
乾燥シュート重量：ＣＡＰＴＵＲＥ  ＬＦＲのみと、ＣＨ２００とを組み合わせたもののいずれも、非処理の試験と比較し、Ｖ６において、シュート重量が４６％増加した（表ＸＶ）。
【０１６６】
表XV：苗を最適散水条件下で維持した場合の３つのサンプリングデータでの乾燥シュート重量（ｍｇ）
【表１５】
2018508470.tif 000016
【０１６７】
クロロフィル分析：ＣＡＰＴＵＲＥ  ＬＦＲ及びＣＡＰＴＵＲＥ  ＬＦＲ＋ＣＨ２００処理のコーンは、１３ＤＡＰ（Ｖ２）及び２６ＤＡＰ（Ｖ６）で、非処理に対してクロロフィル含有量が約２０％増加し、統計的により高い値であった（上記表XI参照）。
【０１６８】
種子根：１５ＤＡＰ（Ｖ２）時点で、処理間で平均の種子根長に統計的な差はなかった。しかし、ＣＡＰＴＵＲＥ  ＬＦＲ＋ＣＨ２００で処理された苗の種子根長は、２８ＤＡＰ（Ｖ４）の時点で最も短くなった。Ｖ６段階では、根は一致して鉢の底へ接していたため、測定しなかった。
【０１６９】
節根：１５ＤＡＰ（Ｖ２）時点で、最も長い節根は、ＣＡＰＴＵＲＥ  ＬＦＲ＋ＣＨ２００処理された苗であった（表ＸＶＩ）。しかしながら、２８ＤＡＰ（Ｖ４）時点では差異は検出されなかった。Ｖ６段階では、根は一致して鉢の底に接していたため測定を実施しなかった。
【０１７０】
表XVI：Ｖ２及びＶ４成長ステージでの最適散水条件下での中西部土壌で維持されたコーンの根の平均長（ｍｍ）
【表１６】
2018508470.tif 000017
【０１７１】
乾燥根重量：ＣＡＰＴＵＲＥ  ＬＦＲ、ＣＡＰＴＵＲＥ  ＬＦＲ＋ＣＨ２００処理の苗は、Ｖ４及びＶ６段階で、統計的に重い乾燥根重量であった（表XVII）。Ｖ６段階では、非処理試験と比較して６５％増加した。
【０１７２】
表XVII：苗を最適散水条件下で維持した場合の３つのサンプリングデータにおける乾燥根重量（ｍｇ）
【表１７】
2018508470.tif 000018
【０１７３】
全体として、細菌株ＣＨ２００を用いた処理は、ＣＡＰＴＵＲＥ  ＬＦＲ＋肥料又は水のみと比較し、４１ＤＡＰで、水ストレス、及び最適な散水条件の両方で、より厚いコーン茎をもたらした（図１５）。乾燥ストレス条件に置かれた苗についての根及びシュートの乾燥重量は、両方とも、キャリアとしての肥料と一緒のＣＡＰＴＵＲＥ  ＬＦＲ又は非処理check（図１５）より重くなった。ＣＨ２００を含む最適条件下で成長する苗は、更に発達するところであった。一般に、ＣＨ２００を含む最適又は乾燥土壌条件で育った苗は、より幅広くより長い８又は９の葉と結合した追加の葉を有した（図１６Ａ〜１６Ｃ及び図１７Ａ〜１７Ｃ）。
【０１７４】
実施例１２
ブロッコリー及びカブにおけるバチルス・リケニフォルミス分離株ＣＨ２００を用いた点滴灌漑の効果
ブロッコリー及びカブにおけるＢ．リケニフォルミス株ＣＨ２００を用いた点滴灌漑の効果を決定するため実験を実施した。以下に説明する実験に従い、植物収量における効果を決定した。
【０１７５】
植え付け時と２週間後に再度、Ｂ．リケニフォルミスＣＨ２００胞子を１．５×１０１１、２．５×１０１２、又は２．５×１０１３ＣＦＵ／ヘクタールで適用するため点滴灌漑を使用した野外試験を、ブロッコリーについて実施した。灌漑中にＢ．リケニフォルミスＣＨ２００胞子が含まれない対照植物と比較し、ブロッコリーにＣＨ２００胞子を適用したものは、２．５×１０１３ＣＦＵ／ヘクタールと２．５×１０１２ＣＦＵ／ヘクタールでは、結果として収穫されたブロッコリーの生重量において３ｋｇ（対照）から３．６ｋｇ及び３．８ｋｇに増加し、それぞれ重量の増加として２０％から２６％を示す。
【０１７６】
植え付け時と２週間後に再度、Ｂ．リケニフォルミスＣＨ２００胞子を１．５×１０１１、２．５×１０１２、又は２．５×１０１３ＣＦＵ／ヘクタールを用いてカブ植物に点滴灌漑を行った同様の野外試験を、実施した。灌漑中にＢ．リケニフォルミスＣＨ２００胞子を含めなかった対照植物と比較して、カブの苗へＢ．リケニフォルミスＣＨ２００胞子を適用したものは、結果として、収穫された塊茎の重量が３．３ｋｇ（対照）から５．８ｋｇ（２．５×１０１３ＣＦＵ／ヘクタールのＣＨ２００）、４．２ｋｇ（２．５×１０１２ＣＦＵ／ヘクタールのＣＨ２００）及び４．９ｋｇ（１．５×１０１１ＣＦＵ／ヘクタールのＣＨ２００）に増加し、重量増加は、それぞれ７６％、２７％及び４８％であった。
【０１７７】
実施例１３
スクワッシュ（Squash）及びカブにおけるバチルス・プミルス分離株ＲＴＩ２７９を用いた点滴灌漑の効果 
スクワッシュ及びカブにおけるＢ．プミルスＲＴＩ２７９株の胞子を用いた点滴灌漑の効果を決定するため実験を実施した。以下に説明する実験に従い、植物の成長及び収量における効果を決定した。
【０１７８】
植え付け時と２週間後に再び１．５×１０１１又は２．５×１０１２ＣＦＵ／ヘクタールのバチルス・プミルスＲＴＩ２７９の胞子を適用するために点滴灌漑を使用した野外試験をスクワッシュ苗について実施した。灌漑中にＢ．プミルスＲＴＩ２７９の胞子が含まれていない対照苗と比較し、ＲＴＩ２７９胞子の添加は、全体及び商品となるスクワッシュについて収量が増加する結果となった。特に、ＲＴＩ２７９で処理された（適用割合２．５×１０１２ＣＦＵ／ヘクタール）は、全体のスクワッシュが２２ｋｇであり、売り物となるのが１７ｋｇである非処理の対照苗と比較して、全体のスクワッシュの平均が３６ｋｇであり、３０ｋｇが売り物となるという結果となった（図１８Ａ（対照苗）＆１８Ｂ（適用割合２．５×１０１２ＣＦＵ／ヘクタールのＲＴＩ２７９））。
【０１７９】
植え付け時と２週間後に再び２．５×１０１１又は２．５×１０１２ＣＦＵ／ヘクタールのバチルス・プミルスＲＴＩ２７９の胞子を用いてカブ苗を点滴灌漑した同様の野外試験を実施した。灌漑中にＢ．プミルスＲＴＩ２７９の胞子が含まれない対照苗と比較し、両方の濃度でＲＴＩ２７９の胞子を添加したものは、塊茎重量で測定して６７％の一致する収量の増加という結果となった。
【０１８０】
実施例１４
バチルス・プミルス分離株ＲＴＩ２７９を用いてコーン種子を被覆する効果
ケミカルコントロールに加えてＢ．プミルスＲＴＩ２７９株で被覆されたコーン種子の効果を決定するため、実験を実施した。苗の出現までの時間、苗の自立、苗の活力及び穀物収量における効果を、ウィスコンシンにおける複数の野外試験について測定した。実験はいかに説明するように実施した。
【０１８１】
製剤：
Ａ  Ｂ．プミルスＲＴＩ２７９の水中の胞子濃度（１．０×１０＋１０ｃｆｕ／ｍｌ）を種あたり１．０×１０＋５の量で適用した。
ＭＡＸＩＭ（SYNGENTA CROP PROTECTION, INC）を０．００６４ｍｇ  Ａｌ／カーネル（フルジオキソニル）で種子に適用した。
メタラキシルを０．００５ｍｇ  Ａｌ／カーネルで種子に適用した。
ＰＯＮＣＨＯ２５０及びＰＯＮＣＨＯ５００（BAYER CROP SCIENCE）を、それぞれ０．２５ｍｇ  Ａｌ／カーネル、０．５０ｍｇ  Ａｌ／カーネルで種子に適用した（クロチアニジン）。
イプコナゾールを種子に対し０．００６４ｍｇ  Ａｌ／カーネルで適用した。
【０１８２】
処理の適用方法：
１つの実験において、コーン種子をＢ．プミルスＲＴＩ２７９の胞子とケミカルコントロールＭＡＸＩＭ＋メタラキシル＋ＰＯＮＣＨＯ２５０を含む溶液を用いてかき混ぜることによって種子の処理を実施し、種子当たり１×１０５ｃｆｕ平均となり、化学活性成分が上記に詳述するような標識指示濃度となるようにした。対照として非処理の種子と化学対照だけで処理した種子とを用いて実験を実施した。非処理の種子とそれぞれの処理済みのコーン種子を、ウィスコンシンの３つの分離した野外試験場で植え付け、苗の出現までの時間の長さ、苗の自立、苗の活力及び穀物の収量（ブッシェル／エーカー）により分析した。３つの野外試験場からのデータの平均を使用し、非処理の種子との比較としてのケミカルコントロールの添加は、苗の出現までの時間、苗の自立、苗の活力及び穀物収量のそれぞれで増加という結果となった。種子の処理中にＢ．プミルスＲＴＩ２７９を含有したものは、ケミカルコントロールのみで処理した種子と比較し、苗の出願までの時間、苗の自立又は苗の活力の効果において統計的に著しい効果はなかった、しかし、穀物は１２ブッシェル／エーカー（２３１から２４３ブッシェル／エーカーまで）の増加であり、穀物収量における５．２％の増加を示すという結果となった。
【０１８３】
関連する試験を、コーンの苗を病原体であるリゾクトニア（Rhizoctonia）及びフザリウム・グラミネアルム（Fusarium graminearum）によって別々に攻撃させた点を除いて、上述するように実施した。病害の重症度を目視検査によって１〜５の段階で評価した。Ｂ．プミルスＲＴＩ２７９を用いて種子を処理すると、ケミカルコントロールのみで処理した種子と比較し、フザリウム・グラミネアルムについて病害の重症度が統計的に著しく低下するという結果となった。
【０１８４】
別の実験において、Ｂ．プミルスＲＴＩ２７９と化学対照であるイプコナゾール＋メタラキシル＋ＰＯＮＣＨＯ  ５００を含む溶液を用いてコーン種子（試験ごとに２つの異なる種類をテストした）を混合することにより種子処理を実施し、種子当たり１×１０５ｃｆｕ平均となり、化学活性成分が上記に詳述するような標識指示濃度となるようにした。非処理の種子と処理をした各コーン種子とを用いて、７つの州にわたって１１の地点で、１９の試験を実施し、穀物収量（ブッシェル／エーカー）を分析した。１６の野外試験のデータの平均を使用すると、ケミカルコントロールの添加は、非処理の種子と比較して、穀物収量において統計学的に著しい増加（９．８ブッシェル／エーカー）の結果となった。種子処理においてＢ．プミルスＲＴＩ２７９を含有すると、ケミカルコントロールだけで処理した種子と比較して、加えて穀物が３ブッシェル／エーカー増加し、穀物収量において１．５％の増加を示す結果となった。
【０１８５】
実施例１５
バチルス・リケニフォルミスＣＨ２００の胞子により強化された鉢植え土で生育させた場合のキュウリ及びトマトの成長効果
バチルス・リケニフォルミスＣＨ２００の分離株によるトマト及びキュウリの成長及び健康を改善する能力を、バチルス・リケニフォルミスＣＨ２００株の胞子が添加された鉢植え土中に種子を植え付けることによって決定した。
【０１８６】
バチルス・リケニフォルミスＣＨ２００株は、２００５年４月７日に、Deutsche Sammlung von Mikroorganismen und Zellkulturen GmbH, Mascheroder Weg 1 b, D-38124 Braunschweig（ＤＳＭＺ）で寄託され、受託番号ＤＳＭ１７２３６を付与された。
【０１８７】
ＣＨ２００胞子を使用した実験のため、菌株を１４Ｌの発酵槽において２ＸＳＧ中でそれぞれ胞子形成させた。胞子は回収されたが、その後洗浄されず、少なくとも１．０×１０７〜１０９ＣＦＵ／ｍＬの濃度であった。
【０１８８】
キュウリ及びトマトの成長及び活力における、植え付け土中に存在する場合の細菌分離株ＣＨ２００の胞子の存在の効果を、決定した。この実験では、キュウリ及びトマトの種子を、１×１０７胞子／ｇでバチルス・リケニフォルミス株ＣＨ２００を混ぜたＳＣＯＴＴＳ  ＭＩＲＡＣＬＥ  ＧＲＯＷ（SCOTTS MIRACLE GRO, Co; Marysville, OH）に植えた。特に、ＣＨ２００胞子を加えた土壌は、ＳＣＯＴＴＳ  ＭＩＲＡ  ＧＲＯ土壌（ｐＨ約５．５）であった。トマトは４インチの鉢で、キュウリは６インチの鉢で試験した。鉢ごとに１つの種子を植え付け、処理あたり８つの反復を設けた。５週間時点のトマト苗の画像を図１９Ａ〜１９Ｂに示し、キュウリ苗については図２０Ａ−２０Ｂに示す。トマト苗とキュウリ苗の両方の目視検査は、非処理のＳＣＯＴＴＳ  ＭＩＲＡＣＬＥ  ＧＲＯ土壌に比べ、バチルス・リケニフォルミスＣＨ２００が添加されたＳＣＯＴＴＳ  ＭＩＲＡＣＬＥ  ＧＲＯ土壌で生育されたすべての苗について成長の増加と、バイオマスの増加とを示した。特に、図１９Ａ〜１９Ｂは、バチルス・リケニフォルミスＣＨ２００の胞子をｐＨ５．５でＳＣＯＴＴＳ  ＭＩＲＡＣＬＥ−ＧＲＯ土壌へと添加した結果として、トマトの成長におけるプラスの効果を示す画像であり、Ａ）バチルス・リケニフォルミスＣＨ２００の胞子を１×１０７胞子／ｇで添加した土壌で生育させた苗であり、Ｂ）バチルス・リケニフォルミスＣＨ２００を加えずに同じ土壌で生育させた対照苗である。図２０Ａ〜２０Ｂは、バチルス・リケニフォルミスＣＨ２００の胞子を添加した後、ｐＨ５．５でＳＣＯＴＴＳ  ＭＩＲＡＣＬＥ−ＧＲＯ（SCOTTS MIRACLE GRO, Co; Marysville, OH）土壌でのキュウリの成長におけるプラスの効果を示す画像であり、Ａ）バチルス属の胞子を含まない土壌で生育させた対照苗であり、Ｂ）バチルス・リケニフォルミスＣＨ２００の胞子を１×１０７胞子／ｇで添加した土壌で生育させた苗である。
【０１８９】
実施例１６
コーンにおけるバチルス・リケニフォルミスＣＨ２００の畝内での適用の効果
野外条件で、液体殺虫剤及び液体肥料との適用と組み合わせて植え付け時の種子と一緒に畝内に適用した場合の、コーン苗の成長におけるバチルス・リケニフォルミスＣＨ２００の効果を測定するため、以下の実験を実施した。
【０１９０】
野外試験において、ＣＨ２００株の胞子を、殺虫剤及び肥料と組み合わせた液体として２．５×１０１２ｃｆｕ／Ｈａで、畝内でコーン種子に対して適用した。殺虫剤（ＣＡＰＴＵＲＥ  ＬＦＲ（ビフェントリン）；FMC Corporation, Philadelphia, PA）を、１１２ｇ／Ａｉ／ＨＡで適用した。
【０１９１】
図２１Ａ−２１Ｄは、殺虫剤であるＣＡＰＴＵＲＥ  ＬＦＲと液体肥料と組み合わせて畝内で、成長促進細菌株であるバチルス・リケニフォルミスＣＨ２００の胞子（２．５×１０１２ｃｆｕ／Ｈａ）を用いて種子を処理した後の、コーン種子の発芽及び根の発達におけるプラスの効果を示す写真の線図であり、Ａ）植え付け時にＣＡＰＴＵＲＥ  ＬＦＲ、液体肥料及びバチルス・リケニフォルミスＣＨ２００胞子で処理した種子の植え付け後７日、Ｂ）植え付け時にＣＡＰＴＵＲＥ  ＬＦＲ及び液体肥料で処理した対照種子の植え付け後７日、Ｃ）植え付け時にＣＡＰＴＵＲＥ  ＬＦＲ、液体肥料及びバチルス・リケニフォルミスＣＨ２００胞子で処理した種子の植え付け後１４日、及びＤ）植え付け時にＣＡＰＴＵＲＥ  ＬＦＲ及び液体肥料で処理した対照種子の植え付け後１４日である。対照苗と比較して、ＣＡＰＴＵＲＥ  ＬＦＲとともにＣＨ２００を用いて処理された苗の根成長の実質的な増加及び根の大きさの実質的な増加は、それぞれ図２１Ａ及び図２１Ｃにおいて、ＣＨ２００胞子を用いた処理によりもたらされる種子の発芽及び早い苗の成長及び活力におけるプラスの効果を示す。
【０１９２】
図２２Ａ−２２Ｂは、植え付け後２４日に撮影された写真の線図であり、野外試験において、殺虫剤であるＣＡＰＴＵＲＥ  ＬＦＲと液体肥料と組み合わせて、成長促進細菌株であるバチルス・リケニフォルミスＣＨ２００（２．５×１０１２ｃｆｕ／Ｈａ）を用いた植え付け時のコーン種子の畝内での処理後の、コーン種子における根の発達にプラスの効果を示し、Ａ）ＣＡＰＴＵＲＥ  ＬＦＲ及び液体肥料とで処理された対照苗、Ｂ）ＣＡＰＴＵＲＥ  ＬＦＲ、液体肥料及びバチルス・リケニフォルミスＣＨ２００胞子で処理された苗、である。図２２Ｂに示されている、対照苗に対するＣＡＰＴＵＲＥ  ＬＦＲとともにＣＨ２００を用いて処理された苗の根成長の実質的な増加及び根の大きさの実質的な増加は、ＣＨ２００胞子を用いた処理によりもたらされる苗の成長及び活力におけるプラスの効果を示す。
【０１９３】
図２３Ａ〜２３Ｃは、野外試験での、殺虫剤であるＣＡＰＴＵＲＥ  ＬＦＲと液体肥料と組み合わせて畝内で植え付け時に、成長促進細菌株であるバチルス・リケニフォルミスＣＨ２００（２．５×１０１２ｃｆｕ／Ｈａ）を用いたコーン種子の処理後のコーンにおける根の発達にプラスの効果を示す画像であり、Ａ）植え付け時に液体肥料を用いて畝内でコーン種子を処理した後３５日の、引き抜かれたコーン苗の根、Ｂ）植え付け時に液体肥料及びＣＡＰＴＵＲＥ  ＬＦＲを用いて畝内でコーン種子を処理した後３５日の、引き抜かれたコーン苗の根、Ｃ）植え付け時に液体肥料、ＣＡＰＴＵＲＥ  ＬＦＲ及びバチルス・リケニフォルミスＣＨ２００胞子を用いて畝内でコーン種子を処理した後３５日の、引き抜かれたコーン苗の根である。図２３Ｃに示されている、対照苗に対するＣＡＰＴＵＲＥ  ＬＦＲと組み合わせてＣＨ２００を用いて処理された苗について、根質量の実質的な増加、特に二次根についての増加は、ＣＨ２００胞子を用いた処理によりもたらされるプラスの成長効果を示す。
【０１９４】
図２４Ａ〜２４Ｆは、野外試験での、殺虫剤であるＣＡＰＴＵＲＥ  ＬＦＲと液体肥料と組み合わせて、成長促進細菌株であるバチルス・リケニフォルミスＣＨ２００の胞子（２．５×１０１２ｃｆｕ／Ｈａ）を用いて植え付け時にコーン種子を処理した後の、コーンの成長におけるプラスの効果を示す写真の線図であり、Ａ）ＣＡＰＴＵＲＥ  ＬＦＲ、液体肥料及び２．５×１０１２ｃｆｕ／Ｈａのバチルス・リケニフォルミスＣＨ２００胞子を用いた畝内での植え付け時の種子の処理後３５日のコーン苗の葉を、Ｂ）バチルス・リケニフォルミスＣＨ２００胞子を含まないが、植え付け時の種子の同じ畝内処理後の対照苗の葉と比較し、Ｃ）ＣＡＰＴＵＲＥ  ＬＦＲ、液体肥料及び２．５×１０１２ｃｆｕ／Ｈａのバチルス・リケニフォルミスＣＨ２００胞子を用いた植え付け時の種子の畝内処理後３５日の引き抜かれたコーン苗を、Ｄ）バチルス・リケニフォルミスＣＨ２００胞子を含まないが、植え付け時の種子の同じ畝内処理後の引き抜かれた対照のコーン苗と比較し、Ｅ）ＣＡＰＴＵＲＥ  ＬＦＲ、液体肥料及び２．５×１０１２ｃｆｕ／Ｈａのバチルス・リケニフォルミスＣＨ２００胞子を用いた植え付け時の種子の畝内処理後３５日のコーン苗の茎を、Ｆ）バチルス・リケニフォルミスＣＨ２００胞子を含まないが、植え付け時の種子の同じ畝内処理後の対照コーン苗の茎と比較した。それぞれ図２４Ａ、２４Ｃ及び２４Ｅに示すように、ＣＡＰＴＵＲＥ  ＬＦＲとともにＣＨ２００で処理した苗について、コントロール苗に対する葉のサイズ、苗全体のサイズ及び苗の茎の幅における実質的な増加は、ＣＨ２００胞子を用いた処理によりもたらされる苗の成長及び活力におけるプラスの効果を示す。
【０１９５】
実施例１７
線虫に感染した土壌でのバチルス・リケニフォルミスＣＨ２００の成長効果
この実験において、線虫感染土（グロベデラ属（Globedera）、約１７５０の生きた卵と土壌あたり１００ｍｌの幼虫）で生育されたジャガイモ苗の成長と活力におけるバチルス・リケニフォルミスＣＨ２００の細菌分離株の添加の効果を決定した。ジャガイモ（「ビンチェ（Bintje）」品種）を、グロベデラ属に感染した土壌に植え、バチルス・リケニフォルミス株ＣＨ２００を１リットルの土壌当たり１０Ｅ＋９ｃｆｕ胞子を用いて、強化又は点滴灌漑した。温室内で成長させた４８日後の苗の画像を、図２５Ａ〜２５Ｂに示す。図２５Ａは、ＣＨ２００で処理した苗を示し、図２５Ｂは、ＣＨ２００胞子で処理をしなかった対照苗を示す。対照苗と比較して、ＣＨ２００で処理した苗の増加した大きさは、ＣＨ２００胞子での処理によりもたらされるプラスの成長効果を示す。
【０１９６】
実施例１８
野外試験での大豆におけるバチルス・リケニフォルミスＣＨ２００の成長効果
野外条件での、液体殺虫剤及び液体肥料の適用とともに畝内で植え付け時に種子に適用された場合の、大豆の苗の成長におけるバチルス・リケニフォルミスＣＨ２００の効果を測定するため、以下の実験を実施した。
【０１９７】
野外試験では、ＣＨ２００株の胞子は、殺虫剤及び肥料と組み合わせて液体として、畝内で、大豆種子に対して適用された。殺虫剤（ＣＡＰＴＵＲＥ  ＬＦＲ（ビフェントリン）; FMC Corporation, Philadelphia, PA）を、１１２ｇ  Ａｉ／ＨＡで適用した。
【０１９８】
図２６Ａ−２６Ｂは、植え付け後１４日に撮影された写真であり、野外試験での、殺虫剤であるＣＡＰＴＵＲＥ  ＬＦＲと液体肥料とを組み合わせた成長促進細菌株であるバチルス・リケニフォルミスＣＨ２００（２．５×１０１２ｃｆｕ／Ｈａ）を用いた植え付け時の畝内での大豆種子の処理後の、大豆の実生における成長のプラスの効果を示し、Ａ）左の３つの苗は、ＣＡＰＴＵＲＥ  ＬＦＲ、液体肥料及びバチルス・リケニフォルミスＣＨ２００胞子で処理された、及びＢ）右の３つの対照苗、ＣＡＰＴＵＲＥ  ＬＦＲと液体肥料とで処理した。対照苗に対するＣＨ２００を用いて処理した苗のサイズの実質的な増加は、ＣＨ２００胞子によりもたらされる早期の成長と活力とにおけるプラスの効果を示す。
【０１９９】
本明細書にて示した全ての出版物、特許出願、特許及び他の参考文献は、引用によりその全体を本明細書に取り込む。
【０２００】
［付記１］
植物の成長に有益な特性を有する細菌又は真菌真菌の株の生物学的に純粋な培養物と、１つ以上の微生物学的又は化学的農薬と、を液体肥料液体肥料として適切な製剤中に含み、
前記細菌又は真菌の株及び１つ以上の微生物学的又は化学的農薬は、植物の成長に利益を与えるのに適切な量で存在する、
ことを特徴とする植物の成長に利益を与えるための組成物。
【０２０１】
［付記２］
前記化学的農薬は、殺虫剤である、
ことを特徴とする付記１に記載の組成物。
【０２０２】
［付記３］
前記殺虫剤は、Ａ０）アグリガタ（agrigata）、アル−ホスフィド、アンブリセイウス、アフェリヌス（apherinus）、アフィディウス、アフィドレテス、アルテミシニン、オートグラファ・カリフォルニカＮＰＶ、アゾシクロチン、バチルス・サブティリス（bacillus-subtilis）、バチルス・チューリンゲンシス・アイザワイ（bacillus-thur.-aizawai）、バチルス・チューリンゲンシス・クルスタキー（bacillus-thur.-kurstaki）、バチルス・チューリンゲンシス（bacillus-thuringiensis）、ボーベリア（beauveria）、ボーベリア・バシアーナ（beauveria-bassiana）、ベータシフルトリン、生物学的製剤、ビスルタップ、ブロフルトリネート、ブロモホス−ｅ、ブロモプロピレート、Ｂｔ遺伝子組換コーン、Ｂｔ遺伝子組換大豆、カプサイシン、カルタップ、セラストラス（celastrus）抽出物、クロルアントラニリプロール、クロルベンズロン、クロルエトキシフォス、クロルフルアズロン、クロルピリホス−ｅ、シニジアジン（cnidiadin）、クリオライト、シアノホス、シアントラニリプロール、シハロトリン、シヘキサチン、シペルメトリン、ダクヌサ、ＤＣＩＰ、ジクロロプロペン、ジコホル、ジグリファス、ジグリファス+ダクヌサ、ジメタカルブ、ジチオエーテル、酢酸ドデシル、エマメクチン、エンカルシア（encarsia）、ＥＰＮ、エレツモセルス（eretmocerus）、エチレン−ジブロミド、ユーカリプトール、脂肪酸、脂肪酸／塩、フェナザキン、フェノブカルブ（ＢＰＭＣ）、フェンピロキシメート、フルブロシトリネート（flubrocythrinate）、フルフェンジン、ホルメタネート、ホルモチオン、フラチオカルブ、ガンマ−シハロトリン、ニンニクジュース、グラニュロシス−ウイルス、ハルモニア（harmonia）、オオタバコガ（heliothis armigera）ＮＰＶ、不活性細菌、インドール−３−イル酪酸、ヨードメタン、鉄、イソカルボホス（isocarbofos）、イソフェンホス、イソフェンホス−ｍ、イソプロカルブ、イソチオエート（isothioate）、カオリン、リンダン、リウヤンマイシン（liuyangmycin）、マトリン、メホスホラン、メタアルデヒド、メタリジウム−アニソプリエ、メタミドホス、メトルカルブ（ＭＴＭＣ）、鉱物油、マイレックス、ｍ−イソチオシアネート、モノスルタップ、ミロテシウム・ベルカリア（myrothecium verrucaria）、ナレド、ハモグリミドリヒメコバチ（neochrysocharis formos）、ニコチン、ニコチノイド、油脂、オレイン酸、オメトエート、オリウス（orius）、オキシマトリン、ペシロマイセス、パラフィン油、パラチオン−ｅ、パスツリア、石油、フェロモン、リン酸、フォトラブダス、フォキシム、フィトセイウルス（phytoseiulus）、ピリミホス−ｅ、植物油、プルテラ・キシロステラ（plutella xylostella）ＧＶ、多角体病（polyhedrosis）ウイルス、ポリフェノール抽出物、オレイン酸カリウム、プロフェノホス、プロスレル（prosuler）、プロチオホス、ピラクロホス、ピレトリン、ピリダフェンチオン、ピリミジフェン、ピリプロキシフェン、キラヤ（quillay）抽出物、キノメチオネート、菜種油、ロテノン、サポニン、サポノジット（saponozit）、ナトリウム化合物、フルオロケイ酸ナトリウム、スターチ、ステイネルネマ（steinernema）、ストレプトマイセス、スルフルラミド、硫黄、テブピリムホス、テフルトリン、テメホス、テトラジホン、チオファノックス、チオ���トン、トランスジェニクス（例えば、Ｃｒｙ３Ｂｂ１）、トリアザメート、トリコデルマ、トリコグランマ、トリフルムロン、ベルチシリウム、ベルトリン、殺虫剤の異性体（例えば、カッパ−ビフェントリン、カッパ−テフルトリン）、ジクロロメゾチアズ、ブロフラニリド、ピラジフルミド；Ａ１）アルジカルブ、アラニカルブ、ベンフラカルブ、カルバリル、カルボフラン、カルボスルファン、メチオカルブ、メトミル、オキサミル、ピリミカルブ、プロポキスルおよびチオジカルブを含むカルバメート類；Ａ２）アセフェート、アジンホス−エチル、アジンホス−メチル、クロルフェンビンホス、クロルピリホス、クロルピリホス−メチル、デメトン−Ｓ−メチル、ジアジノン、ジクロルボス／ＤＤＶＰ、ジクロトホス、ジメトエート、ジスルホトン、エチオン、フェニトロチオン、フェンチオン、イソキサチオン、マラチオン、メタミダホス、メチダチオン、メビンホス、モノクロトホス、オキシメトエート、オキシデメトン−メチル、パラチオン、パラチオン−メチル、フェントエート、ホレート、ホサロン、ホスメット、ホスファミドン、ピリミホス−メチル、キナルフォス、テルブホス、テトラクロルビンホス、トリアゾホス及びトリクロルホンを含む有機リン酸塩類；Ａ３）エンドスルファンなどのシクロジエン有機塩素化合物類；Ａ４）エチプロール、フィプロニル、フルフィプロール、ピラフルプロール及びピリプロールを含むフィプロール類；Ａ５）アセトアミノピリド、クロチアニジン、ジノテフラン、イミダクロプリド、ニテンピラム、チアクロプリド及びチアメトキサムを含むネオニコチノイド類；Ａ６）スピノサド、スピネトラムなどのスピノシン類；Ａ７）アバメクチン、エマメクチン安息香酸塩、イベルメクチン、レピメクチン及びミルベメクチンを含むメクチン類由来の塩素チャネル活性剤；Ａ８）ヒドロプレン、キノプレン、メトプレン、フェノキシカルブ及びピリプロキシフェン等の幼若ホルモン類似体；Ａ９）ピメトロジン、フロニカミド及びピリプリキナゾン等の同翅類選択的摂食ブロッカー；Ａ１０）クロフェンテジン、ヘキシチアゾクス及びエトキサゾール等のダニ類成長阻害剤；Ａ１１）ジアフェンチウロン、酸化フェンブタスズ及びプロパルギット等のミトコンドリアＡＴＰ合成阻害剤；Ａ１２）ベンスルタップ、カルタップ塩酸塩、チオシクラム及びチオスルタップナトリウム塩ニコチン性アセチルコリン受容体チャンネルブロッカー；Ａ１３）ビストリフロン、ジフルベンズロン、フルフェノクスロン、ヘキサフルムロン、ルフェヌロン、ノバルロン、及びテフルベンズロンを含むベンゾイル尿素類由来のキチン生合成阻害剤タイプ０；Ａ１４）ブプロフェジン等のキチン生合成阻害剤タイプ１；Ａ１５）シロマジン等の脱皮かく乱物質；Ａ１６）メトキシフェノジド、テブフェノジド、ハロフェノジド及びクロマフェノジド等のエクジソン受容体アゴニスト；Ａ１７）アミトラズ等のオクトパミン受容体アゴニスト；Ａ１８）ピリダベン、テブフェンピラド、トルフェンピラド、フルフェネリム、シエノピラフェン、シフルメトフェン、ヒドラメチルノン、アセキノシル又はフルアクリピリム等のミトコンドリア複合体電子伝達阻害剤；Ａ１９）インドキサカルブ及���メタフルミゾン等の電位依存性ナトリウムチャネルブロッカー；Ａ２０）スピロジクロフェン、スピロメシフェンおよびスピロテトラマト等の脂質合成阻害剤；Ａ２１）フルベンジアミド、フタルアミド化合物（Ｒ）−３−クロロ−Ｎ１−｛２−メチル−４−［１，２，２，２−テトラフルオロ−１−（トリフルオロメチル）エチル]フェニル}−Ｎ２−（１−メチル−２−メチルスルフォニルエチル）フタルアミド及び（Ｓ）−３−クロロ−Ｎ１−｛２−メチル−４−［１，２，２，２−テトラフルオロ−１−（トリフルオロメチル）エチル］フェニル｝−Ｎ２−（１−メチル−２−メチルスルフォニルエチル）フタルアミド、クロラントラニリプロール及びシアントラニリプロール  ジアミド類由来のリアノジン受容体モジュレータ；Ａ２２）アザジラクチン、アミドフルメト、ビフェナゼート、フルエンスルホン、ピペロニルブトキシド、ピリダリル、スルホキサフロル等の作用機構が不明あるいは不明確な化合物；又は、Ａ２３）アクリナトリン、アレスリン、ビフェントリン、シフルトリン、ラムダ−シハロトリン、シペルメトリン、アルファ−シペルメトリン、ベータ−シペルメトリン、ゼータ−シペルメトリン、デルタメトリン、エスフェンバレレート、エトフェンプロックス、フェンプロパトリン、フェンプロパトリン、フェンバレレート、フルシトリネート、タウ−フルバリネート、ペルメトリン、シラフルオフェン及びトラロメトリンを含むピレスロイド類由来のナトリウムチャネルモジュレータ、からなる群から選択される、
ことを特徴とする付記２に記載の組成物。
【０２０３】
［付記４］
前記化学的農薬は、殺真菌剤である、
ことを特徴とする付記１に記載の組成物。
【０２０４】
［付記５］
前記殺真菌剤は、Ｂ０）ベンゾビンジフルピル、アンチペロノスポリック（anitiperonosporic）、アメトクトラジン、アミスルブロム、銅塩（例えば、水酸化銅、酸塩化銅、硫酸銅、過硫酸銅）、ボスカリド、チフルザミド（thiflumazide）、フルチアニル、フララキシル、チアベンダゾール、ベノダニル、メプロニル、イソフェタミド、フェンフラム、ビキサフェン（bixafen）、フルキサピロキサド、ペンフルフェン、セダキサン、クモキシストロビン、エノキサストロビン、フルフェノキシストロビン、ピラオキシストロビン、ピラメトストロビン、トリクロピリカルブ（triclopyricarb）、フェナミンストロビン、メトミノストロビン、ピリベンカルブ、メプチルジノカップ（meptyldinocap）、酢酸フェンチン、塩化フェンチン、水酸化フェンチン、オキシテトラシクリン、クロゾリネート（chlozolinate）、クロロネブ、テクナゼン、エトリジアゾール、ヨードカルブ、プロチオカルブ、バチルス・サブティリス・シノニム、バチルス・アミロリクエファシエンス（例えば、ＱＳＴ  ７１３、ＦＺＢ２４、ＭＢＩ６００、Ｄ７４７株）、メラレウカ・アルテルニフォリア（Melaleuca alternifolia）抽出物、ピリソキサゾール（pyrisoxazole）、オキスポコナゾール、エタコナゾール（etaconazole）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸及び塩、テクロフタラム（teclofthalam）、トリアゾキシド（triazoxide）、ピリオフェノン、有機油、炭酸水素カリウム、クロロタロニル、フルオロイミド；Ｂ１）ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノール及びイマザリルスルフェートを含むアゾール；Ｂ２）アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミド及び３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；Ｂ３）カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２−イル）−３−トリフルオロメチル−１−メチル−１Ｈ−ピラゾール−４−カルボキサミド、Ｎ−（３’，５−ジフルオロ−４’−メチル−ビフェニル−２−イル）−３���ジフルオロメチル−１−メチル−１Ｈ−ピラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’，４’，５’−トリフルオロビフェニル−２−イル）−１，３−ジメチル−５−フルオロピラゾール−４−イルカルボキサミド、Ｎ−（２’，４’，５’−トリフルオロ���フェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、
Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミド及びＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；Ｂ４）フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸及びピペラリンを含む複素環式化合物；Ｂ５）マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；又は、Ｂ６）グアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸及びその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、シモキサニル、ジメチリモール、エチリモール、フララキシル、メトラフェノン及びスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノール及びその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤、からなる群から選択される、
ことを特徴とする付記４に記載の組成物。
【０２０５】
［付記６］
前記化学的農薬は、除草剤である、
ことを特徴とする付記１に記載の組成物。
【０２０６】
［付記７］
前記除草剤は、
Ｃ１）アセチル−ＣｏＡカルボキシラーゼ阻害剤（ＡＣＣ）、例えば、アロキシジム、クレトジム、クロプロキシジム、シクロキシジム、セトキシジム、トラルコキシジム、ブトロキシジム、クレフォキシジム若しくはテプラロキシジム等のシクロヘキセノンオキシムエーテル；クロジナホップ−プロパルギル、シハロホップ−ブチル、ジクロホップ−メチル、フェノキサプロップ−エチル、フェノキサプロップ−Ｐ−エチル、フェンチアプロップエチル、フルアジホップ−ブチル、フルアジホップ−Ｐ−ブチル、ハロキシホップ−エトキシエチル、ハロキシホップ−メチル、ハロキシホップ−Ｐ−メチル、イソキサピリホップ、プロパキザホップ、キザロホップ−エチル、キザロホップ−Ｐ−エチル若しくはキザロホップ−テフリル等のフェノキシフェノキシプロピオン酸エステル；又は、フランプロップ−メチル若しくはフランプロップ−イソプロピル等のアリールアミノプロピオン酸；Ｃ２）アセトラクターゼ合成酵素阻害剤（ＡＬＳ）、例えば、イマザピル、イマザキン、イマザメタベンズ−メチル（イマザメ（imazame））、イマザモックス、イマザピック若しくはイマゼタピル等のイミダゾリノン；ピリチオバック酸、ピリチオバック−ナトリウム、ビスピリバック−ナトリウム、ＫＩＨ−６１２７若しくはピリベンゾキシム等のピリミジルエーテル；フロラスラム、フルメトスラム若しくはメトスラム等のスルホンアミド；又は、アミドスルフロン、アジムスルフロン、ベンスルフロン−メチル、クロリムロン−エチル、クロルスルフロン、シノスルフロン、シクロスルファムロン、エタメトスルフロン−メチル、エトキシスルフロン、フラザスルフロン、ハロスルフロン−メチル、イマゾスルフロン、メトスルフロン−メチル、ニコスルフロン、プリミスルフロン−メチル、プロスルフロン、ピラゾスルフロン−エチル、リムスルフロン、スルホメツロン−メチル、チフェンスルフロン−メチル、トリアスルフロン、トリベヌロン−メチル、トリフルスルフロン−メチル、トリトスルフロン、スルホスルフロン、ホラムスルフロン若しくはヨードスルフロン等のスルホニル尿素；Ｃ３）アミド、例えば、アリドクロル（ＣＤＡＡ）、ベンゾイルプロップ−エチル、ブロモブチド、クロルチアミド、ジフェナミド、エトベンザニド、フルチアミド、ホサミン又はモナリド；Ｃ４）オーキシン除草剤、例えば、クロピラリド若しくはピクロラム等のピリジンカルボン酸；又は、２，４−Ｄ若しくはベナゾリン；Ｃ５）オーキシン輸送阻害剤、例えば、ナプタラメ又はジフルフェンゾピル；Ｃ６）カロテノイド生合成阻害剤、例えば、ベンゾフェナップ、クロマゾン、ジフルフェニカン、フルオロクロリドン、フルリドン、ピラゾリネート、ピラゾキシフェン、イソキサフルトール、イソキサクロルトール、メソトリオン、スルコトリオン（クロルメスロン）、ケトスピラドックス、フルルタモン、ノルフルラゾン又はアミトロール；Ｃ７）エノールピルビルシキミ酸−３−リン酸合成酵素阻害剤（ＥＰＳＰＳ）、例えば、グリホサート又はスルホサート；Ｃ８）グルタミン合成酵素阻害剤、例えば、ビアラホス又はグルホシネート−アンモニウム；Ｃ９）脂質生合成阻害剤、例えば、アニロホス若しくはメフェナセット等の��ニリド；ジメテナミド、Ｓ−ジメテナミド、アセトクロール、アラクロール、ブタクロール、ブテナクロール、ジエタチル−エチル、ジメタクロール、メタザクロール、メトラクロール、Ｓ−メトラクロール、プレチラクロール、プロパクロール、プリナクロール、テルブクロール、テニルクロール若しくはキシラクロール等のクロロアセトアニリド；ブチレート、シクロエート、ジ−アレート、ジメピペレート、ＥＰＴＣ．エスプロカルブ、モリネート、ペブレート、プロスルホカルブ、チオベンカルブ（ベンチオカルブ）、トリ−アレート若しくはバーナレート等のチオ尿素；又は、ベンフレセート若しくはパーフルイドン；Ｃ１０）有糸分裂阻害剤、例えば、アシュラム、カルベタミド、クロルプロファム、オルベンカルブ、プロピザミド、プロファム若しくはチオカルバジル等のカルバメート；ベネフィン、ブトラリン、ジニトラミン、エタルフルラリン、フルクロラリン、オリザリン、ペンジメタリン、プロジアミン若しくはトリフルラリン等のジニトロアニリン；ジチオピル若しくはチアゾピル等のピリジン；又は、ブタミホス、クロルタール−ジメチル（ＤＣＰＡ）若しくはマレイン酸ヒドラジド；Ｃ１１）プロトポルフィリノーゲンＩＸオキシダーゼ阻害剤、例えば、アシフルオルフェン、アシフルオルフェン−ナトリウム、アクロニフェン、ビフェノックス、クロミトロフェン（ＣＮＰ）、エトキシフェン、フルオロジフェン、フルオログリコフェン−エチル、フォメサフェン、フリロキシフェン、ラクトフェン、ニトロフェン、ニトロフルオルフェン若しくはオキシフルオルフェン等のジフェニルエーテル；オキサジアルギル若しくはオキサジアゾン等のオキサジアゾール；アザフェニジン、ブタフェナシル、カルフェントラゾン、カルフェントラゾン−エチル、シニドン−エチル、フルミクロラックペンチル、フルミオキサジン、フルミプロピン、フルプロパシル、フルチアセット−メチル、スルフェントラゾン若しくはチジアジミン等の環状イミド；又は、ＥＴ−７５１、ＪＶ  ４８５若しくはニピラクロフェン等のピラゾール；Ｃ１２）光合成阻害剤、例えば、プロパニル、ピリデート若しくはピリダフォル；ベンタゾン等のベンゾチアジアジノン；ジニトロフェノール、例えば、ブロモフェノキシム、ジノセブ、ジノセブ−アセテート、ジノテルブ若しくはＤＮＯＣ；シペルクアット−クロリド、ジフェンゾクワット−メチルスルフェート、ジクワット若しくはパラコート−ジクロリド等のジピリジレン；クロルブロムロン、クロロトルロン、ジフェノクスロン、ジメフロン、ジウロン、エチジムロン、フェヌロン、フルオメツロン、イソプロチュロン、イソウロン、リヌロン、メタベンズチアズロン、メタゾール、メトベンズロン、メトキスロン、モノリニュロン、ネブロン、シデュロン若しくはテブチウロン等の尿素；ブロモキシニル若しくはイオキシニル等のフェノール；クロリダゾン；アメトリン、アトラジン、シアナジン、デスメイン、ジメタメトリン、ヘキサジノン、プロメトン、プロメトリン、プロパジン、シマジン、シメトリン、テルブメトン、テルブトリン、テルブチラジン若しくはトリエタジン等のトリアジン；メタミトロン等のトリアジノン；ブロマシル、レナシル若しくはテルバシル等のウラシル；又は、デスメジファム若しくはフェンメジファム等のビスカルバメート；Ｃ１３）相乗剤、例えば、トリジファン等のオキシラン；Ｃ１４）ＣＩＳ細胞壁合成阻害剤、例えば、イソキサベン又はジクロベニル；Ｃ１６）様々な他の除草剤、例えば、ダラポン等のジクロロプロピオン酸；エトフメセート等のジヒドロベンゾフラン；クロルフェナック（フェナック）等のフェニル酢酸；又は、アジプロトリン、バルバン、ベンスリド、ベンズチアズロン、ベンゾフルオール、ブミナホス、ブチダゾール、ブツロン、カフェンストロール、クロルブファム、クロルフェンプロップ−メチル、クロロクスロン、シンメチリン、クミルロン、シクルロン、シプラジン、シプラゾール、ジベンジルロン、ジプロペトリン、ダイムロン、エグリナジン−エチル、エンドタール、エチオジン、フルカバゾン、フルオルベントラニル、フルポキサム、イソカルバミド、イソプロパリン、カルブチレート、メフルイジド、モヌロン、ナプロップアミド、ナプロップアニリド、ニトラリン、オキサシクロメフォン、フェニソファム、ピペロホス、プロシアジン、プロフルアリン、ピリブチカルブ、セクブメトン、スルファレート（ＣＤＥＣ）、テルブカルブ、トリアジフラム、トリアゾフェナミド若しくはトリメツロン；又は、それらの環境適合性の塩、
からなる群から選択される、
ことを特徴とする付記６に記載の組成物。
【０２０７】
［付記８］
前記化学的農薬は、殺線虫剤である、
ことを特徴とする付記１に記載の組成物。
【０２０８】
［付記９］
前記殺線虫剤は、ベノミル、クロエトカルブ、アルドキシカルブ、ティルペート（tirpate）、ジアミダホス、フェナミホス、カズサホス、ジクロフェンチオン、エトプロホス、フェンスルホチオン、ホスチアゼート、ヘテロホス、イサミドホフ（isamidofof）、イサゾホス、ホスホカルブ、チオナジン、イミシアホス、メカルホン、アセトプロール、ベンクロチアズ、クロルピクリン、ダゾメット、フルエンスルホン、１，３−ジクロロプロペン（telone）、ジメチルジスルフィド、メタムナトリウム、メタムカリウム、メタム塩（全てのＭＩＴＣジェネレーター）、メチルブロミド、土壌改良剤（例えば、マスタードシード、マスタードシード抽出物）、土壌燻蒸剤、アリルイソチオシアネート（ＡＩＴＣ）、ジメチルスルフェート、及びフルフラール（furfual）（アルデヒド）からなる群から選択される、
ことを特徴とする付記８に記載の組成物。
【０２０９】
［付記１０］
前記菌株は、胞子又は栄養細胞の形態で存在する、
ことを特徴とする付記１に記載の組成物。
【０２１０】
［付記１１］
前記菌株は、バチルス属の株である、
ことを特徴とする付記１に記載の組成物。
【０２１１】
［付記１２］
前記バチルス属は、バチルス・プミルス、バチルス・リケニフォルミス、バチルス・サブティリス、又はそれらの組み合わせである、
ことを特徴とする付記１１に記載の組成物。
【０２１２】
［付記１３］
前記バチルス・プミルスは、ＰＴＡ−１２１１６４として寄託されているバチルス・プミルスＲＴＩ２７９である、
ことを特徴とする付記１２に記載の組成物。
【０２１３】
［付記１４］
前記バチルス・リケニフォルミスは、受託番号ＤＳＭ１７２３６として寄託されているバチルス・リケニフォルミスＣＨ２００である
ことを特徴とする付記１２に記載の組成物。
【０２１４】
［付記１５］
前記組成物は、液体、粉剤、延展性顆粒剤、乾燥水和性粉末剤、又は乾燥水和性顆粒剤の形態である、
ことを特徴とする付記１に記載の組成物。
【０２１５】
［付記１６］
前記菌株は、ＰＴＡ−１２１１６４として寄託されており、１．０×１０９ＣＦＵ／ｇ〜１．０×１０１２ＣＦＵ／ｇの範囲の濃度で存在するバチルス・プミルスＲＴＩ２７９、又は受託番号ＤＳＭ１７２３６として寄託されており、１．０×１０９ＣＦＵ／ｇ〜１．０×１０１２ＣＦＵ／ｇの範囲の量で存在するバチルス・リケニフォルミスＣＨ２００である、
ことを特徴とする付記１５に記載の組成物。
【０２１６】
［付記１７］
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする付記１に記載の組成物。
【０２１７】
［付記１８］
前記植物は、コーンを含む、
ことを特徴とする付記１７に記載の組成物。
【０２１８】
［付記１９］
前記植物の成長利益は、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする付記１に記載の組成物。
【０２１９】
［付記２０］
液体肥料として適切な製剤中に、植物の成長に有益な特性を有する細菌又は真菌の株の生物学的に純粋な培養物と、土壌殺虫剤と、を含み、
前記細菌又は真菌の株と前記土壌殺虫剤とは、植物の成長に利益を与えるために適切な量で存在する、
ことを特徴とする植物の成長に利益を与える組成物。
【０２２０】
［付記２１］
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンの１つまたは組み合わせである、
ことを特徴とする付記２０に記載の組成物。
【０２２１】
［付記２２］
前記殺虫剤は、ビフェントリンを含み、前記組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする付記２１に記載の組成物。
【０２２２】
［付記２３］
前記ビフェントリン殺虫剤は、０．１ｇ／ｍｌ〜０．２ｇ／ｍｌの範囲の濃度で存在する、
ことを特徴とする付記２２に記載の組成物。
【０２２３】
［付記２４］
前記ビフェントリン殺虫剤は、約０．１７１５ｇ／ｍｌの濃度で存在する、
ことを特徴とする付記２２に記載の組成物。
【０２２４】
［付記２５］
前記土壌殺虫剤は、ビフェントリン及びクロチアニジンを含む、
ことを特徴とする付記２１に記載の組成物。
【０２２５】
［付記２６］
前記殺虫剤は、ビフェントリン又はゼータ−シペルメトリンを含む、
ことを特徴とする付記２１に記載の組成物。
【０２２６】
［付記２７］
植物の成長に利益を与えるために、及び／又は感受性植物における病原体感染に対する保護を与えるために十分な量で存在する微生物又は化学殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする付記２０に記載の組成物。
【０２２７】
［付記２８］
前記殺線虫剤は、カズサホスを含む、
ことを特徴とする付記２７に記載の組成物。
【０２２８】
［付記２９］
前記菌株は、胞子又は栄養細胞の形態である、
ことを特徴とする付記２０に記載の組成物。
【０２２９】
［付記３０］
前記菌株は、バチルス属の株である、
ことを特徴とする付記２０に記載の組成物。
【０２３０】
［付記３１］
前記バチルス属は、バチルス・プミルス、バチルス・リケニフォルミス、バチルス・サブティリス、又はそれらの組み合わせである、
ことを特徴とする付記３０に記載の組成物。
【０２３１】
［付記３２］
前記バチルス・プミルスは、ＰＴＡ−１２１１６４として寄託されているバチルス・プミルスＲＴＩ２７９である、
ことを特徴とする付記３１に記載の組成物。
【０２３２】
［付記３３］
前記バチルス・リケニフォルミスは、受託番号ＤＳＭ１７２３６として寄託されているバチルス・リケニフォルミスＣＨ２００である、
ことを特徴とする付記３１に記載の組成物。
【０２３３】
［付記３４］
前記組成物は、液体、粉剤、延展性顆粒剤、乾燥水和性粉末剤、又は乾燥水和性顆粒剤の形態である、
ことを特徴とする付記２０に記載の組成物。
【０２３４】
［付記３５］
前記菌株は、ＰＴＡ−１２１１６４として寄託されており、１．０×１０９ＣＦＵ／ｇ〜１．０×１０１２ＣＦＵ／ｇの範囲の濃度で存在するバチルス・プミルスＲＴＩ２７９、又は受託番号ＤＳＭ１７２３６として寄託されており、１．０×１０９ＣＦＵ／ｇ〜１．０×１０１２ＣＦＵ／ｇの範囲の量で存在するバチルス・リケニフォルミスＣＨ２００である、
ことを特徴とする付記３４に記載の組成物。
【０２３５】
［付記３６］
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする付記２０に記載の組成物。
【０２３６】
［付記３７］
前記植物は、コーンを含む、
ことを特徴とする付記３６に記載の組成物。
【０２３７】
［付記３８］
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする付記２０に記載の組成物。
【０２３８】
［付記３９］
植物の成長に有益な特性を有する細菌又は真菌の株の生物学的に純粋な培養物を有する第１の組成物を含む第１の成分と、
土壌殺虫剤を有する第２の組成物を含む第２の成分と、
液体肥料  液体肥料として適切な製剤中に存在し、植物の成長に利益を与えるために適切な量で存在する、前記第１の組成物及び前記第２の組成物の組み合わせを、植物の種、植物の根、植物の切断片、植物の移植片、植物のカルス組織、植物の周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達するための指示書と、を含み、
前記第１の成分と前記第２の成分は別々に包装されており、各成分は液体肥料として適切な製剤中に存在し、各成分は、植物の成長に利益を与えるのに適切な量で存在する、
ことを特徴とする製品。
【０２３９】
［付記４０］
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンのうちの１つ又は組み合わせである、
ことを特徴とする付記３９に記載の製品。
【０２４０】
［付記４１］
前記殺虫剤は、ビフェントリンであり、前記第２の組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする付記４０に記載の製品。
【０２４１】
［付記４２］
前記ビフェントリン殺虫剤は、０．１ｇ／ｍｌ〜０．２ｇ／ｍｌの範囲の濃度で存在する、
ことを特徴とする付記４１に記載の製品。
【０２４２】
［付記４３］
前記ビフェントリン殺虫剤は、約０．１７１５ｇ／ｍｌの濃度で存在する、
ことを特徴とする付記４１に記載の製品。
【０２４３】
［付記４４］
前記土壌殺虫剤は、ビフェントリン及びクロチアニジンを含む、
ことを特徴とする付記３９に記載の製品。
【０２４４】
［付記４５］
前記殺虫剤は、ビフェントリン又はゼータ−シペルメトリンを含む、
ことを特徴とする付記４０に記載の製品。
【０２４５】
［付記４６］
植物の成長に利益を与えるために、及び／又は感受性植物における病原体感染に対する保護を与えるために十分な量で存在する微生物学的又は化学的殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする付記３９に記載の製品。
【０２４６】
［付記４７］
前記殺線虫剤は、カズサホスを含む、
ことを特徴とする付記４６に記載の製品。
【０２４７】
［付記４８］
前記菌株は、胞子又は栄養細胞の形態である、
ことを特徴とする付記３９に記載の製品。
【０２４８】
［付記４９］
前記菌株は、バチルス属の株である、
ことを特徴とする付記３９に記載の製品。
【０２４９】
［付記５０］
前記バチルス属は、バチルス・プミルス、バチルス・リケニフォルミス、バチルス・サブティリス、又はこれらの組み合わせである、
ことを特徴とする付記４９に記載の製品。
【０２５０】
［付記５１］
前記バチルス・プミルスは、ＰＴＡ−１２１１６４として寄託されているバチルス・プミルスＲＴＩ２７９である、
ことを特徴とする付記５０に記載の製品。
【０２５１】
［付記５２］
前記バチルス・リケニフォルミスは、受託番号ＤＳＭ１７２３６として寄託されているバチルス・リケニフォルミスＣＨ２００である、
ことを特徴とする付記５０に記載の製品。
【０２５２】
［付記５３］
前記第１の組成物及び前記第２の組成物のそれぞれは、液体、粉剤、延展性顆粒剤、乾燥水和性粉末剤、又は乾燥水和性顆粒剤の形態である、
ことを特徴とする付記３９に記載の製品。
【０２５３】
［付記５４］
前記菌株は、ＰＴＡ−１２１１６４として寄託されているバチルス・プミルスＲＴＩ２７９であり、
植物の成長に利益を与えるのに適切な前記バチルス・プミルスＲＴＩ２７９の量は、１．０×１０８ＣＦＵ／ｈａ〜１．０×１０１３ＣＦＵ／ｈａの範囲である、
ことを特徴とする付記３９に記載の製品。
【０２５４】
［付記５５］
前記菌株は、受託番号ＤＳＭ１７２３６として寄託されているバチルス・リケニフォルミスＣＨ２００であり、
植物の成長に利益を与えるのに適切な前記バチルス・リケニフォルミスＣＨ２００の量は、１．０×１０８ＣＦＵ／ｈａ〜１．０×１０１３ＣＦＵ／ｈａの範囲である、
ことを特徴とする付記３９に記載の製品。
【０２５５】
［付記５６］
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする付記３９に記載の製品。
【０２５６】
［付記５７］
前記植物は、コーンを含む、
ことを特徴とする付記５６に記載の製品
【０２５７】
［付記５８］
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする付記３９に記載の製品。
【０２５８】
［付記５９］
成長促進微生物及び土壌殺虫剤を有する液体肥料中の組成物を、植物に送達することを含み、
前記組成物は、植物の成長に有益な特性を有する細菌又は真菌の株の生物学的に純粋な培養物と、土壌殺虫剤とを液体肥料として適切な製剤中に含み、前記細菌又は真菌の株及び前記土壌殺虫剤は、それぞれ植物の成長に利益を与えるために十分な量で存在し、
前記組成物は、液体肥料中に、植物の成長に利益を与えるために適切な量で、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする、植物の成長に利益を与えるための方法。
【０２５９】
［付記６０］
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする付記５９に記載の方法。
【０２６０】
［付記６１］
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンの１つ又は組み合わせである、
ことを特徴とする付記５９に記載の方法。
【０２６１】
［付記６２］
前記殺虫剤は、ビフェントリンであり、前記組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする付記６１に記載の方法。
【０２６２】
［付記６３］
前記土壌殺虫剤は、ビフェントリン又はクロチアニジンを含む、
ことを特徴とする付記６１に記載の方法。
【０２６３】
［付記６４］
前記殺虫剤は、ビフェントリン又はゼータ−シペルメトリンを含む、
ことを特徴とする付記６１に記載の方法。
【０２６４】
［付記６５］
植物の成長に利益を与えるために、及び／又は感受性植物における病原体感染に対する保護を与えるために十分な量で存在する微生物又は化学殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする付記５９に記載の方法。
【０２６５】
［付記６６］
前記殺線虫剤は、カズサホスを含む、
ことを特徴とする付記６５に記載の方法。
【０２６６】
［付記６７］
前記菌株は、胞子又は栄養細胞の形態である、
ことを特徴とする付記５９に記載の方法。
【０２６７】
［付記６８］
前記菌株は、バチルス属の株である、
ことを特徴とする付記５９に記載の方法。
【０２６８】
［付記６９］
前記バチルス属は、バチルス・プミルス、バチルス・リケニフォルミス、バチルス・サブティリス、又はそれらの組み合わせである、
ことを特徴とする付記６８に記載の方法。
【０２６９】
［付記７０］
前記バチルス・プミルスは、ＰＴＡ−１２１１６４として寄託されているバチルス・プミルスＲＴＩ２７９である、
ことを特徴とする付記６９に記載の方法。
【０２７０】
［付記７１］
前記バチルス・リケニフォルミスは、受託番号ＤＳＭ１７２３６として寄託されているバチルス・リケニフォルミスＣＨ２００である、
ことを特徴とする付記６９に記載の方法。
【０２７１】
［付記７２］
前記菌株は、ＰＴＡ−１２１１６４として寄託されているバチルス・プミルスＲＴＩ２７９であり、
植物の成長に利益を与えるために適切な前記バチルス・プミルスＲＴＩ２７９の量は、１．０×１０８ＣＦＵ／ｈａ〜１．０×１０１３ＣＦＵ／ｈａの範囲である、
ことを特徴とする付記５９に記載の方法。
【０２７２】
［付記７３］
前記菌株は、受託番号ＤＳＭ１７２３６として寄託されているバチルス・リケニフォルミスＣＨ２００であり、
植物の成長に利益を与えるために適切な前記バチルス・リケニフォルミスＣＨ２００の量は、１．０×１０８ＣＦＵ／ｈａ〜１．０×１０１３ＣＦＵ／ｈａの範囲である、
ことを特徴とする付記５９に記載の方法。
【０２７３】
［付記７４］
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする付記５９に記載の方法。
【０２７４】
［付記７５］
前記植物は、コーンを含む、
ことを特徴とする付記７４に記載の方法。
【０２７５】
［付記７６］
植物の成長に有益な特性を有する細菌又は真菌の株の生物学的に純粋な培養物を有する第１の組成物を含む第１の成分と、
土壌殺虫剤を有する第２の組成物を含む第２の成分と、
の組み合わせを、液体肥料において、植物の成長に利益を与えるために適切な量で、送達することを含み、
各成分は液体肥料として適切な製剤中に存在し、各成分は植物の成長に利益を与えるために十分な量で存在し、前記組み合わせは、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、ことを特徴とする、
植物の成長に利益を与えるための方法。
【０２７６】
［付記７７］
前記植物の成長利益とは、苗の活力の改善、根の発達の改善、植物の健康の改善、植物の質量の増加、収量の増加、外観の改善、浸透圧ストレスに対する耐性の改善、植物病原体に対する耐性の改善、又はそれらの組み合わせによって示される、
ことを特徴とする付記７６に記載の方法。
【０２７７】
［付記７８］
前記土壌殺虫剤は、ピレスロイド、ビフェントリン、テフルトリン、ゼータ−シペルメトリン、有機リン酸塩、クロルエトキシホス、クロルピリホス、テブピリムホス（tebupirimphos）、シフルトリン、フィプロール、フィプロニル、ニコチノイド、又はクロチアニジンの１つ又は組み合わせである、
ことを特徴とする付記７６に記載の方法。
【０２７８】
［付記７９］
前記殺虫剤は、ビフェントリンであり、前記第２の組成物は、更に水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする付記７８に記載の方法。
【０２７９】
［付記８０］
前記土壌殺虫剤は、ビフェントリン及びクロチアニジンを含む、
ことを特徴とする付記７８に記載の方法。
【０２８０】
［付記８１］
前記殺虫剤は、ビフェントリン又はゼータ−シペルメトリンを含む、
ことを特徴とする付記７８に記載の方法。
【０２８１】
［付記８２］
植物の成長に利益を与えるために、及び／又は感受性植物における病原体感染に対する保護を与えるために十分な量で存在する微生物又は化学殺虫剤、殺真菌剤（fungicide）、殺線虫剤、殺菌剤（bacteriocide）、除草剤、植物抽出物、又は植物成長調整剤（regulator）の１つまたは組み合わせを、更に含む、
ことを特徴とする付記７６に記載の方法。
【０２８２】
［付記８３］
前記殺線虫剤は、カズサホスを含む、
ことを特徴とする付記８２に記載の方法。
【０２８３】
［付記８４］
前記菌株は、胞子又は栄養細胞の形態である、
ことを特徴とする付記７６に記載の方法。
【０２８４】
［付記８５］
前記菌株は、バチルス属の株である、
ことを特徴とする付記７６に記載の方法。
【０２８５】
［付記８６］
前記バチルス属は、バチルス・プミルス、バチルス・リケニフォルミス、バチルス・サブティリス、又はこれらの組み合わせである、
ことを特徴とする付記８５に記載の方法。
【０２８６】
［付記８７］
前記バチルス・プミルスは、ＰＴＡ−１２１１６４として寄託されているバチルス・プミルスＲＴＩ２７９である、
ことを特徴とする付記８６に記載の方法。
【０２８７】
［付記８８］
前記バチルス・リケニフォルミスは、受託番号ＤＳＭ１７２３６として寄託されているバチルス・リケニフォルミスＣＨ２００である、
ことを特徴とする付記８６に記載の方法。
【０２８８】
［付記８９］
前記菌株は、ＰＴＡ−１２１１６４として寄託されているバチルス・プミルスＲＴＩ２７９であり、
植物の成長に利益を与えるためにに適切な前記バチルス・プミルスＲＴＩ２７９の量は、１．０×１０８ＣＦＵ／ｈａ〜１．０×１０１３ＣＦＵ／ｈａの範囲である、
ことを特徴とする付記７６に記載の方法。
【０２８９】
［付記９０］
前記菌株は、受託番号ＤＳＭ１７２３６として寄託されているバチルス・リケニフォルミスＣＨ２００であり、
植物の成長に利益を与えるために適切な前記バチルス・リケニフォルミスＣＨ２００の量は、１．０×１０８ＣＦＵ／ｈａ〜１．０×１０１３ＣＦＵ／ｈａの範囲である、
ことを特徴とする付記７６に記載の方法。
【０２９０】
［付記９１］
前記植物は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、 フルーツ野菜、ペッパー、トマト、ナス、グラウンドチェリー、トマティロ、オクラ、ブドウ、ハーブ／スパイス、ウリ科野菜、キュウリ、カンタロープ、メロン、マスクメロン、スクワッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、アブラナ種子、ベニバナ、ゴマ、ヒマワリ、大豆、根／塊茎及び球茎野菜、ニンジン、ジャガイモ、サツマイモ、ビーツ、ショウガ、ホースラディッシュ、ラディッシュ、朝鮮人参、カブ、サトウキビ、テンサイ、草（Grass）、芝草（Turf  grass）を含む、
ことを特徴とする付記７６に記載の方法。
【０２９１】
［付記９２］
前記植物は、コーンを含む、
ことを特徴とする付記９１に記載の方法。
【０２９２】
［付記９３］
ＰＴＡ−１２１１６４として寄託されているバチルス・プミルスＲＴＩ２７９の胞子の生物学的に純粋な培養物と、ビフェントリン殺虫剤とを、液体肥料として適切な製剤中に含み、前記バチルス・プミルスＲＴＩ２７９と前記ビフェントリン殺虫剤とは、植物の成長に利益を与えるために適切な量で存在する、
ことを特徴とする植物の成長に利益を与える組成物。
【０２９３】
［付記９４］
受託番号ＤＳＭ１７２３６として寄託されているバチルス・リケニフォルミスＣＨ２００胞子の生物学的に純粋な培養物と、ビフェントリン殺虫剤とを、液体肥料として適切な製剤中に含み、前記バチルス・リケニフォルミスＣＨ２００と前記ビフェントリン殺虫剤のそれぞれは、植物の成長に利益を与えるために適切な量で存在する、
ことを特徴とする植物の成長に利益を与える組成物。
【０２９４】
［付記９５］
受託番号ＤＳＭ１７２３６として寄託されているバチルス・リケニフォルミスＣＨ２００の胞子の生物学的に純粋な培養物を有する第１の組成物と、
液体肥料として製剤されたビフェントリン殺虫剤を有する第２の組成物と、
液体肥料として適切な製剤中にあり、植物の成長に利益を与えるために適切な量で、前記第１の組成物及び前記第２の組成物の組み合わせを、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達するための指示書と、を含み、
前記第１の組成物及び前記第２の組成物は別々に包装されており、各成分は、液体肥料中に植物の成長に利益を与えるために適切な量で存在する、
ことを特徴とする製品。
【０２９５】
［付記９６］
ＰＴＡ−１２１１６４として寄託されているバチルス・プミルスＲＴＩ２７９の胞子の生物学的に純粋な培養物を有する第１の組成物と、
液体肥料として製剤されたビフェントリン殺虫剤を有する第２の組成物と、
液体肥料中に植物の成長に利益を与えるために適切な量で存在する、前記第１の組成物及び前記第２の組成物を、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達するための指示書と、を含み、
前記第１の組成物及び前記第２の組成物は別々に包装されており、各成分は、植物の成長に利益を与えるために適切な量で存在する、
ことを特徴とする製品。
【０２９６】
［付記９７］
液体肥料中に成長促進微生物と土壌殺虫剤とを有する組成物を、植物に送達することを含み、
前記組成物は、ＰＴＡ−１２１１６４として寄託されているバチルス・プミルスＲＴＩ２７９の生物学的に純粋な培養物の胞子と、ビフェントリン殺虫剤とを液体肥料として適切な製剤中に含み、
前記バチルス・プミルスＲＴＩ２７９と前記ビフェントリン殺虫剤のそれぞれは、植物の成長に利益を与えるために十分な量で存在し、
液体肥料中に植物の成長に利益を与えるために適切な量で存在する、前記組成物を、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達する、
ことを特徴とする植物の成長に利益を与えるための方法。
【０２９７】
［付記９８］
液体肥料中に成長促進微生物と土壌殺虫剤とを有する組成物を、植物に送達することを含み、
前記組成物は、受託番号ＤＳＭ１７２３６として寄託されているバチルス・リケニフォルミスＣＨ２００の生物学的に純粋な培養物の胞子と、ビフェントリン殺虫剤とを液体肥料として適切な製剤中に含み、
前記バチルス・リケニフォルミスＣＨ２００と前記ビフェントリン殺虫剤とのそれぞれは、植物の成長に利益を与えるために十分な量で存在し、
液体肥料中に、植物の成長に利益を与えるために適切な量で存在する、前記組成物を、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達する、
ことを特徴とする植物の成長に利益を与えるための方法。
【０２９８】
［付記９９］
液体肥料中に、植物の成長に利益を与えるために適切な量で存在する、受託番号ＤＳＭ１７２３６として寄託されているバチルス・リケニフォルミスＣＨ２００の生物学的に純粋な培養物を有する第１の組成物と、ビフェントリン殺虫剤を有する第２の組成物との組み合わせを植物に送達することを含み、
各組成物は、液体肥料適切な製剤中に存在し、各成分は、植物の成長に利益を与えるために適切な量で存在し、前記組み合わせは、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【０２９９】
［付記１００］
液体肥料中に、植物の成長に利益を与えるために適切な量で存在する、ＰＴＡ−１２１１６４として寄託されているバチルス・プミルスＲＴＩ２７９生物学的に純粋な培養物を有する第１の組成物と、ビフェントリン殺虫剤を有する第２の組成物との組み合わせを植物に送達することを含み、
各組成物は、液体肥料として適切な製剤中に存在し、各成分は、植物の成長に利益を与えるために適切な量で存在し、前記組み合わせは、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【０３００】
［付記１０１］
植物成長促進特性を有する細菌株の生物学的に純粋な培養物を少なくとも１つ含む第１の組成物を含有する第１のコンテナと、
少なくとも１つの農薬を含む第２の組成物を含有する第２のコンテナと、を含み、
前記第１の組成物及び前記第２の組成物は、液体肥料と相溶性を有する製剤中に存在する、
ことを特徴とする製品。
【０３０１】
［付記１０２］
前記農薬は、殺虫剤、殺真菌剤、除草剤、又は殺線虫剤である、
ことを特徴とする付記１０１に記載の製品。
【０３０２】
［付記１０３］
前記農薬は、ピレスロイド、ビフェントリン、テフルトリン、シペルメトリン、ゼータ−シペルメトリン、ラムダ−シハロトリン、ガンマ−シハロトリン、デルタメトリン、シフルトリン、アルファシペルメトリン、ペルメトリン、有機リン酸塩、クロルピリホス−エチル、テブピリムホス、テルブホス、エトプロホス、カズサホス、ニコチノイド、イミダクロプリド、チアメトキザム、クロチアニジン、カルバメート、チオジカルブ、オキサミル、カルボフラン、カルボスルファン、フィプロール、フィプロニル及びエチプロールからなる群から選択される土壌殺虫剤である、
ことを特徴とする付記１０１に記載の製品。
【０３０３】
［付記１０４］
前記農薬は、ビフェントリンである、
ことを特徴とする付記１０１に記載の製品。
【０３０４】
［付記１０５］
前記第２の組成物は、更に、水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする付記１０４に記載の製品。
【０３０５】
［付記１０６］
少なくとも１つの菌株は、胞子又は栄養細胞の形態である、
ことを特徴とする付記１０１に記載の製品。
【０３０６】
［付記１０７］
少なくとも１つの菌株は、バチルス属の株である、
ことを特徴とする付記１０１に記載の製品。
【０３０７】
［付記１０８］
少なくとも１つのバチルス属は、バチルス・プミルス、バチルス・リケニフォルミス、又はそれらの組み合わせである、
ことを特徴とする付記１０７に記載の製品。
【０３０８】
［付記１０９］
少なくとも１つのバチルス属は、バチルス・プミルスＲＴＩ２７９（ＡＴＣＣ受託番号ＰＴＡ−１２１１６４）である、
ことを特徴とする付記１０７に記載の製品。
【０３０９】
［付記１１０］
少なくとも１つのバチルス・プミルスＲＴＩ２７９は、１．０×１０９ＣＦＵ／ｇ〜１．０×１０１２ＣＦＵ／ｇの濃度で存在する、
ことを特徴とする付記１０９に記載の製品。
【０３１０】
［付記１１１］
少なくとも１つのバチルス属は、バチルス・リケニフォルミスＣＨ２００（ＤＳＭＺ受託番号ＤＳＭ１７２３６）である、
ことを特徴とする付記１０７に記載の製品。
【０３１１】
［付記１１２］
少なくとも１つのバチルス・リケニフォルミスＣＨ２００は、１．０×１０９ＣＦＵ／ｇ〜１．０×１０１２ＣＦＵ／ｇの濃度で存在する、
ことを特徴とする付記１１１に記載の製品。
【０３１２】
［付記１１３］
バチルス・リケニフォルミスＣＨ２００（ＤＳＭＺ受託番号ＤＳＭ１７２３６）の生物学的に純粋な培養物を含む第１の組成物を含有する第１のコンテナと、
ビフェントリンを含む第２の組成物を含有する第２のコンテナと、を含み、
前記第１の組成物及び前記第２の組成物は、液体肥料と相溶性を有する製剤中に存在する、
ことを特徴とする製品。
【０３１３】
［付記１１４］
前記第２の組成物は、更に、更に、水和ケイ酸アルミニウム−マグネシウムと、スクロースエステル、リグノスルホネート、アルキルポリグリコシド、ナフタレンスルホン酸ホルムアルデヒド縮合物、及びリン酸エステルからなる群から選択される少なくとも１つの分散剤と、を含む、
ことを特徴とする付記１１３に記載の製品。
【０３１４】
［付記１１５］
ａ）植物成長促進特性を有する少なくとも１つの菌株の生物学的に純粋な培養物、及び
ｂ）少なくとも１つの農薬、を含む、
液体肥料と相溶性を有する製剤中に存在する、
ことを特徴とする組成物。
【０３１５】
［付記１１６］
前記農薬は、殺虫剤、殺真菌剤、除草剤、又は殺線虫剤である、
ことを特徴とする付記１１５に記載の組成物。
【０３１６】
［付記１１７］
前記農薬は、ピレスロイド、ビフェントリン、テフルトリン、シペルメトリン、ゼータ−シペルメトリン、ラムダ−シハロトリン、ガンマ−シハロトリン、デルタメトリン、シフルトリン、アルファシペルメトリン、ペルメトリン；有機リン酸塩、クロルピリホス−エチル、テブピリムホス（tebupirimphos）、テルブホス、エトプロホス、カズサホス；ニコチノイド、イミダクロプリド、チアメトキサム、クロチアニジン、カーバメート、チオジカルブ、オキサミル、カルボフラン、カルボスルフラン、フィプロール、フィプロニル及びエチプロールからなる群から選択される土壌殺虫剤である、
ことを特徴とする付記１１５に記載の組成物。
【０３１７】
［付記１１８］
前記農薬は、ビフェントリンである、
ことを特徴とする付記１１５に記載の組成物。
【０３１８】
［付記１１９］
少なくとも１つの菌株は、胞子又は栄養細胞の形態である、
ことを特徴とする付記１１５に記載の組成物。
【０３１９】
［付記１２０］
少なくとも１つの菌株は、バチルス属の株である、
ことを特徴とする付記１１５に記載の組成物。
【０３２０】
［付記１２１］
少なくとも１つのバチルス属は、バチルス・プミルス、バチルス・リケニフォルミス、又はそれらの組み合わせである、
ことを特徴とする付記１２０に記載の組成物。
【０３２１】
［付記１２２］
少なくとも１つのバチルス属は、バチルス・プミルスＲＴＩ２７９（ＡＴＣＣ受託番号ＰＴＡ−１２１１６４）である、
ことを特徴とする付記１２０に記載の組成物。
【０３２２】
［付記１２３］
少なくとも１つのバチルス・プミルスＲＴＩ２７９は、１．０×１０９ＣＦＵ／ｇ〜１．０×１０１２ＣＦＵ／ｇの濃度で存在する、
ことを特徴とする付記１２２に記載の組成物。
【０３２３】
［付記１２４］
少なくとも１つのバチルス属は、バチルス・リケニフォルミスＣＨ２００（ＤＳＭＺ受託番号ＤＳＭ１７２３６）である、
ことを特徴とする付記１２０に記載の組成物。
【０３２４】
［付記１２５］
少なくとも１つのバチルス・リケニフォルミスＣＨ２００は、１．０×１０９ＣＦＵ／ｇ〜１．０×１０１２ＣＦＵ／ｇの濃度で存在する、
ことを特徴とする付記１２４に記載の組成物。
【０３２５】
［付記１２６］
液体肥料中に、ａ）植物成長促進特性を有する少なくとも１つの細菌株の生物学的に純粋な培養物と、ｂ）土壌殺虫剤とを含む組成物を、植物に又は植物の一部に送達することを含み、
前記細菌株と前記土壌殺虫剤はそれぞれ植物の成長に利益を与えるために十分な量で存在することを特徴とし、
液体肥料中に植物の成長に利益を与えるために適切な量で存在する前記組成物は、植物の種、植物の根、植物の切断片、植物の移植片、植物のカルス組織、植物周囲の土壌又は成長培地、土壌又は成長培地における植物の種子の種まきの前の土壌又は成長培地、又は土壌又は成長培地における植物、植物の切断片、植物の移植片又は植物のカルス組織の植え付け前の土壌又は成長培地に送達される、
ことを特徴とする植物の成長に利益を与えるための方法。
【０３２６】
［付記１２７］
少なくとも１つの菌株は、胞子又は栄養細胞形態である、
ことを特徴とする付記１２６に記載の方法。
【０３２７】
［付記１２８］
少なくとも１つの菌株は、バチルス属の株である、
ことを特徴とする付記１２６に記載の方法。
【０３２８】
［付記１２９］
少なくとも１つの菌株は、バチルス・プミルスＲＴＩ２７９（ＡＴＣＣ受託番号ＰＴＡ−１２１１６４）又は、バチルス・リケニフォルミスＣＨ２００（ＤＳＭＺ受託番号ＤＳＭ１７２３６）又は、それらの組み合わせである、
ことを特徴とする付記１２６に記載の方法。
【０３２９】
［付記１３０］
前記土壌殺虫剤は、ビフェントリンである、
ことを特徴とする付記１２６に記載の方法。
【図１Ａ）】
2018508470.tif 000019
【図１Ｂ）】
2018508470.tif 000020
【図１Ｃ）】
2018508470.tif 000021
【図１Ｄ】
2018508470.tif 000022
【図２】
2018508470.tif 000023
【図３Ａ】
2018508470.tif 000024
【図３Ｂ】
2018508470.tif 000025
【図４Ａ】
2018508470.tif 000026
【図４Ｂ】
2018508470.tif 000027
【図５Ａ】
2018508470.tif 000028
【図５Ｂ】
2018508470.tif 000029
【図６Ａ】
2018508470.tif 000030
【図６Ｂ】
2018508470.tif 000031
【図７Ａ】
2018508470.tif 000032
【図７Ｂ】
2018508470.tif 000033
【図８】
2018508470.tif 000034
【図９】
2018508470.tif 000035
【図１０】
2018508470.tif 000036
【図１１】
2018508470.tif 000037
【図１２】
2018508470.tif 000038
【図１３】
2018508470.tif 000039
【図１４】
2018508470.tif 000040
【図１５】
2018508470.tif 000041
【図１６Ａ】
2018508470.tif 000042
【図１６Ｂ】
2018508470.tif 000043
【図１６Ｃ】
2018508470.tif 000044
【図１７Ａ】
2018508470.tif 000045
【図１７Ｂ】
2018508470.tif 000046
【図１７Ｃ】
2018508470.tif 000047
【図１８Ａ）】
2018508470.tif 000048
【図１８Ｂ）】
2018508470.tif 000049
【図１９】
2018508470.tif 000050
【図２０】
2018508470.tif 000051
【図２１】
2018508470.tif 000052
【図２２】
2018508470.tif 000053
【図２３Ａ】
2018508470.tif 000054
【図２３Ｂ】
2018508470.tif 000055
【図２３Ｃ】
2018508470.tif 000056
【図２４Ａ−２４Ｄ】
2018508470.tif 000057
【図２４Ｅ−２４Ｆ】
2018508470.tif 000058
【図２５Ａ】
2018508470.tif 000059
【図２５Ｂ】
2018508470.tif 000060
【図２６】
2018508470.tif 000061
【配列表】
2018508470000001.app
【国際調査報告】
2018508470.tif 000062
2018508470.tif 000063
2018508470.tif 000064
2018508470.tif 000065
2018508470.tif 000066